(57)【要約】  血液中のアミノ酸の濃度を利用して、脂肪肝、ＮＡＦＬＤ、およびＮＡＳＨのうち少なくとも１つを含む脂肪性肝疾患の状態を精度よく評価することができる脂肪性肝疾患の評価方法などを提供することを課題とする。本発明にかかる脂肪性肝疾患の評価方法によれば、評価対象から採取した血液中のアミノ酸の濃度値に関するアミノ酸濃度データを取得し、取得したアミノ酸濃度データに基づいて、評価対象につき、脂肪肝、ＮＡＦＬＤ、およびＮＡＳＨのうち少なくとも１つを含む脂肪性肝疾患の状態を評価する。
2013002381.tif 000002
【特許請求の範囲】
【請求項１】
評価対象から採取した血液中のアミノ酸の濃度値に関するアミノ酸濃度データを取得する取得ステップと、
前記取得ステップで取得した前記評価対象の前記アミノ酸濃度データに基づいて、前記評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する濃度値基準評価ステップと
を含むことを特徴とする脂肪性肝疾患の評価方法。
【請求項２】
前記濃度値基準評価ステップは、前記取得ステップで取得した前記アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの前記濃度値に基づいて、前記評価対象につき、前記ＮＡＳＨの状態を評価すること、
を特徴とする請求項１に記載の脂肪性肝疾患の評価方法。
【請求項３】
前記濃度値基準評価ステップは、前記取得ステップで取得した前記アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの前記濃度値に基づいて、前記ＮＡＳＨまたは非ＮＡＳＨであるか否かを判別する濃度値基準判別ステップ
をさらに含むことを特徴とする請求項２に記載の脂肪性肝疾患の評価方法。
【請求項４】
前記濃度値基準評価ステップは、前記取得ステップで取得した前記アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの前記濃度値に基づいて、前記評価対象につき、前記ＮＡＦＬＤの状態を評価すること、
を特徴とする請求項１に記載の脂肪性肝疾患の評価方法。
【請求項５】
前記濃度値基準評価ステップは、前記取得ステップで取得した前記アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの前記濃度値に基づいて、前記評価対象につき、前記ＮＡＦＬＤまたは非ＮＡＦＬＤであるか否かを判別する濃度値基準判別ステップ
をさらに含むことを特徴とする請求項４に記載の脂肪性肝疾患の評価方法。
【請求項６】
前記濃度値基準評価ステップは、前記取得ステップで取得した前記アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの前記濃度値に基づいて、前記評価対象につき、前記脂肪肝の状態を評価すること、
を特徴とする請求項１に記載の脂肪性肝疾患の評価方法。
【請求項７】
前記濃度値基準評価ステップは、前記取得ステップで取得した前記アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの前記濃度値に基づいて、前記評価対象につき、前記脂肪肝または非脂肪肝であるか否かを判別する濃度値基準判別ステップ
をさらに含むことを特徴とする請求項６に記載の脂肪性肝疾患の評価方法。
【請求項８】
前記濃度値基準評価ステップは、前記取得ステップで取得した前記アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの前記濃度値に基づいて、前記評価対象につき、前記ＮＡＳＨおよび前記ＮＡＦＬＤの状態を評価すること、
を特徴とする請求項１に記載の脂肪性肝疾患の評価方法。
【請求項９】
前記濃度値基準評価ステップは、前記取得ステップで取得した前記アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの前記濃度値に基づいて、前記評価対象につき、前記ＮＡＳＨ、または非ＮＡＳＨ且つ前記ＮＡＦＬＤであるか否かを判別する濃度値基準判別ステップ
をさらに含むことを特徴とする請求項８に記載の脂肪性肝疾患の評価方法。
【請求項１０】
前記濃度値基準評価ステップは、
前記取得ステップで取得した前記アミノ酸濃度データ、および前記アミノ酸の濃度を変数として含む予め設定した多変量判別式に基づいて、当該多変量判別式の値である判別値を算出する判別値算出ステップと、
前記判別値算出ステップで算出した前記判別値に基づいて、前記評価対象につき、前記脂肪性肝疾患の状態を評価する判別値基準評価ステップと
をさらに含むこと、
を特徴とする請求項１に記載の脂肪性肝疾患の評価方法。
【請求項１１】
前記多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つであること、
を特徴とする請求項１０に記載の脂肪性肝疾患の評価方法。
【請求項１２】
前記判別値算出ステップは、前記取得ステップで取得した前記アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの前記濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを前記変数として含む前記多変量判別式に基づいて、前記判別値を算出し、
前記判別値基準評価ステップは、前記判別値算出ステップで算出した前記判別値に基づいて、前記評価対象につき、前記ＮＡＳＨの状態を評価すること、
を特徴とする請求項１０または１１に記載の脂肪性肝疾患の評価方法。
【請求項１３】
前記判別値基準評価ステップは、前記判別値算出ステップで算出した前記判別値に基づいて、前記評価対象につき、前記ＮＡＳＨまたは非ＮＡＳＨであるか否かを判別する判別値基準判別ステップ
をさらに含むことを特徴とする請求項１２に記載の脂肪性肝疾患の評価方法。
【請求項１４】
前記多変量判別式は、Ｇｌｕ，Ｇｌｎ，Ｇｌｙ，Ａｌａ，Ｖａｌ，Ｔｙｒを前記変数として含む前記ロジスティック回帰式であること、
を特徴とする請求項１３に記載の脂肪性肝疾患の評価方法。
【請求項１５】
前記判別値算出ステップは、前記取得ステップで取得した前記アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの前記濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを前記変数として含む前記多変量判別式に基づいて、前記判別値を算出し、
前記判別値基準評価ステップは、前記判別値算出ステップで算出した前記判別値に基づいて、前記評価対象につき、前記ＮＡＦＬＤの状態を評価すること、
を特徴とする請求項１０または１１に記載の脂肪性肝疾患の評価方法。
【請求項１６】
前記判別値基準評価ステップは、前記判別値算出ステップで算出した前記判別値に基づいて、前記評価対象につき、前記ＮＡＦＬＤまたは非ＮＡＦＬＤであるか否かを判別する判別値基準判別ステップ
をさらに含むことを特徴とする請求項１５に記載の脂肪性肝疾患の評価方法。
【請求項１７】
前記多変量判別式は、Ｓｅｒ，Ｇｌｕ，Ｇｌｙ，Ｖａｌ，Ｔｙｒ，Ｈｉｓを前記変数として含む前記ロジスティック回帰式であること、
を特徴とする請求項１６に記載の脂肪性肝疾患の評価方法。
【請求項１８】
前記判別値算出ステップは、前記取得ステップで取得した前記アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの前記濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを前記変数として含む前記多変量判別式に基づいて、前記判別値を算出し、
前記判別値基準評価ステップは、前記判別値算出ステップで算出した前記判別値に基づいて、前記評価対象につき、前記脂肪肝の状態を評価すること、
を特徴とする請求項１０または１１に記載の脂肪性肝疾患の評価方法。
【請求項１９】
前記判別値基準評価ステップは、前記判別値算出ステップで算出した前記判別値に基づいて、前記評価対象につき、前記脂肪肝または非脂肪肝であるか否かを判別する判別値基準判別ステップ
をさらに含むことを特徴とする請求項１８に記載の脂肪性肝疾患の評価方法。
【請求項２０】
前記多変量判別式は、Ｓｅｒ，Ｇｌｕ，Ｇｌｙ，Ａｌａ，Ｖａｌ，Ｔｙｒを前記変数として含む前記ロジスティック回帰式であること、
を特徴とする請求項１９に記載の脂肪性肝疾患の評価方法。
【請求項２１】
前記判別値算出ステップは、前記取得ステップで取得した前記アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの前記濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを前記変数として含む前記多変量判別式に基づいて、前記判別値を算出し、
前記判別値基準評価ステップは、前記判別値算出ステップで算出した前記判別値に基づいて、前記評価対象につき、前記ＮＡＳＨおよび前記ＮＡＦＬＤの状態を評価すること、
を特徴とする請求項１０または１１に記載の脂肪性肝疾患の評価方法。
【請求項２２】
前記判別値基準評価ステップは、前記判別値算出ステップで算出した前記判別値に基づいて、前記評価対象につき、前記ＮＡＳＨ、または非ＮＡＳＨ且つ前記ＮＡＦＬＤであるか否かを判別する判別値基準判別ステップ
をさらに含むことを特徴とする請求項２１に記載の脂肪性肝疾患の評価方法。
【請求項２３】
前記多変量判別式は、Ａｓｎ，Ｇｌｎ，Ｇｌｙ，Ａｌａ，Ｃｉｔ，Ｍｅｔを前記変数として含む前記ロジスティック回帰式であること、
を特徴とする請求項２２に記載の脂肪性肝疾患の評価方法。
【請求項２４】
前記判別値基準評価ステップは、前記判別値算出ステップで算出した前記判別値に基づいて、前記評価対象につき、非ＮＡＦＬＤ、前記ＮＡＳＨ、または非ＮＡＳＨ且つ前記ＮＡＦＬＤであるか否かを判別する判別値基準判別ステップ
をさらに含むことを特徴とする請求項２１に記載の脂肪性肝疾患の評価方法。
【請求項２５】
前記多変量判別式は、Ｓｅｒ，Ｇｌｕ，Ｇｌｙ，Ｖａｌ，Ｔｙｒ，Ｈｉｓを前記変数として含む前記ロジスティック回帰式、およびＡｓｎ，Ｇｌｎ，Ｇｌｙ，Ａｌａ，Ｃｉｔ，Ｍｅｔを前記変数として含む前記ロジスティック回帰式であること、
を特徴とする請求項２４に記載の脂肪性肝疾患の評価方法。
【請求項２６】
制御手段と記憶手段とを備え、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価装置であって、
前記制御手段は、
アミノ酸の濃度値に関する予め取得した前記評価対象のアミノ酸濃度データ、および前記アミノ酸の濃度を変数として含む前記記憶手段で記憶した多変量判別式に基づいて、当該多変量判別式の値である判別値を算出する判別値算出手段と、
前記判別値算出手段で算出した前記判別値に基づいて、前記評価対象につき、前記脂肪性肝疾患の状態を評価する判別値基準評価手段と
を備えたこと、
を特徴とする脂肪性肝疾患評価装置。
【請求項２７】
制御手段と記憶手段とを備えた情報処理装置において実行される、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価方法であって、
前記制御手段において実行される、
アミノ酸の濃度値に関する予め取得した前記評価対象のアミノ酸濃度データ、および前記アミノ酸の濃度を変数として含む前記記憶手段で記憶した多変量判別式に基づいて、当該多変量判別式の値である判別値を算出する判別値算出ステップと、
前記判別値算出ステップで算出した前記判別値に基づいて、前記評価対象につき、前記脂肪性肝疾患の状態を評価する判別値基準評価ステップと
を含むこと、
を特徴とする脂肪性肝疾患評価方法。
【請求項２８】
制御手段と記憶手段とを備えた情報処理装置において実行させるための、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価プログラムであって、
前記制御手段において実行させるための、
アミノ酸の濃度値に関する予め取得した前記評価対象のアミノ酸濃度データ、および前記アミノ酸の濃度を変数として含む前記記憶手段で記憶した多変量判別式に基づいて、当該多変量判別式の値である判別値を算出する判別値算出ステップと、
前記判別値算出ステップで算出した前記判別値に基づいて、前記評価対象につき、前記脂肪性肝疾患の状態を評価する判別値基準評価ステップと
を含むこと、
を特徴とする脂肪性肝疾患評価プログラム。
【請求項２９】
制御手段と記憶手段とを備え、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価装置と、制御手段を備え、アミノ酸の濃度値に関する前記評価対象のアミノ酸濃度データを提供する情報通信端末装置とを、ネットワークを介して通信可能に接続して構成された脂肪性肝疾患評価システムであって、
前記情報通信端末装置の前記制御手段は、
前記評価対象の前記アミノ酸濃度データを前記脂肪性肝疾患評価装置へ送信するアミノ酸濃度データ送信手段と、
前記脂肪性肝疾患評価装置から送信された前記脂肪性肝疾患の状態評価に関する前記評価対象の評価結果を受信する評価結果受信手段と
を備え、
前記脂肪性肝疾患評価装置の前記制御手段は、
前記情報通信端末装置から送信された前記アミノ酸濃度データを受信するアミノ酸濃度データ受信手段と、
前記アミノ酸濃度データ受信手段で受信した前記アミノ酸濃度データ、および前記アミノ酸の濃度を変数として含む前記記憶手段で記憶した多変量判別式に基づいて、当該多変量判別式の値である判別値を算出する判別値算出手段と、
前記判別値算出手段で算出した前記判別値に基づいて、前記評価対象につき、前記脂肪性肝疾患の状態を評価する判別値基準評価手段と、
前記判別値基準評価手段での前記評価対象の前記評価結果を前記情報通信端末装置へ送信する評価結果送信手段と、
を備えたこと、
を特徴とする脂肪性肝疾患評価システム。
【請求項３０】
評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価装置とネットワークを介して通信可能に接続された、制御手段を備え、アミノ酸の濃度値に関する前記評価対象のアミノ酸濃度データを提供する情報通信端末装置であって、
前記制御手段は、
前記評価対象の前記アミノ酸濃度データを前記脂肪性肝疾患評価装置へ送信するアミノ酸濃度データ送信手段と、
前記脂肪性肝疾患評価装置から送信された前記脂肪性肝疾患の状態評価に関する前記評価対象の評価結果を受信する評価結果受信手段と
を備え、
前記評価結果は、前記肪性肝疾患評価装置が、前記情報通信端末装置から送信された前記アミノ酸濃度データを受信し、受信した前記アミノ酸濃度データ、および前記アミノ酸の濃度を変数として含む前記肪性肝疾患評価装置で記憶した多変量判別式に基づいて、当該多変量判別式の値である判別値を算出し、算出した前記判別値に基づいて、前記評価対象につき、前記脂肪性肝疾患の状態を評価した結果であること、
を特徴とする情報通信端末装置。
【請求項３１】
アミノ酸の濃度値に関する評価対象のアミノ酸濃度データを提供する情報通信端末装置とネットワークを介して通信可能に接続された、制御手段と記憶手段とを備え、前記評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価装置であって、
前記制御手段は、
前記情報通信端末装置から送信された前記アミノ酸濃度データを受信するアミノ酸濃度データ受信手段と、
前記アミノ酸濃度データ受信手段で受信した前記アミノ酸濃度データ、および前記アミノ酸の濃度を変数として含む前記記憶手段で記憶した多変量判別式に基づいて、当該多変量判別式の値である判別値を算出する判別値算出手段と、
前記判別値算出手段で算出した前記判別値に基づいて、前記評価対象につき、前記脂肪性肝疾患の状態を評価する判別値基準評価手段と、
前記判別値基準評価手段での前記評価対象の評価結果を前記情報通信端末装置へ送信する評価結果送信手段と、
を備えたこと、
を特徴とする脂肪性肝疾患評価装置。
【請求項３２】
１つ又は複数の物質から成る所望の物質群が投与された評価対象から採取した血液中のアミノ酸の濃度値に関するアミノ酸濃度データを取得する取得ステップと、
前記取得ステップで取得した前記アミノ酸濃度データに基づいて、前記評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する濃度値基準評価ステップと、
前記濃度値基準評価ステップでの評価結果に基づいて、前記所望の前記物質群が、前記脂肪性肝疾患を予防させる又は前記脂肪性肝疾患の状態を改善させるものであるか否かを判定する判定ステップと、
を含むことを特徴とする脂肪性肝疾患の予防・改善物質の探索方法。
【発明の詳細な説明】
【技術分野】
【０００１】
本発明は、血液（例えば血漿、血清などを含む）中のアミノ酸濃度を利用した脂肪性肝疾患の評価方法、脂肪性肝疾患評価装置、脂肪性肝疾患評価方法、脂肪性肝疾患評価プログラム、脂肪性肝疾患評価システム、および情報通信端末装置、ならびに脂肪性肝疾患を予防させる又は脂肪性肝疾患の状態を改善させる物質を探索する脂肪性肝疾患の予防・改善物質の探索方法に関するものである。
【背景技術】
【０００２】
ＮＡＳＨ（ｎｏｎ−ａｌｃｏｈｏｌｉｃ  ｓｔｅａｔｏｈｅｐａｔｉｔｉｓ：非アルコール性脂肪肝炎）およびＮＡＦＬＤ（ｎｏｎ−ａｌｃｏｈｏｌｉｃ  ｆａｔｔｙ  ｌｉｖｅｒ  ｄｉｓｅａｓｅ：非アルコール性脂肪性肝疾患）は、一般的に超音波診断により診断される脂肪肝（肝臓細胞中に脂肪滴が蓄積したもの）を基礎とし、アルコールの多飲歴が無く且つ肝炎ウイルスにも非感染であるにも拘わらず肝組織所見がアルコール性肝障害に類似した肝組織像を呈する肝症状である（非特許文献１）。主に大滴性の肝脂肪沈着を特徴とする肝障害はＮＡＦＬＤと呼ばれ、ＮＡＦＬＤは、更に、予後が良好な単純性脂肪肝（ｓｉｍｐｌｅ  ｓｔｅａｔｏｓｉｓ）と、進行性で最終的には肝硬変に至るＮＡＳＨとに分類される（非特許文献１）。【０００３】
歴史的には、１９８０年にＬｕｄｗｉｇが、多飲歴は無いがアルコール性肝障害を持ち肝硬変に至る症例をＮＡＳＨとして報告しており、また１９８６年にＳｃｈａｆｆｎｅｒがＮＡＦＬＤの疾患群を報告している。ＮＡＦＬＤの肝組織像に関しては、Ｍａｔｔｅｏｎｉの４型の分類（１型：単純性脂肪肝、２型：脂肪性肝炎、３型：風船様変性を伴う脂肪性肝壊死、４型：マロリー体ないしは線維化を伴う肝細胞壊死）があり、肝硬変への進展または肝関連死の頻度が高い３型および４型はＮＡＳＨとされる。また、ＮＡＳＨに関しては、線維化の程度によるＢｒｕｎｔの４分類（Ｓｔａｇｅ１：小葉中心部、Ｓｔａｇｅ２：小葉中心部から門脈域、Ｓｔａｇｅ３：架橋形成、Ｓｔａｇｅ４：肝硬変）がある。【０００４】
ＮＡＳＨおよびＮＡＦＬＤと肥満またはメタボリック・シンドロームとの相関性は強い。肥満群では、その６０〜７０％がＮＡＦＬＤの１型、その２０〜２５％がＮＡＦＬＤの３型または４型（つまりＮＡＳＨ）、そして、その２〜３％が肝硬変（つまりＮＡＳＨのＳｔａｇｅ４）である。また、ＮＡＳＨにおける、脂質代謝異常、高血圧、および高血糖の合併頻度は、各々６０％、６０％、および３０％であり、メタボリック・シンドロームの合併頻度は約５０％と高い。【０００５】
ＮＡＳＨおよびＮＡＦＬＤの基礎にある脂肪肝は、全検診受診者の２０〜３０％に見られ、メタボリック・シンドローム同様、近年増加の傾向にある。脂肪肝からＮＡＦＬＤ、そしてＮＡＳＨへという肝症状の進展に対応して、検診受診者の８％にＮＡＦＬＤが見られ、ＮＡＳＨの頻度も成人の０．５〜１％と推定される。ＮＡＳＨの予後は悪く、ＮＡＳＨでは５年間に線維化進展が２５％、また肝硬変への進展が１５％認められ、ＮＡＳＨの生存率は５年で６７％、１０年で５９％である。【０００６】
ＮＡＦＬＤおよびＮＡＳＨの発症メカニズムに関しては、先ず肝細胞への脂肪蓄積が起こり、次に酸化ストレスのような肝細胞障害要因が加わることで、発症に至るという「ｔｗｏ−ｈｉｔ  ｔｈｅｏｒｙ」が支持されている。ＮＡＦＬＤおよびＮＡＳＨの治療に関しては、肥満改善のための運動・食事療法、およびインスリン抵抗性改善薬・ビグアナイト薬・ウルソデオキシコール酸・抗高脂血症薬・抗酸化薬などを用いた薬物療法が検討されているが、コントロールを用いた療法の検討は少ない。【０００７】
ＮＡＦＬＤおよびＮＡＳＨの確定診断には、肝生検による肝組織像が必要である。しかし、肝生検は、侵襲度が高く、患者の苦痛、さらには出血などのリスクを伴うなど、患者に対する負担が大きい。そのため、全検診受診者のうち脂肪肝が認められる２０〜３０％の者を対象に肝生検を施行するのは、現実的にほぼ不可能である。【０００８】
このような現状から、先ず、肝生検に代わる侵襲の少ない簡便な方法でＮＡＳＨまたはＮＡＦＬＤの可能性が高い症例を判別し、当該判別された症例を肝生検によるＮＡＳＨ診断の施行対象および治療対象とすることが、患者の身体的負担および医療経済学の面から望まれる。【０００９】
これまで、低侵襲のＮＡＦＬＤおよびＮＡＳＨの判別法として、トランスアミナーゼ（ＡＬＴ＞ＡＳＴ）、γＧＴＰの上昇、ＡＳＴ／ＡＬＴ比の増加、ヒアルロン酸などの線維化マーカー、血小板数の減少、インスリン抵抗性を表すＨＯＭＡ指数、酸化ストレスマーカー、アデイポネクチンのようなアデイポサイトポカイン、および、高感度ＣＲＰなどが報告されている（非特許文献１および非特許文献２）。【００１０】
また、肝疾患の診断に血中アミノ酸濃度を用いる指標として、Ｆｉｓｃｈｅｒが提案したＦｉｓｃｈｅｒ比「（Ｌｅｕ＋Ｖａｌ＋Ｉｌｅ）／（Ｐｈｅ＋Ｔｙｒ）」、あるいはＦｉｓｃｈｅｒ比と同じ目的で臨床診断に用いられているＦｉｓｃｈｅｒ比を簡単にしたＢＴＲ指標「（Ｌｅｕ＋Ｖａｌ＋Ｉｌｅ）／Ｔｙｒ」がある（非特許文献３）。【００１１】
また、先行特許として、アミノ酸濃度と生体状態とを関連付ける方法に関する特許文献１、特許文献２、および特許文献３が公開されている。また、特許文献１には、血中アミノ酸を用いて肝炎を診断する方法、およびＣ型肝炎の非肝炎と肝炎の判別を目的とする指標が開示されている。また、アミノ酸の濃度を変数とする分数式からなる指標式を用いて肝疾患の病態の進行を評価する装置に関する特許文献４が公開されている。また、アミノ酸濃度を用いてメタボリック・シンドロームの状態を評価する方法に関する特許文献５や、アミノ酸濃度を用いて内臓脂肪蓄積の状態を評価する方法に関する特許文献６、アミノ酸濃度を用いて耐糖能異常の状態を評価する方法に関する特許文献７、およびアミノ酸濃度を用いて見掛け肥満、隠れ肥満、および肥満の状態を評価する方法に関する特許文献８が公開されている。
【先行技術文献】
【特許文献】
【００１２】
【特許文献１】国際公開第２００４／０５２１９１号
【特許文献２】国際公開第２００６／０９８１９２号
【特許文献３】国際公開第２００９／０５４３５１号
【特許文献４】国際公開第２００６／１２９５１３号
【特許文献５】国際公開第２００８／０１５９２９号
【特許文献６】国際公開第２００９／００１８６２号
【特許文献７】国際公開第２００９／０５４３５０号
【特許文献８】国際公開第２０１０／０９５６８２号
【非特許文献】
【００１３】
【非特許文献１】ＮＡＳＨ・ＮＡＦＬＤの診療ガイド，２０１０，日本肝臓学会編
【非特許文献２】Ａｌｉｍｅｎｔ  Ｐｈａｒｍａｃｏｌ  Ｔｈｅｒ，  ２０１１，  ３３，  ５２５-５４０
【非特許文献３】Ｆｉｓｃｈｅｒ  ＪＥ，  Ｓｕｒｇｅｒｙ，  １９７５，  ７８，２７６−２９０
【発明の概要】
【発明が解決しようとする課題】
【００１４】
しかしながら、これまで、脂肪肝、ＮＡＦＬＤ、およびＮＡＳＨと血中アミノ酸濃度との相関性に関する報告および脂肪肝、ＮＡＦＬＤ、およびＮＡＳＨの判別法への血中アミノ酸濃度の応用に関する報告はない。なお、非特許文献１および非特許文献２で報告されている判別法は診断性能が十分ではないので、当該判別法を確立した診断法として応用するのは難しい。また、非特許文献３で報告されているＦｉｓｃｈｅｒ比およびＢＴＲ指標は肝硬変における肝性脳症の診断に用いられるものであるので、Ｆｉｓｃｈｅｒ比およびＢＴＲ指標をＮＡＦＬＤまたはＮＡＳＨの診断に用いても十分な精度を得ることはできない。また、特許文献１〜８に開示されている指標式群をＮＡＦＬＤまたはＮＡＳＨの診断に用いても、診断対象が異なるので、十分な精度を得ることはできない。【００１５】
つまり、これまで、複数のアミノ酸を変数として、脂肪肝、ＮＡＦＬＤ、およびＮＡＳＨなどの脂肪性肝疾患の状態を評価する方法の開発は行われておらず、実用化されていないという問題点があった。【００１６】
本発明は、上記問題点に鑑みてなされたもので、血液中のアミノ酸の濃度を利用して、脂肪性肝疾患の状態を精度よく評価することができる脂肪性肝疾患の評価方法、脂肪性肝疾患評価装置、脂肪性肝疾患評価方法、脂肪性肝疾患評価プログラム、脂肪性肝疾患評価システム、および情報通信端末装置、ならびに、当該脂肪性肝疾患の評価方法を用いて、脂肪性肝疾患を予防させる又は脂肪性肝疾患の状態を改善させる物質を精度よく探索することができる脂肪性肝疾患の予防・改善物質の探索方法を提供することを目的とする。
【課題を解決するための手段】
【００１７】
アミノ酸は主に肝臓で代謝され、脂肪肝からＮＡＦＬＤそしてＮＡＳＨへの進行過程は糖代謝、脂質代謝、炎症反応、および酸化ストレス応答反応と強く相関していると考えられる。そのため、ＮＡＦＬＤまたはＮＡＳＨの状態の肝臓の組織像変化に対応して変動する血中アミノ酸が同定され、さらに同定された血中アミノ酸の濃度を変数とした指標式が見出されれば、脂肪肝、ＮＡＦＬＤ、およびＮＡＳＨの簡便かつ効果的な判別法として広く適用可能である。そこで、本発明者らは、上述した課題を解決するために鋭意検討した結果、血液中のアミノ酸濃度による脂肪肝、ＮＡＦＬＤ、およびＮＡＳＨの陽性群の判別に有用なアミノ酸変数を同定すると共に、同定したアミノ酸の濃度を変数に用いた、２群間の判別能を最適化するための多変量判別式（関数式、指標式）を見出し、本発明を完成するに至った。【００１８】
すなわち、上述した課題を解決し、目的を達成するために、本発明にかかる脂肪性肝疾患の評価方法は、評価対象から採取した血液中のアミノ酸の濃度値に関するアミノ酸濃度データを取得する取得ステップと、前記取得ステップで取得した前記アミノ酸濃度データに基づいて、前記評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する濃度値基準評価ステップとを含むことを特徴とする。【００１９】
また、本発明にかかる脂肪性肝疾患の評価方法は、前記の脂肪性肝疾患の評価方法において、前記濃度値基準評価ステップは、前記取得ステップで取得した前記アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの前記濃度値に基づいて、前記評価対象につき、前記ＮＡＳＨの状態を評価すること、を特徴とする。【００２０】
また、本発明にかかる脂肪性肝疾患の評価方法は、前記の脂肪性肝疾患の評価方法において、前記濃度値基準評価ステップは、前記取得ステップで取得した前記アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの前記濃度値に基づいて、前記ＮＡＳＨまたは非ＮＡＳＨであるか否かを判別する濃度値基準判別ステップをさらに含むことを特徴とする。【００２１】
また、本発明にかかる脂肪性肝疾患の評価方法は、前記の脂肪性肝疾患の評価方法において、前記濃度値基準評価ステップは、前記取得ステップで取得した前記アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの前記濃度値に基づいて、前記評価対象につき、前記ＮＡＦＬＤの状態を評価すること、を特徴とする。【００２２】
また、本発明にかかる脂肪性肝疾患の評価方法は、前記の脂肪性肝疾患の評価方法において、前記濃度値基準評価ステップは、前記取得ステップで取得した前記アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの前記濃度値に基づいて、前記評価対象につき、前記ＮＡＦＬＤまたは非ＮＡＦＬＤであるか否かを判別する濃度値基準判別ステップをさらに含むことを特徴とする。【００２３】
また、本発明にかかる脂肪性肝疾患の評価方法は、前記の脂肪性肝疾患の評価方法において、前記濃度値基準評価ステップは、前記取得ステップで取得した前記アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの前記濃度値に基づいて、前記評価対象につき、前記脂肪肝の状態を評価すること、を特徴とする。【００２４】
また、本発明にかかる脂肪性肝疾患の評価方法は、前記の脂肪性肝疾患の評価方法において、前記濃度値基準評価ステップは、前記取得ステップで取得した前記アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの前記濃度値に基づいて、前記評価対象につき、前記脂肪肝または非脂肪肝であるか否かを判別する濃度値基準判別ステップをさらに含むことを特徴とする。【００２５】
また、本発明にかかる脂肪性肝疾患の評価方法は、前記の脂肪性肝疾患の評価方法において、前記濃度値基準評価ステップは、前記取得ステップで取得した前記アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの前記濃度値に基づいて、前記評価対象につき、前記ＮＡＳＨおよび前記ＮＡＦＬＤの状態を評価すること、を特徴とする。【００２６】
また、本発明にかかる脂肪性肝疾患の評価方法は、前記の脂肪性肝疾患の評価方法において、前記濃度値基準評価ステップは、前記取得ステップで取得した前記アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの前記濃度値に基づいて、前記評価対象につき、前記ＮＡＳＨ、または非ＮＡＳＨ且つ前記ＮＡＦＬＤであるか否かを判別する濃度値基準判別ステップをさらに含むことを特徴とする。【００２７】
また、本発明にかかる脂肪性肝疾患の評価方法は、前記の脂肪性肝疾患の評価方法において、前記濃度値基準評価ステップは、前記取得ステップで取得した前記アミノ酸濃度データ、および前記アミノ酸の濃度を変数として含む予め設定した多変量判別式に基づいて、当該多変量判別式の値である判別値を算出する判別値算出ステップと、前記判別値算出ステップで算出した前記判別値に基づいて、前記評価対象につき、前記脂肪性肝疾患の状態を評価する判別値基準評価ステップとをさらに含むこと、を特徴とする。【００２８】
また、本発明にかかる脂肪性肝疾患の評価方法は、前記の脂肪性肝疾患の評価方法において、前記多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つであること、を特徴とする。【００２９】
また、本発明にかかる脂肪性肝疾患の評価方法は、前記の脂肪性肝疾患の評価方法において、前記判別値算出ステップは、前記取得ステップで取得した前記アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの前記濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを前記変数として含む前記多変量判別式に基づいて、前記判別値を算出し、前記判別値基準評価ステップは、前記判別値算出ステップで算出した前記判別値に基づいて、前記評価対象につき、前記ＮＡＳＨの状態を評価すること、を特徴とする。【００３０】
また、本発明にかかる脂肪性肝疾患の評価方法は、前記の脂肪性肝疾患の評価方法において、前記判別値基準評価ステップは、前記判別値算出ステップで算出した前記判別値に基づいて、前記評価対象につき、前記ＮＡＳＨまたは非ＮＡＳＨであるか否かを判別する判別値基準判別ステップをさらに含むことを特徴とする。【００３１】
また、本発明にかかる脂肪性肝疾患の評価方法は、前記の脂肪性肝疾患の評価方法において、前記多変量判別式は、Ｇｌｕ，Ｇｌｎ，Ｇｌｙ，Ａｌａ，Ｖａｌ，Ｔｙｒを前記変数として含む前記ロジスティック回帰式であること、を特徴とする。【００３２】
また、本発明にかかる脂肪性肝疾患の評価方法は、前記の脂肪性肝疾患の評価方法において、前記判別値算出ステップは、前記取得ステップで取得した前記アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの前記濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを前記変数として含む前記多変量判別式に基づいて、前記判別値を算出し、前記判別値基準評価ステップは、前記判別値算出ステップで算出した前記判別値に基づいて、前記評価対象につき、前記ＮＡＦＬＤの状態を評価すること、を特徴とする。【００３３】
また、本発明にかかる脂肪性肝疾患の評価方法は、前記の脂肪性肝疾患の評価方法において、前記判別値基準評価ステップは、前記判別値算出ステップで算出した前記判別値に基づいて、前記評価対象につき、前記ＮＡＦＬＤまたは非ＮＡＦＬＤであるか否かを判別する判別値基準判別ステップをさらに含むことを特徴とする。【００３４】
また、本発明にかかる脂肪性肝疾患の評価方法は、前記の脂肪性肝疾患の評価方法において、前記多変量判別式は、Ｓｅｒ，Ｇｌｕ，Ｇｌｙ，Ｖａｌ，Ｔｙｒ，Ｈｉｓを前記変数として含む前記ロジスティック回帰式であること、を特徴とする。【００３５】
また、本発明にかかる脂肪性肝疾患の評価方法は、前記の脂肪性肝疾患の評価方法において、前記判別値算出ステップは、前記取得ステップで取得した前記アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの前記濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを前記変数として含む前記多変量判別式に基づいて、前記判別値を算出し、前記判別値基準評価ステップは、前記判別値算出ステップで算出した前記判別値に基づいて、前記評価対象につき、前記脂肪肝の状態を評価すること、を特徴とする。【００３６】
また、本発明にかかる脂肪性肝疾患の評価方法は、前記の脂肪性肝疾患の評価方法において、前記判別値基準評価ステップは、前記判別値算出ステップで算出した前記判別値に基づいて、前記評価対象につき、前記脂肪肝または非脂肪肝であるか否かを判別する判別値基準判別ステップをさらに含むことを特徴とする。【００３７】
また、本発明にかかる脂肪性肝疾患の評価方法は、前記の脂肪性肝疾患の評価方法において、前記多変量判別式は、Ｓｅｒ，Ｇｌｕ，Ｇｌｙ，Ａｌａ，Ｖａｌ，Ｔｙｒを前記変数として含む前記ロジスティック回帰式であること、を特徴とする。【００３８】
また、本発明にかかる脂肪性肝疾患の評価方法は、前記の脂肪性肝疾患の評価方法において、前記判別値算出ステップは、前記取得ステップで取得した前記アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの前記濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを前記変数として含む前記多変量判別式に基づいて、前記判別値を算出し、前記判別値基準評価ステップは、前記判別値算出ステップで算出した前記判別値に基づいて、前記評価対象につき、前記ＮＡＳＨおよび前記ＮＡＦＬＤの状態を評価すること、を特徴とする。【００３９】
また、本発明にかかる脂肪性肝疾患の評価方法は、前記の脂肪性肝疾患の評価方法において、前記判別値基準評価ステップは、前記判別値算出ステップで算出した前記判別値に基づいて、前記評価対象につき、前記ＮＡＳＨ、または非ＮＡＳＨ且つ前記ＮＡＦＬＤであるか否かを判別する判別値基準判別ステップをさらに含むことを特徴とする。【００４０】
また、本発明にかかる脂肪性肝疾患の評価方法は、前記の脂肪性肝疾患の評価方法において、前記多変量判別式は、Ａｓｎ，Ｇｌｎ，Ｇｌｙ，Ａｌａ，Ｃｉｔ，Ｍｅｔを前記変数として含む前記ロジスティック回帰式であること、を特徴とする。【００４１】
また、本発明にかかる脂肪性肝疾患の評価方法は、前記の脂肪性肝疾患の評価方法において、前記判別値基準評価ステップは、前記判別値算出ステップで算出した前記判別値に基づいて、前記評価対象につき、非ＮＡＦＬＤ、前記ＮＡＳＨ、または非ＮＡＳＨ且つ前記ＮＡＦＬＤであるか否かを判別する判別値基準判別ステップをさらに含むことを特徴とする。【００４２】
また、本発明にかかる脂肪性肝疾患の評価方法は、前記の脂肪性肝疾患の評価方法において、前記多変量判別式は、Ｓｅｒ，Ｇｌｕ，Ｇｌｙ，Ｖａｌ，Ｔｙｒ，Ｈｉｓを前記変数として含む前記ロジスティック回帰式、およびＡｓｎ，Ｇｌｎ，Ｇｌｙ，Ａｌａ，Ｃｉｔ，Ｍｅｔを前記変数として含む前記ロジスティック回帰式であること、を特徴とする。【００４３】
また、本発明にかかる脂肪性肝疾患評価装置は、制御手段と記憶手段とを備え、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価装置であって、前記制御手段は、アミノ酸の濃度値に関する予め取得した前記評価対象のアミノ酸濃度データ、および前記アミノ酸の濃度を変数として含む前記記憶手段で記憶した多変量判別式に基づいて、当該多変量判別式の値である判別値を算出する判別値算出手段と、前記判別値算出手段で算出した前記判別値に基づいて、前記評価対象につき、前記脂肪性肝疾患の状態を評価する判別値基準評価手段とを備えたこと、を特徴とする。【００４４】
なお、本発明にかかる脂肪性肝疾患評価装置は、前記の脂肪性肝疾患評価装置において、前記制御手段は、前記アミノ酸濃度データと前記脂肪性肝疾患の状態を表す指標に関する脂肪性肝疾患状態指標データとを含む前記記憶手段で記憶した脂肪性肝疾患状態情報に基づいて、前記記憶手段で記憶する前記多変量判別式を作成する多変量判別式作成手段をさらに備え、前記多変量判別式作成手段は、前記脂肪性肝疾患状態情報から所定の式作成手法に基づいて、前記多変量判別式の候補である候補多変量判別式を作成する候補多変量判別式作成手段と、前記候補多変量判別式作成手段で作成した前記候補多変量判別式を、所定の検証手法に基づいて検証する候補多変量判別式検証手段と、前記候補多変量判別式検証手段での検証結果から所定の変数選択手法に基づいて前記候補多変量判別式の変数を選択することで（ただし、前記検証結果を考慮せず、前記所定の変数選択手法に基づいて前記候補多変量判別式の変数を選択してもよい。）、前記候補多変量判別式を作成する際に用いる前記脂肪性肝疾患状態情報に含まれる前記アミノ酸濃度データの組み合わせを選択する変数選択手段と、をさらに備え、前記候補多変量判別式作成手段、前記候補多変量判別式検証手段および前記変数選択手段を繰り返し実行して蓄積した前記検証結果に基づいて、複数の前記候補多変量判別式の中から前記多変量判別式として採用する前記候補多変量判別式を選出することで、前記多変量判別式を作成することを特徴としてもよい。【００４５】
また、本発明にかかる脂肪性肝疾患評価方法は、制御手段と記憶手段とを備えた情報処理装置において実行される、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価方法であって、前記制御手段において実行される、アミノ酸の濃度値に関する予め取得した前記評価対象のアミノ酸濃度データ、および前記アミノ酸の濃度を変数として含む前記記憶手段で記憶した多変量判別式に基づいて、当該多変量判別式の値である判別値を算出する判別値算出ステップと、前記判別値算出ステップで算出した前記判別値に基づいて、前記評価対象につき、前記脂肪性肝疾患の状態を評価する判別値基準評価ステップとを含むこと、を特徴とする。【００４６】
また、本発明にかかる脂肪性肝疾患評価プログラムは、制御手段と記憶手段とを備えた情報処理装置において実行させるための、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価プログラムであって、前記制御手段において実行させるための、アミノ酸の濃度値に関する予め取得した前記評価対象のアミノ酸濃度データ、および前記アミノ酸の濃度を変数として含む前記記憶手段で記憶した多変量判別式に基づいて、当該多変量判別式の値である判別値を算出する判別値算出ステップと、前記判別値算出ステップで算出した前記判別値に基づいて、前記評価対象につき、前記脂肪性肝疾患の状態を評価する判別値基準評価ステップとを含むこと、を特徴とする。【００４７】
また、本発明にかかる記録媒体は、コンピュータ読み取り可能な記録媒体であって、前記の脂肪性肝疾患評価プログラムを記録したことを特徴とする。【００４８】
また、本発明にかかる脂肪性肝疾患評価システムは、制御手段と記憶手段とを備え、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価装置と、制御手段を備え、アミノ酸の濃度値に関する前記評価対象のアミノ酸濃度データを提供する情報通信端末装置とを、ネットワークを介して通信可能に接続して構成された脂肪性肝疾患評価システムであって、前記情報通信端末装置の前記制御手段は、前記評価対象の前記アミノ酸濃度データを前記脂肪性肝疾患評価装置へ送信するアミノ酸濃度データ送信手段と、前記脂肪性肝疾患評価装置から送信された前記脂肪性肝疾患の状態評価に関する前記評価対象の評価結果を受信する評価結果受信手段とを備え、前記脂肪性肝疾患評価装置の前記制御手段は、前記情報通信端末装置から送信された前記アミノ酸濃度データを受信するアミノ酸濃度データ受信手段と、前記アミノ酸濃度データ受信手段で受信した前記アミノ酸濃度データ、および前記アミノ酸の濃度を変数として含む前記記憶手段で記憶した多変量判別式に基づいて、当該多変量判別式の値である判別値を算出する判別値算出手段と、前記判別値算出手段で算出した前記判別値に基づいて、前記評価対象につき、前記脂肪性肝疾患の状態を評価する判別値基準評価手段と、前記判別値基準評価手段での前記評価対象の前記評価結果を前記情報通信端末装置へ送信する評価結果送信手段と、を備えたこと、を特徴とする。【００４９】
また、本発明にかかる情報通信端末装置は、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価装置とネットワークを介して通信可能に接続された、制御手段を備え、アミノ酸の濃度値に関する前記評価対象のアミノ酸濃度データを提供する情報通信端末装置であって、前記制御手段は、前記評価対象の前記アミノ酸濃度データを前記脂肪性肝疾患評価装置へ送信するアミノ酸濃度データ送信手段と、前記脂肪性肝疾患評価装置から送信された前記脂肪性肝疾患の状態評価に関する前記評価対象の評価結果を受信する評価結果受信手段とを備え、前記評価結果は、前記肪性肝疾患評価装置が、前記情報通信端末装置から送信された前記アミノ酸濃度データを受信し、受信した前記アミノ酸濃度データ、および前記アミノ酸の濃度を変数として含む前記肪性肝疾患評価装置で記憶した多変量判別式に基づいて、当該多変量判別式の値である判別値を算出し、算出した前記判別値に基づいて、前記評価対象につき、前記脂肪性肝疾患の状態を評価した結果であること、を特徴とする。【００５０】
また、本発明にかかる脂肪性肝疾患評価装置は、アミノ酸の濃度値に関する評価対象のアミノ酸濃度データを提供する情報通信端末装置とネットワークを介して通信可能に接続された、制御手段と記憶手段とを備え、前記評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する脂肪性肝疾患評価装置であって、前記制御手段は、前記情報通信端末装置から送信された前記アミノ酸濃度データを受信するアミノ酸濃度データ受信手段と、前記アミノ酸濃度データ受信手段で受信した前記アミノ酸濃度データ、および前記アミノ酸の濃度を変数として含む前記記憶手段で記憶した多変量判別式に基づいて、当該多変量判別式の値である判別値を算出する判別値算出手段と、前記判別値算出手段で算出した前記判別値に基づいて、前記評価対象につき、前記脂肪性肝疾患の状態を評価する判別値基準評価手段と、前記判別値基準評価手段での前記評価対象の評価結果を前記情報通信端末装置へ送信する評価結果送信手段と、を備えたこと、を特徴とする。【００５１】
また、本発明にかかる脂肪性肝疾患の予防・改善物質の探索方法は、１つ又は複数の物質から成る所望の物質群が投与された評価対象から採取した血液中のアミノ酸の濃度値に関するアミノ酸濃度データを取得する取得ステップと、前記取得ステップで取得した前記アミノ酸濃度データに基づいて、前記評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する濃度値基準評価ステップと、前記濃度値基準評価ステップでの評価結果に基づいて、前記所望の前記物質群が、前記脂肪性肝疾患を予防させる又は前記脂肪性肝疾患の状態を改善させるものであるか否かを判定する判定ステップと、を含むことを特徴とする。
【発明の効果】
【００５２】
本発明によれば、評価対象から採取した血液中のアミノ酸の濃度値に関するアミノ酸濃度データを取得し、取得したアミノ酸濃度データに基づいて、前記評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する。これにより、血液中のアミノ酸の濃度を利用して、脂肪性肝疾患の状態を精度よく評価することができるという効果を奏する。【００５３】
また、本発明によれば、アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値に基づいて、評価対象につき、ＮＡＳＨの状態を評価する。これにより、血液中のアミノ酸の濃度のうちＮＡＳＨの状態と関連するアミノ酸の濃度を利用して、ＮＡＳＨの状態を精度よく評価することができるという効果を奏する。【００５４】
また、本発明によれば、アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値に基づいて、ＮＡＳＨまたは非ＮＡＳＨであるか否かを判別する。これにより、血液中のアミノ酸の濃度のうちＮＡＳＨと非ＮＡＳＨの２群判別に有用なアミノ酸の濃度を利用して、この２群判別を精度よく行うことができるという効果を奏する。【００５５】
また、本発明によれば、アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値に基づいて、評価対象につき、ＮＡＦＬＤの状態を評価する。これにより、血液中のアミノ酸の濃度のうちＮＡＦＬＤの状態と関連するアミノ酸の濃度を利用して、ＮＡＦＬＤの状態を精度よく評価することができるという効果を奏する。【００５６】
また、本発明によれば、アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値に基づいて、評価対象につき、ＮＡＦＬＤまたは非ＮＡＦＬＤであるか否かを判別する。これにより、血液中のアミノ酸の濃度のうちＮＡＦＬＤと非ＮＡＦＬＤの２群判別に有用なアミノ酸の濃度を利用して、この２群判別を精度よく行うことができるという効果を奏する。【００５７】
また、本発明によれば、アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値に基づいて、評価対象につき、脂肪肝の状態を評価する。これにより、血液中のアミノ酸の濃度のうち脂肪肝の状態と関連するアミノ酸の濃度を利用して、脂肪肝の状態を精度よく評価することができるという効果を奏する。【００５８】
また、本発明によれば、アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値に基づいて、評価対象につき、脂肪肝または非脂肪肝であるか否かを判別する。これにより、血液中のアミノ酸の濃度のうち脂肪肝と非脂肪肝の２群判別に有用なアミノ酸の濃度を利用して、この２群判別を精度よく行うことができるという効果を奏する。【００５９】
また、本発明によれば、アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値に基づいて、評価対象につき、ＮＡＳＨおよびＮＡＦＬＤの状態を評価する。これにより、血液中のアミノ酸の濃度のうちＮＡＳＨおよびＮＡＦＬＤの状態と関連するアミノ酸の濃度を利用して、ＮＡＳＨおよびＮＡＦＬＤの状態を精度よく評価することができるという効果を奏する。【００６０】
また、本発明によれば、アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値に基づいて、評価対象につき、ＮＡＳＨ、または非ＮＡＳＨ且つＮＡＦＬＤであるか否かを判別する。これにより、血液中のアミノ酸の濃度のうちＮＡＳＨと単純性脂肪肝の２群判別に有用なアミノ酸の濃度を利用して、この２群判別を精度よく行うことができるという効果を奏する。【００６１】
また、本発明によれば、アミノ酸濃度データ、およびアミノ酸の濃度を変数として含む予め設定した多変量判別式に基づいて、当該多変量判別式の値である判別値を算出し、算出した判別値に基づいて、評価対象につき、脂肪性肝疾患の状態を評価する。これにより、アミノ酸の濃度を変数として含む多変量判別式で得られる判別値を利用して、脂肪性肝疾患の状態を精度よく評価することができるという効果を奏する。【００６２】
また、本発明によれば、多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つである。これにより、アミノ酸の濃度を変数として含む多変量判別式で得られる判別値を利用して、脂肪性肝疾患の状態をさらに精度よく評価することができるという効果を奏する。【００６３】
また、本発明によれば、アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを変数として含む多変量判別式に基づいて、判別値を算出し、算出した判別値に基づいて、評価対象につき、ＮＡＳＨの状態を評価する。これにより、ＮＡＳＨの状態と有意な相関がある多変量判別式で得られる判別値を利用して、ＮＡＳＨの状態を精度よく評価することができるという効果を奏する。【００６４】
また、本発明によれば、判別値に基づいて、評価対象につき、ＮＡＳＨまたは非ＮＡＳＨであるか否かを判別する。これにより、ＮＡＳＨと非ＮＡＳＨの２群判別に有用な多変量判別式で得られる判別値を利用して、この２群判別を精度よく行うことができるという効果を奏する。【００６５】
また、本発明によれば、多変量判別式は、Ｇｌｕ，Ｇｌｎ，Ｇｌｙ，Ａｌａ，Ｖａｌ，Ｔｙｒを変数として含むロジスティック回帰式である。これにより、ＮＡＳＨと非ＮＡＳＨの２群判別に特に有用な多変量判別式で得られる判別値を利用して、この２群判別をさらに精度よく行うことができるという効果を奏する。【００６６】
また、本発明によれば、アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを変数として含む多変量判別式に基づいて、判別値を算出し、算出した判別値に基づいて、評価対象につき、ＮＡＦＬＤの状態を評価する。これにより、ＮＡＦＬＤの状態と有意な相関がある多変量判別式で得られる判別値を利用して、ＮＡＦＬＤの状態を精度よく評価することができるという効果を奏する。【００６７】
また、本発明によれば、判別値に基づいて、評価対象につき、ＮＡＦＬＤまたは非ＮＡＦＬＤであるか否かを判別する。これにより、ＮＡＦＬＤと非ＮＡＦＬＤの２群判別に有用な多変量判別式で得られる判別値を利用して、この２群判別を精度よく行うことができるという効果を奏する。【００６８】
また、本発明によれば、多変量判別式は、Ｓｅｒ，Ｇｌｕ，Ｇｌｙ，Ｖａｌ，Ｔｙｒ，Ｈｉｓを変数として含むロジスティック回帰式である。これにより、ＮＡＦＬＤと非ＮＡＦＬＤの２群判別に特に有用な多変量判別式で得られる判別値を利用して、この２群判別をさらに精度よく行うことができるという効果を奏する。【００６９】
また、本発明によれば、アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを変数として含む多変量判別式に基づいて、判別値を算出し、算出した判別値に基づいて、評価対象につき、脂肪肝の状態を評価する。これにより、脂肪肝の状態と有意な相関がある多変量判別式で得られる判別値を利用して、脂肪肝の状態を精度よく評価することができるという効果を奏する。【００７０】
また、本発明によれば、判別値に基づいて、評価対象につき、脂肪肝または非脂肪肝であるか否かを判別する。これにより、脂肪肝と非脂肪肝の２群判別に有用な多変量判別式で得られる判別値を利用して、この２群判別を精度よく行うことができるという効果を奏する。【００７１】
また、本発明によれば、多変量判別式は、Ｓｅｒ，Ｇｌｕ，Ｇｌｙ，Ａｌａ，Ｖａｌ，Ｔｙｒを変数として含むロジスティック回帰式である。これにより、脂肪肝と非脂肪肝の２群判別に特に有用な多変量判別式で得られる判別値を利用して、この２群判別をさらに精度よく行うことができるという効果を奏する。【００７２】
また、本発明によれば、アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出し、算出した判別値に基づいて、評価対象につき、ＮＡＳＨおよびＮＡＦＬＤの状態を評価する。これにより、ＮＡＳＨおよびＮＡＦＬＤの状態と有意な相関がある多変量判別式で得られる判別値を利用して、ＮＡＳＨおよびＮＡＦＬＤの状態を精度よく評価することができるという効果を奏する。【００７３】
また、本発明によれば、判別値に基づいて、評価対象につき、ＮＡＳＨ、または非ＮＡＳＨ且つＮＡＦＬＤであるか否かを判別する。これにより、ＮＡＳＨと単純性脂肪肝の２群判別に有用な多変量判別式で得られる判別値を利用して、この２群判別を精度よく行うことができるという効果を奏する。【００７４】
また、本発明によれば、多変量判別式は、Ａｓｎ，Ｇｌｎ，Ｇｌｙ，Ａｌａ，Ｃｉｔ，Ｍｅｔを変数として含むロジスティック回帰式である。これにより、ＮＡＳＨと単純性脂肪肝の２群判別に特に有用な多変量判別式で得られる判別値を利用して、この２群判別をさらに精度よく行うことができるという効果を奏する。【００７５】
また、本発明によれば、判別値に基づいて、評価対象につき、非ＮＡＦＬＤ、ＮＡＳＨ、または非ＮＡＳＨ且つＮＡＦＬＤであるか否かを判別する。これにより、非ＮＡＦＬＤとＮＡＳＨと単純性脂肪肝の３群判別に有用な多変量判別式で得られる判別値を利用して、この３群判別を精度よく行うことができるという効果を奏する。【００７６】
また、本発明によれば、多変量判別式は、Ｓｅｒ，Ｇｌｕ，Ｇｌｙ，Ｖａｌ，Ｔｙｒ，Ｈｉｓを変数として含むロジスティック回帰式、およびＡｓｎ，Ｇｌｎ，Ｇｌｙ，Ａｌａ，Ｃｉｔ，Ｍｅｔを変数として含むロジスティック回帰式である。これにより、非ＮＡＦＬＤとＮＡＳＨと単純性脂肪肝の３群判別に特に有用な多変量判別式で得られる判別値を利用して、この３群判別をさらに精度よく行うことができるという効果を奏する。【００７７】
なお、本発明によれば、アミノ酸濃度データと脂肪性肝疾患の状態を表す指標に関する脂肪性肝疾患状態指標データとを含む記憶手段で記憶した脂肪性肝疾患状態情報に基づいて、記憶手段で記憶する多変量判別式を作成してもよい。具体的には、（１）脂肪性肝疾患状態情報から所定の式作成手法に基づいて候補多変量判別式を作成し、（２）作成した候補多変量判別式を所定の検証手法に基づいて検証し、（３）その検証結果から所定の変数選択手法に基づいて候補多変量判別式の変数を選択することで（ただし、当該検証結果を考慮せず、所定の変数選択手法に基づいて候補多変量判別式の変数を選択してもよい。）、候補多変量判別式を作成する際に用いる脂肪性肝疾患状態情報に含まれるアミノ酸濃度データの組み合わせを選択し、（４）（１）、（２）および（３）を繰り返し実行して蓄積した検証結果に基づいて、複数の候補多変量判別式の中から多変量判別式として採用する候補多変量判別式を選出することで、多変量判別式を作成してもよい。これにより、脂肪性肝疾患の状態評価に最適な多変量判別式を作成することができるという効果を奏する。【００７８】
また、本発明によれば、当該記録媒体に記録された脂肪性肝疾患評価プログラムをコンピュータに読み取らせて実行することで、コンピュータに脂肪性肝疾患評価プログラムを実行させるので、上記と同様の効果を得ることができるという効果を奏する。【００７９】
また、本発明によれば、１つ又は複数の物質から成る所望の物質群が投与された評価対象から採取した血液中のアミノ酸の濃度値に関するアミノ酸濃度データを取得し、取得したアミノ酸濃度データに基づいて、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価し、評価結果に基づいて、所望の物質群が、脂肪性肝疾患を予防させる又は脂肪性肝疾患の状態を改善させるものであるか否かを判定するので、血液中のアミノ酸の濃度を利用して脂肪性肝疾患の状態を精度よく評価することができる脂肪性肝疾患の評価方法を用いて、脂肪性肝疾患を予防させる又は脂肪性肝疾患の状態を改善させる物質を精度よく探索することができるという効果を奏する。また、本発明によれば、脂肪性肝疾患での典型的なアミノ酸濃度変動パターンの情報や脂肪性肝疾患に対応する多変量判別式を利用することで、脂肪性肝疾患の状態を一部反映した既存の動物モデルや、臨床で早期に有効な薬物を選択することが可能になる。【００８０】
なお、本発明は、脂肪性肝疾患の状態評価を行う際、アミノ酸の濃度以外に、他の生体情報（例えば糖類・脂質・タンパク質・ペプチド・ミネラル・ホルモン等の生体代謝物や、例えば血糖値・血圧値・性別・年齢・肝疾患指標・食習慣・飲酒習慣・運動習慣・肥満度・疾患歴等の生体指標、など）をさらに用いてもかまわない。また、本発明は、脂肪性肝疾患の状態評価を行う際、多変量判別式における変数として、アミノ酸の濃度以外に、他の生体情報（例えば糖類・脂質・タンパク質・ペプチド・ミネラル・ホルモン等の生体代謝物や、例えば血糖値・血圧値・性別・年齢・肝疾患指標・食習慣・飲酒習慣・運動習慣・肥満度・疾患歴等の生体指標、など）をさらに用いてもかまわない。
【図面の簡単な説明】
【００８１】
【図１】図１は、本発明の基本原理を示す原理構成図である。
【図２】図２は、第１実施形態にかかる脂肪性肝疾患の評価方法の一例を示すフローチャートである。
【図３】図３は、本発明の基本原理を示す原理構成図である。
【図４】図４は、本システムの全体構成の一例を示す図である。
【図５】図５は、本システムの全体構成の他の一例を示す図である。
【図６】図６は、本システムの脂肪性肝疾患評価装置１００の構成の一例を示すブロック図である。
【図７】図７は、利用者情報ファイル１０６ａに格納される情報の一例を示す図である。
【図８】図８は、アミノ酸濃度データファイル１０６ｂに格納される情報の一例を示す図である。
【図９】図９は、脂肪性肝疾患状態情報ファイル１０６ｃに格納される情報の一例を示す図である。
【図１０】図１０は、指定脂肪性肝疾患状態情報ファイル１０６ｄに格納される情報の一例を示す図である。
【図１１】図１１は、候補多変量判別式ファイル１０６ｅ１に格納される情報の一例を示す図である。
【図１２】図１２は、検証結果ファイル１０６ｅ２に格納される情報の一例を示す図である。
【図１３】図１３は、選択脂肪性肝疾患状態情報ファイル１０６ｅ３に格納される情報の一例を示す図である。
【図１４】図１４は、多変量判別式ファイル１０６ｅ４に格納される情報の一例を示す図である。
【図１５】図１５は、判別値ファイル１０６ｆに格納される情報の一例を示す図である。
【図１６】図１６は、評価結果ファイル１０６ｇに格納される情報の一例を示す図である。
【図１７】図１７は、多変量判別式作成部１０２ｈの構成を示すブロック図である。
【図１８】図１８は、判別値基準評価部１０２ｊの構成を示すブロック図である。
【図１９】図１９は、本システムのクライアント装置２００の構成の一例を示すブロック図である。
【図２０】図２０は、本システムのデータベース装置４００の構成の一例を示すブロック図である。
【図２１】図２１は、本システムで行う脂肪性肝疾患評価サービス処理の一例を示すフローチャートである。
【図２２】図２２は、本システムの脂肪性肝疾患評価装置１００で行う多変量判別式作成処理の一例を示すフローチャートである。
【図２３】図２３は、本発明の基本原理を示す原理構成図である。
【図２４】図２４は、第３実施形態にかかる脂肪性肝疾患の予防・改善物質の探索方法の一例を示すフローチャートである。
【図２５】図２５は、脂肪肝陽性と脂肪肝陰性の判別について良好な判別能を持つロジスティック回帰式の一覧を示す図である。
【図２６】図２６は、脂肪肝陽性と脂肪肝陰性の判別について良好な判別能を持つロジスティック回帰式の一覧を示す図である。
【図２７】図２７は、脂肪肝陽性と脂肪肝陰性の判別について良好な判別能を持つ分数式の一覧を示す図である。
【図２８】図２８は、脂肪肝陽性と脂肪肝陰性の判別について良好な判別能を持つ分数式の一覧を示す図である。
【図２９】図２９は、ＮＡＦＬＤ陽性とＮＡＦＬＤ陰性の判別について良好な判別能を持つロジスティック回帰式の一覧を示す図である。
【図３０】図３０は、ＮＡＦＬＤ陽性とＮＡＦＬＤ陰性の判別について良好な判別能を持つロジスティック回帰式の一覧を示す図である。
【図３１】図３１は、ＮＡＦＬＤ陽性とＮＡＦＬＤ陰性の判別について良好な判別能を持つ分数式の一覧を示す図である。
【図３２】図３２は、ＮＡＦＬＤ陽性とＮＡＦＬＤ陰性の判別について良好な判別能を持つ分数式の一覧を示す図である。
【図３３】図３３は、ＮＡＳＨ陽性とＮＡＳＨ陰性の判別について良好な判別能を持つロジスティック回帰式の一覧を示す図である。
【図３４】図３４は、ＮＡＳＨ陽性とＮＡＳＨ陰性の判別について良好な判別能を持つロジスティック回帰式の一覧を示す図である。
【図３５】図３５は、ＮＡＳＨ陽性とＮＡＳＨ陰性の判別について良好な判別能を持つ分数式の一覧を示す図である。
【図３６】図３６は、ＮＡＳＨ陽性とＮＡＳＨ陰性の判別について良好な判別能を持つ分数式の一覧を示す図である。
【図３７】図３７は、ＮＡＳＨ陽性と単純性脂肪肝の判別について良好な判別能を持つロジスティック回帰式の一覧を示す図である。
【図３８】図３８は、ＮＡＳＨ陽性と単純性脂肪肝の判別について良好な判別能を持つロジスティック回帰式の一覧を示す図である。
【図３９】図３９は、ＮＡＳＨ陽性と単純性脂肪肝の判別について良好な判別能を持つ分数式の一覧を示す図である。
【図４０】図４０は、ＮＡＳＨ陽性と単純性脂肪肝の判別について良好な判別能を持つ分数式の一覧を示す図である。
【図４１】図４１は、ＮＡＦＬＤ陰性と単純性脂肪肝とＮＡＳＨ陽性の判別についての判別結果を示す図である。
【図４２】図４２は、ＮＡＦＬＤ陰性と単純性脂肪肝とＮＡＳＨ陽性の判別についての判別結果の詳細を示す図である。
【発明を実施するための形態】
【００８２】
以下に、本発明にかかる脂肪性肝疾患の評価方法の実施の形態（第１実施形態）、本発明にかかる脂肪性肝疾患評価装置、脂肪性肝疾患評価方法、脂肪性肝疾患評価プログラム、記録媒体、脂肪性肝疾患評価システム、および情報通信端末装置の実施の形態（第２実施形態）、ならびに本発明にかかる脂肪性肝疾患の予防・改善物質の探索方法の実施の形態（第３実施形態）を、図面に基づいて詳細に説明する。なお、本実施の形態により本発明が限定されるものではない。
【００８３】
［第１実施形態］
［１−１．本発明の概要］
ここでは、本発明にかかる脂肪性肝疾患の評価方法の概要について図１を参照して説明する。図１は本発明の基本原理を示す原理構成図である。
【００８４】
まず、評価対象（例えば動物やヒトなどの個体）から採取した血液（例えば血漿、血清などを含む）中のアミノ酸の濃度値に関するアミノ酸濃度データを取得する（ステップＳ１１）。なお、ステップＳ１１では、例えば、アミノ酸濃度測定を行う企業等が測定したアミノ酸濃度データを取得してもよく、また、評価対象から採取した血液から、例えば以下の（Ａ）または（Ｂ）などの測定方法でアミノ酸濃度データを測定することでアミノ酸濃度データを取得してもよい。ここで、アミノ酸濃度の単位は、例えばモル濃度や重量濃度、これらの濃度に任意の定数を加減乗除することで得られるものでもよい。
（Ａ）採取した血液サンプルを遠心することにより血液から血漿を分離した。全ての血漿サンプルは、アミノ酸濃度の測定時まで−８０℃で凍結保存した。アミノ酸濃度測定時には、アセトニトリルを添加し除蛋白処理を行った後、標識試薬（３−アミノピリジル−Ｎ−ヒドロキシスクシンイミジルカルバメート）を用いてプレカラム誘導体化を行い、そして、液体クロマトグラフ質量分析計（ＬＣ−ＭＳ）によりアミノ酸濃度を分析した（国際公開第２００３／０６９３２８号、国際公開第２００５／１１６６２９号を参照）。
（Ｂ）採取した血液サンプルを遠心することにより血液から血漿を分離した。全ての血漿サンプルは、アミノ酸濃度の測定時まで−８０℃で凍結保存した。アミノ酸濃度測定時には、スルホサリチル酸を添加し除蛋白処理を行った後、ニンヒドリン試薬を用いたポストカラム誘導体化法を原理としたアミノ酸分析計によりアミノ酸濃度を分析した。
【００８５】
つぎに、ステップＳ１１で取得したアミノ酸濃度データに基づいて、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する（ステップＳ１２）。
【００８６】
以上、本発明によれば、評価対象から採取した血液中のアミノ酸の濃度値に関するアミノ酸濃度データを取得し、取得した評価対象のアミノ酸濃度データに基づいて、評価対象につき、脂肪肝、ＮＡＦＬＤ、およびＮＡＳＨのうち少なくとも１つを含む脂肪性肝疾患の状態を評価する。これにより、血液中のアミノ酸の濃度を利用して、脂肪性肝疾患の状態を精度よく評価することができる。
【００８７】
ここで、ステップＳ１２を実行する前に、ステップＳ１１で取得したアミノ酸濃度データから欠損値や外れ値などのデータを除去してもよい。これにより、脂肪性肝疾患の状態をさらに精度よく評価することができる。
【００８８】
また、ステップＳ１２では、ステップＳ１１で取得したアミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値に基づいて、評価対象につき、ＮＡＳＨの状態を評価してもよい。これにより、血液中のアミノ酸の濃度のうちＮＡＳＨの状態と関連するアミノ酸の濃度を利用して、ＮＡＳＨの状態を精度よく評価することができる。具体的には、アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値に基づいて、ＮＡＳＨまたは非ＮＡＳＨであるか否かを判別してもよい。これにより、血液中のアミノ酸の濃度のうちＮＡＳＨと非ＮＡＳＨの２群判別に有用なアミノ酸の濃度を利用して、この２群判別を精度よく行うことができる。
【００８９】
また、ステップＳ１２では、ステップＳ１１で取得したアミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値に基づいて、評価対象につき、ＮＡＦＬＤの状態を評価してもよい。これにより、血液中のアミノ酸の濃度のうちＮＡＦＬＤの状態と関連するアミノ酸の濃度を利用して、ＮＡＦＬＤの状態を精度よく評価することができる。具体的には、アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値に基づいて、評価対象につき、ＮＡＦＬＤまたは非ＮＡＦＬＤであるか否かを判別してもよい。これにより、血液中のアミノ酸の濃度のうちＮＡＦＬＤと非ＮＡＦＬＤの２群判別に有用なアミノ酸の濃度を利用して、この２群判別を精度よく行うことができる。
【００９０】
また、ステップＳ１２では、ステップＳ１１で取得したアミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値に基づいて、評価対象につき、脂肪肝の状態を評価してもよい。これにより、血液中のアミノ酸の濃度のうち脂肪肝の状態と関連するアミノ酸の濃度を利用して、脂肪肝の状態を精度よく評価することができる。具体的には、アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値に基づいて、評価対象につき、脂肪肝または非脂肪肝であるか否かを判別してもよい。これにより、血液中のアミノ酸の濃度のうち脂肪肝と非脂肪肝の２群判別に有用なアミノ酸の濃度を利用して、この２群判別を精度よく行うことができる。
【００９１】
また、ステップＳ１２では、ステップＳ１１で取得したアミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値に基づいて、評価対象につき、ＮＡＳＨおよびＮＡＦＬＤの状態を評価してもよい。これにより、血液中のアミノ酸の濃度のうちＮＡＳＨおよびＮＡＦＬＤの状態と関連するアミノ酸の濃度を利用して、ＮＡＳＨおよびＮＡＦＬＤの状態を精度よく評価することができる。具体的には、アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値に基づいて、評価対象につき、ＮＡＳＨ、または非ＮＡＳＨ且つＮＡＦＬＤであるか否かを判別してもよい。これにより、血液中のアミノ酸の濃度のうちＮＡＳＨと単純性脂肪肝の２群判別に有用なアミノ酸の濃度を利用して、この２群判別を精度よく行うことができる。
【００９２】
また、ステップＳ１２では、ステップＳ１１で取得したアミノ酸濃度データ、およびアミノ酸の濃度を変数として含む予め設定した多変量判別式に基づいて、当該多変量判別式の値である判別値を算出し、算出した判別値に基づいて、評価対象につき、脂肪性肝疾患の状態を評価してもよい。これにより、アミノ酸の濃度を変数として含む多変量判別式で得られる判別値を利用して、脂肪性肝疾患の状態を精度よく評価することができる。
【００９３】
なお、多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つでもよい。これにより、アミノ酸の濃度を変数として含む多変量判別式で得られる判別値を利用して、脂肪性肝疾患の状態をさらに精度よく評価することができる。
【００９４】
また、ステップＳ１２では、ステップＳ１１で取得したアミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを変数として含む多変量判別式に基づいて、判別値を算出し、算出した判別値に基づいて、評価対象につき、ＮＡＳＨの状態を評価してもよい。これにより、ＮＡＳＨの状態と有意な相関がある多変量判別式で得られる判別値を利用して、ＮＡＳＨの状態を精度よく評価することができる。具体的には、判別値に基づいて、評価対象につき、ＮＡＳＨまたは非ＮＡＳＨであるか否かを判別してもよい。これにより、ＮＡＳＨと非ＮＡＳＨの２群判別に有用な多変量判別式で得られる判別値を利用して、この２群判別を精度よく行うことができる。なお、多変量判別式は、Ｇｌｕ，Ｇｌｎ，Ｇｌｙ，Ａｌａ，Ｖａｌ，Ｔｙｒを変数として含むロジスティック回帰式でもよい。これにより、ＮＡＳＨと非ＮＡＳＨの２群判別に特に有用な多変量判別式で得られる判別値を利用して、この２群判別をさらに精度よく行うことができる。
【００９５】
また、ステップＳ１２では、ステップＳ１１で取得したアミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを変数として含む多変量判別式に基づいて、判別値を算出し、算出した判別値に基づいて、評価対象につき、ＮＡＦＬＤの状態を評価してもよい。これにより、ＮＡＦＬＤの状態と有意な相関がある多変量判別式で得られる判別値を利用して、ＮＡＦＬＤの状態を精度よく評価することができる。具体的には、判別値に基づいて、評価対象につき、ＮＡＦＬＤまたは非ＮＡＦＬＤであるか否かを判別してもよい。これにより、ＮＡＦＬＤと非ＮＡＦＬＤの２群判別に有用な多変量判別式で得られる判別値を利用して、この２群判別を精度よく行うことができる。なお、多変量判別式は、Ｓｅｒ，Ｇｌｕ，Ｇｌｙ，Ｖａｌ，Ｔｙｒ，Ｈｉｓを変数として含むロジスティック回帰式でもよい。これにより、ＮＡＦＬＤと非ＮＡＦＬＤの２群判別に特に有用な多変量判別式で得られる判別値を利用して、この２群判別をさらに精度よく行うことができる。
【００９６】
また、ステップＳ１２では、ステップＳ１１で取得したアミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを変数として含む多変量判別式に基づいて、判別値を算出し、算出した判別値に基づいて、評価対象につき、脂肪肝の状態を評価してもよい。これにより、脂肪肝の状態と有意な相関がある多変量判別式で得られる判別値を利用して、脂肪肝の状態を精度よく評価することができる。具体的には、判別値に基づいて、評価対象につき、脂肪肝または非脂肪肝であるか否かを判別してもよい。これにより、脂肪肝と非脂肪肝の２群判別に有用な多変量判別式で得られる判別値を利用して、この２群判別を精度よく行うことができる。なお、多変量判別式は、Ｓｅｒ，Ｇｌｕ，Ｇｌｙ，Ａｌａ，Ｖａｌ，Ｔｙｒを変数として含むロジスティック回帰式でもよい。これにより、脂肪肝と非脂肪肝の２群判別に特に有用な多変量判別式で得られる判別値を利用して、この２群判別をさらに精度よく行うことができる。
【００９７】
また、ステップＳ１２では、ステップＳ１１で取得したアミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出し、算出した判別値に基づいて、評価対象につき、ＮＡＳＨおよびＮＡＦＬＤの状態を評価してもよい。これにより、ＮＡＳＨおよびＮＡＦＬＤの状態と有意な相関がある多変量判別式で得られる判別値を利用して、ＮＡＳＨおよびＮＡＦＬＤの状態を精度よく評価することができる。具体的には、判別値に基づいて、評価対象につき、ＮＡＳＨ、または「非ＮＡＳＨ且つＮＡＦＬＤ」（単純性脂肪肝）であるか否かを判別してもよい。これにより、ＮＡＳＨと単純性脂肪肝の２群判別に有用な多変量判別式で得られる判別値を利用して、この２群判別を精度よく行うことができる。なお、多変量判別式は、Ａｓｎ，Ｇｌｎ，Ｇｌｙ，Ａｌａ，Ｃｉｔ，Ｍｅｔを変数として含むロジスティック回帰式でもよい。これにより、ＮＡＳＨと単純性脂肪肝の２群判別に特に有用な多変量判別式で得られる判別値を利用して、この２群判別をさらに精度よく行うことができる。また、具体的には、判別値に基づいて、評価対象につき、非ＮＡＦＬＤ、ＮＡＳＨ、または「非ＮＡＳＨ且つＮＡＦＬＤ」であるか否かを判別してもよい。これにより、非ＮＡＦＬＤとＮＡＳＨと単純性脂肪肝の３群判別に有用な多変量判別式で得られる判別値を利用して、この３群判別を精度よく行うことができる。なお、多変量判別式は、Ｓｅｒ，Ｇｌｕ，Ｇｌｙ，Ｖａｌ，Ｔｙｒ，Ｈｉｓを変数として含むロジスティック回帰式、およびＡｓｎ，Ｇｌｎ，Ｇｌｙ，Ａｌａ，Ｃｉｔ，Ｍｅｔを変数として含むロジスティック回帰式でもよい。これにより、非ＮＡＦＬＤとＮＡＳＨと単純性脂肪肝の３群判別に特に有用な多変量判別式で得られる判別値を利用して、この３群判別をさらに精度よく行うことができる。
【００９８】
ここで、上記した各多変量判別式は、本出願人による国際出願である国際公開第２００４／０５２１９１号に記載の方法または本出願人による国際出願である国際公開第２００６／０９８１９２号に記載の方法（後述する第２実施形態に記載の多変量判別式作成処理）で作成してもよい。なお、これら方法で得られた多変量判別式であれば、入力データとしてのアミノ酸濃度データにおけるアミノ酸濃度の単位に因らず、当該多変量判別式を脂肪性肝疾患の状態評価に好適に用いることができる。
【００９９】
また、多変量判別式とは、一般に多変量解析で用いられる式の形式を意味し、例えば分数式、重回帰式、多重ロジスティック回帰式、線形判別関数、マハラノビス距離、正準判別関数、サポートベクターマシン、決定木などを包含する。また、異なる形式の多変量判別式の和で示されるような式も含まれる。また、重回帰式、多重ロジスティック回帰式、正準判別関数においては各変数に係数および定数項が付加されるが、この場合の係数および定数項は、好ましくは実数であること、より好ましくはデータから判別を行うために得られた係数および定数項の９９％信頼区間の範囲に属する値、さらに好ましくはデータから判別を行うために得られた係数および定数項の９５％信頼区間の範囲に属する値であればかまわない。また、各係数の値、及びその信頼区間は、それを実数倍したものでもよく、定数項の値、及びその信頼区間は、それに任意の実定数を加減乗除したものでもよい。ロジスティック回帰、線形判別、重回帰分析などの表示式を指標に用いる場合、表示式の線形変換（定数の加算、定数倍）や単調増加（減少）の変換（例えばｌｏｇｉｔ変換など）は判別性能を変えるものではなく同等であるので、表示式はそれらを含むものである。
【０１００】
なお、分数式とは、当該分数式の分子がアミノ酸Ａ，Ｂ，Ｃ，・・・の和で表わされ及び／又は当該分数式の分母がアミノ酸ａ，ｂ，ｃ，・・・の和で表わされるものである。また、分数式には、このような構成の分数式α，β，γ，・・・の和（例えばα＋βのようなもの）も含まれる。また、分数式には、分割された分数式も含まれる。なお、分子や分母に用いられるアミノ酸にはそれぞれ適当な係数がついてもかまわない。また、分子や分母に用いられるアミノ酸は重複してもかまわない。また、各分数式に適当な係数がついてもかまわない。また、各変数の係数の値や定数項の値は、実数であればかまわない。分数式で、分子の変数と分母の変数を入れ替えた組み合わせは、目的変数との相関の正負の符号は概して逆転するが、それらの相関性は保たれるので、判別性では同等と見なせるので、分子の変数と分母の変数を入れ替えた組み合わせも、包含するものである。
【０１０１】
そして、本発明は、脂肪性肝疾患の状態評価を行う際、アミノ酸の濃度以外に、他の生体情報（例えば糖類・脂質・タンパク質・ペプチド・ミネラル・ホルモン等の生体代謝物や、例えば血糖値・血圧値・性別・年齢・肝疾患指標・食習慣・飲酒習慣・運動習慣・肥満度・疾患歴等の生体指標、など）をさらに用いてもかまわない。また、本発明は、脂肪性肝疾患の状態評価を行う際、多変量判別式における変数として、アミノ酸の濃度以外に、他の生体情報（例えば糖類・脂質・タンパク質・ペプチド・ミネラル・ホルモン等の生体代謝物や、例えば血糖値・血圧値・性別・年齢・肝疾患指標・食習慣・飲酒習慣・運動習慣・肥満度・疾患歴等の生体指標、など）をさらに用いてもかまわない。
【０１０２】
［１−２．第１実施形態にかかる脂肪性肝疾患の評価方法］
ここでは、第１実施形態にかかる脂肪性肝疾患の評価方法について図２を参照して説明する。図２は、第１実施形態にかかる脂肪性肝疾患の評価方法の一例を示すフローチャートである。
【０１０３】
まず、動物やヒトなどの個体から採取した血液中のアミノ酸の濃度値に関するアミノ酸濃度データを取得する（ステップＳＡ１１）。なお、ステップＳＡ１１では、例えば、アミノ酸濃度測定を行う企業等が測定したアミノ酸濃度データを取得してもよく、また、評価対象から採取した血液から例えば上述した（Ａ）または（Ｂ）などの測定方法でアミノ酸濃度データを測定することでアミノ酸濃度データを取得してもよい。
【０１０４】
つぎに、ステップＳＡ１１で取得した個体のアミノ酸濃度データから欠損値や外れ値などのデータを除去する（ステップＳＡ１２）。
【０１０５】
つぎに、ステップＳＡ１２で欠損値や外れ値などのデータが除去された個体のアミノ酸濃度データに基づいて、個体につき、以下に示す１１．〜１５．の判別のいずれか１つを実行する（ステップＳＡ１３）。
【０１０６】
１１．ＮＡＳＨと非ＮＡＳＨの判別
（ｉ）アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値と予め設定された閾値（カットオフ値）とを比較することで、個体につき、ＮＡＳＨまたは非ＮＡＳＨであるか否かを判別する、または、（ｉｉ）アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを変数として含む多変量判別式に基づいて、判別値を算出し、算出した判別値と予め設定された閾値（カットオフ値）とを比較することで、個体につき、ＮＡＳＨまたは非ＮＡＳＨであるか否かを判別する。
【０１０７】
１２．ＮＡＦＬＤと非ＮＡＦＬＤの判別
（ｉ）アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値と予め設定された閾値（カットオフ値）とを比較することで、個体につき、ＮＡＦＬＤまたは非ＮＡＦＬＤであるか否かを判別する、または、（ｉｉ）アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを変数として含む多変量判別式に基づいて、判別値を算出し、算出した判別値と予め設定された閾値（カットオフ値）とを比較することで、個体につき、ＮＡＦＬＤまたは非ＮＡＦＬＤであるか否かを判別する。
【０１０８】
１３．脂肪肝と非脂肪肝の判別
（ｉ）アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値と予め設定された閾値（カットオフ値）とを比較することで、個体につき、脂肪肝または非脂肪肝であるか否かを判別する、または、（ｉｉ）アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを変数として含む多変量判別式に基づいて、判別値を算出し、算出した判別値と予め設定された閾値（カットオフ値）とを比較することで、個体につき、脂肪肝または非脂肪肝であるか否かを判別する。
【０１０９】
１４．ＮＡＳＨと単純性脂肪肝の判別
（ｉ）アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値と予め設定された閾値（カットオフ値）とを比較することで、個体につき、ＮＡＳＨまたは単純性脂肪肝（非ＮＡＳＨ且つＮＡＦＬＤ）であるか否かを判別する、または、（ｉｉ）アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出し、算出した判別値と予め設定された閾値（カットオフ値）とを比較することで、個体につき、ＮＡＳＨまたは単純性脂肪肝（非ＮＡＳＨ且つＮＡＦＬＤ）であるか否かを判別する。
【０１１０】
１５．ＮＡＳＨと単純性脂肪肝と非ＮＡＦＬＤの判別
アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出し、算出した判別値と予め設定された閾値（カットオフ値）とを比較することで、個体につき、非ＮＡＦＬＤ、ＮＡＳＨ、または単純性脂肪肝（非ＮＡＳＨ且つＮＡＦＬＤ）であるか否かを判別する。
【０１１１】
［１−３．第１実施形態のまとめ、およびその他の実施形態］
以上、詳細に説明したように、第１実施形態にかかる脂肪性肝疾患の評価方法によれば、（ｉ）個体から採取した血液中のアミノ酸濃度データを取得し、（ｉｉ）取得した個体のアミノ酸濃度データから欠損値や外れ値などのデータを除去し、（ｉｉｉ）欠損値や外れ値などのデータが除去された個体のアミノ酸濃度データに基づいて、個体につき、上述した１１．〜１５．の判別のいずれか１つを実行する。これにより、血液中のアミノ酸の濃度のうち、ＮＡＳＨと非ＮＡＳＨの２群判別、ＮＡＦＬＤと非ＮＡＦＬＤの２群判別、脂肪肝と非脂肪肝の２群判別、またはＮＡＳＨと単純性脂肪肝の２群判別に有用なアミノ酸の濃度を利用して、これらの２群判別を精度よく行うことができる。また、ＮＡＳＨと非ＮＡＳＨの２群判別、ＮＡＦＬＤと非ＮＡＦＬＤの２群判別、脂肪肝と非脂肪肝の２群判別、ＮＡＳＨと単純性脂肪肝の２群判別、または非ＮＡＦＬＤとＮＡＳＨと単純性脂肪肝の３群判別に有用な多変量判別式で得られる判別値を利用して、これらの２群判別または３群判別を精度よく行うことができる。
【０１１２】
ここで、ステップＳＡ１３で用いられる多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つでもよい。これにより、ＮＡＳＨと非ＮＡＳＨの２群判別、ＮＡＦＬＤと非ＮＡＦＬＤの２群判別、脂肪肝と非脂肪肝の２群判別、ＮＡＳＨと単純性脂肪肝の２群判別、または非ＮＡＦＬＤとＮＡＳＨと単純性脂肪肝の３群判別に有用な多変量判別式で得られる判別値を利用して、これらの２群判別または３群判別をさらに精度よく行うことができる。
【０１１３】
具体的には、上述した１１．の判別で用いられる多変量判別式は、Ｇｌｕ，Ｇｌｎ，Ｇｌｙ，Ａｌａ，Ｖａｌ，Ｔｙｒを変数として含むロジスティック回帰式でもよい。これにより、ＮＡＳＨと非ＮＡＳＨの２群判別に特に有用な多変量判別式で得られる判別値を利用して、この２群判別をさらに精度よく行うことができる。また、上述した１２．の判別で用いられる多変量判別式は、Ｓｅｒ，Ｇｌｕ，Ｇｌｙ，Ｖａｌ，Ｔｙｒ，Ｈｉｓを変数として含むロジスティック回帰式でもよい。これにより、ＮＡＦＬＤと非ＮＡＦＬＤの２群判別に特に有用な多変量判別式で得られる判別値を利用して、この２群判別をさらに精度よく行うことができる。また、上述した１３．の判別で用いられる多変量判別式は、Ｓｅｒ，Ｇｌｕ，Ｇｌｙ，Ａｌａ，Ｖａｌ，Ｔｙｒを変数として含むロジスティック回帰式でもよい。これにより、脂肪肝と非脂肪肝の２群判別に特に有用な多変量判別式で得られる判別値を利用して、この２群判別をさらに精度よく行うことができる。また、上述した１４．の判別で用いられる多変量判別式は、Ａｓｎ，Ｇｌｎ，Ｇｌｙ，Ａｌａ，Ｃｉｔ，Ｍｅｔを変数として含むロジスティック回帰式でもよい。これにより、ＮＡＳＨと単純性脂肪肝の２群判別に特に有用な多変量判別式で得られる判別値を利用して、この２群判別をさらに精度よく行うことができる。また、上述した１５．の判別で用いられる多変量判別式は、Ｓｅｒ，Ｇｌｕ，Ｇｌｙ，Ｖａｌ，Ｔｙｒ，Ｈｉｓを変数として含むロジスティック回帰式、およびＡｓｎ，Ｇｌｎ，Ｇｌｙ，Ａｌａ，Ｃｉｔ，Ｍｅｔを変数として含むロジスティック回帰式でもよい。これにより、非ＮＡＦＬＤとＮＡＳＨと単純性脂肪肝の３群判別に特に有用な多変量判別式で得られる判別値を利用して、この３群判別をさらに精度よく行うことができる。
【０１１４】
なお、上記した各多変量判別式は、本出願人による国際出願である国際公開第２００４／０５２１９１号に記載の方法または本出願人による国際出願である国際公開第２００６／０９８１９２号に記載の方法（後述する第２実施形態に記載の多変量判別式作成処理）で作成してもよい。なお、これら方法で得られた多変量判別式であれば、入力データとしてのアミノ酸濃度データにおけるアミノ酸濃度の単位に因らず、当該多変量判別式を脂肪性肝疾患の状態評価に好適に用いることができる。
【０１１５】
［第２実施形態］
［２−１．本発明の概要］
ここでは、本発明にかかる脂肪性肝疾患評価装置、脂肪性肝疾患評価方法、脂肪性肝疾患評価プログラム、記録媒体、脂肪性肝疾患評価システム、および情報通信端末装置の概要について、図３を参照して説明する。図３は本発明の基本原理を示す原理構成図である。
【０１１６】
まず、本発明は、制御部で、アミノ酸の濃度値に関する予め取得した評価対象（例えば動物やヒトなどの個体）のアミノ酸濃度データ、およびアミノ酸の濃度を変数する記憶部で記憶した多変量判別式に基づいて、当該多変量判別式の値である判別値を算出する（ステップＳ２１）。
【０１１７】
つぎに、本発明は、制御部で、ステップＳ２１で算出した判別値に基づいて、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する（ステップＳ２２）。
【０１１８】
以上、本発明によれば、評価対象のアミノ酸濃度データ、およびアミノ酸の濃度を変数として含む多変量判別式に基づいて、当該多変量判別式の値である判別値を算出し、算出した判別値に基づいて、評価対象につき、脂肪肝、ＮＡＦＬＤ、およびＮＡＳＨのうち少なくとも１つを含む脂肪性肝疾患の状態を評価する。これにより、アミノ酸の濃度を変数として含む多変量判別式で得られる判別値を利用して、脂肪性肝疾患の状態を精度よく評価することができる。
【０１１９】
なお、多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つでもよい。これにより、アミノ酸の濃度を変数として含む多変量判別式で得られる判別値を利用して、脂肪性肝疾患の状態をさらに精度よく評価することができる。
【０１２０】
また、ステップＳ２１では、アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを変数として含む多変量判別式に基づいて、判別値を算出し、ステップＳ２２では、ステップＳ２１で算出した判別値に基づいて、評価対象につき、ＮＡＳＨの状態を評価してもよい。これにより、ＮＡＳＨの状態と有意な相関がある多変量判別式で得られる判別値を利用して、ＮＡＳＨの状態を精度よく評価することができる。具体的には、判別値に基づいて、評価対象につき、ＮＡＳＨまたは非ＮＡＳＨであるか否かを判別してもよい。これにより、ＮＡＳＨと非ＮＡＳＨの２群判別に有用な多変量判別式で得られる判別値を利用して、この２群判別を精度よく行うことができる。なお、多変量判別式は、Ｇｌｕ，Ｇｌｎ，Ｇｌｙ，Ａｌａ，Ｖａｌ，Ｔｙｒを変数として含むロジスティック回帰式でもよい。これにより、ＮＡＳＨと非ＮＡＳＨの２群判別に特に有用な多変量判別式で得られる判別値を利用して、この２群判別をさらに精度よく行うことができる。
【０１２１】
また、ステップＳ２１では、アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを変数として含む多変量判別式に基づいて、判別値を算出し、ステップＳ２２では、ステップＳ２１で算出した判別値に基づいて、評価対象につき、ＮＡＦＬＤの状態を評価してもよい。これにより、ＮＡＦＬＤの状態と有意な相関がある多変量判別式で得られる判別値を利用して、ＮＡＦＬＤの状態を精度よく評価することができる。具体的には、判別値に基づいて、評価対象につき、ＮＡＦＬＤまたは非ＮＡＦＬＤであるか否かを判別してもよい。これにより、ＮＡＦＬＤと非ＮＡＦＬＤの２群判別に有用な多変量判別式で得られる判別値を利用して、この２群判別を精度よく行うことができる。なお、多変量判別式は、Ｓｅｒ，Ｇｌｕ，Ｇｌｙ，Ｖａｌ，Ｔｙｒ，Ｈｉｓを変数として含むロジスティック回帰式でもよい。これにより、ＮＡＦＬＤと非ＮＡＦＬＤの２群判別に特に有用な多変量判別式で得られる判別値を利用して、この２群判別をさらに精度よく行うことができる。
【０１２２】
また、ステップＳ２１では、アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを変数として含む多変量判別式に基づいて、判別値を算出し、ステップＳ２２では、ステップＳ２１で算出した判別値に基づいて、評価対象につき、脂肪肝の状態を評価してもよい。これにより、脂肪肝の状態と有意な相関がある多変量判別式で得られる判別値を利用して、脂肪肝の状態を精度よく評価することができる。具体的には、判別値に基づいて、評価対象につき、脂肪肝または非脂肪肝であるか否かを判別してもよい。これにより、脂肪肝と非脂肪肝の２群判別に有用な多変量判別式で得られる判別値を利用して、この２群判別を精度よく行うことができる。なお、多変量判別式は、Ｓｅｒ，Ｇｌｕ，Ｇｌｙ，Ａｌａ，Ｖａｌ，Ｔｙｒを変数として含むロジスティック回帰式でもよい。これにより、脂肪肝と非脂肪肝の２群判別に特に有用な多変量判別式で得られる判別値を利用して、この２群判別をさらに精度よく行うことができる。
【０１２３】
また、ステップＳ２１では、アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出し、ステップＳ２２では、ステップＳ２１で算出した判別値に基づいて、評価対象につき、ＮＡＳＨおよびＮＡＦＬＤの状態を評価してもよい。これにより、ＮＡＳＨおよびＮＡＦＬＤの状態と有意な相関がある多変量判別式で得られる判別値を利用して、ＮＡＳＨおよびＮＡＦＬＤの状態を精度よく評価することができる。具体的には、判別値に基づいて、評価対象につき、ＮＡＳＨ、または「非ＮＡＳＨ且つＮＡＦＬＤ」（単純性脂肪肝）であるか否かを判別してもよい。これにより、ＮＡＳＨと単純性脂肪肝の２群判別に有用な多変量判別式で得られる判別値を利用して、この２群判別を精度よく行うことができる。なお、多変量判別式は、Ａｓｎ，Ｇｌｎ，Ｇｌｙ，Ａｌａ，Ｃｉｔ，Ｍｅｔを変数として含むロジスティック回帰式でもよい。これにより、ＮＡＳＨと単純性脂肪肝の２群判別に特に有用な多変量判別式で得られる判別値を利用して、この２群判別をさらに精度よく行うことができる。また、具体的には、判別値に基づいて、評価対象につき、非ＮＡＦＬＤ、ＮＡＳＨ、または「非ＮＡＳＨ且つＮＡＦＬＤ」であるか否かを判別してもよい。これにより、非ＮＡＦＬＤとＮＡＳＨと単純性脂肪肝の３群判別に有用な多変量判別式で得られる判別値を利用して、この３群判別を精度よく行うことができる。なお、多変量判別式は、Ｓｅｒ，Ｇｌｕ，Ｇｌｙ，Ｖａｌ，Ｔｙｒ，Ｈｉｓを変数として含むロジスティック回帰式、およびＡｓｎ，Ｇｌｎ，Ｇｌｙ，Ａｌａ，Ｃｉｔ，Ｍｅｔを変数として含むロジスティック回帰式でもよい。これにより、非ＮＡＦＬＤとＮＡＳＨと単純性脂肪肝の３群判別に特に有用な多変量判別式で得られる判別値を利用して、この３群判別をさらに精度よく行うことができる。
【０１２４】
ここで、上記した各多変量判別式は、本出願人による国際出願である国際公開第２００４／０５２１９１号に記載の方法または本出願人による国際出願である国際公開第２００６／０９８１９２号に記載の方法（後述する多変量判別式作成処理）で作成してもよい。なお、これら方法で得られた多変量判別式であれば、入力データとしてのアミノ酸濃度データにおけるアミノ酸濃度の単位に因らず、当該多変量判別式を脂肪性肝疾患の状態評価に好適に用いることができる。
【０１２５】
また、多変量判別式とは、一般に多変量解析で用いられる式の形式を意味し、例えば分数式、重回帰式、多重ロジスティック回帰式、線形判別関数、マハラノビス距離、正準判別関数、サポートベクターマシン、決定木などを包含する。また、異なる形式の多変量判別式の和で示されるような式も含まれる。また、重回帰式、多重ロジスティック回帰式、正準判別関数においては各変数に係数および定数項が付加されるが、この場合の係数および定数項は、好ましくは実数であること、より好ましくはデータから判別を行うために得られた係数および定数項の９９％信頼区間の範囲に属する値、さらに好ましくはデータから判別を行うために得られた係数および定数項の９５％信頼区間の範囲に属する値であればかまわない。また、各係数の値、及びその信頼区間は、それを実数倍したものでもよく、定数項の値、及びその信頼区間は、それに任意の実定数を加減乗除したものでもよい。ロジスティック回帰、線形判別、重回帰分析などの表示式を指標に用いる場合、表示式の線形変換（定数の加算、定数倍）や単調増加（減少）の変換（例えばｌｏｇｉｔ変換など）は判別性能を変えるものではなく同等であるので、表示式はそれらを含むものである。
【０１２６】
なお、分数式とは、当該分数式の分子がアミノ酸Ａ，Ｂ，Ｃ，・・・の和で表わされ及び／又は当該分数式の分母がアミノ酸ａ，ｂ，ｃ，・・・の和で表わされるものである。また、分数式には、このような構成の分数式α，β，γ，・・・の和（例えばα＋βのようなもの）も含まれる。また、分数式には、分割された分数式も含まれる。なお、分子や分母に用いられるアミノ酸にはそれぞれ適当な係数がついてもかまわない。また、分子や分母に用いられるアミノ酸は重複してもかまわない。また、各分数式に適当な係数がついてもかまわない。また、各変数の係数の値や定数項の値は、実数であればかまわない。分数式で、分子の変数と分母の変数を入れ替えた組み合わせは、目的変数との相関の正負の符号は概して逆転するが、それらの相関性は保たれるので、判別性では同等と見なせるので、分子の変数と分母の変数を入れ替えた組み合わせも、包含するものである。
【０１２７】
そして、本発明は、脂肪性肝疾患の状態評価を行う際、アミノ酸の濃度以外に、他の生体情報（例えば糖類・脂質・タンパク質・ペプチド・ミネラル・ホルモン等の生体代謝物や、例えば血糖値・血圧値・性別・年齢・肝疾患指標・食習慣・飲酒習慣・運動習慣・肥満度・疾患歴等の生体指標、など）をさらに用いてもかまわない。また、本発明は、脂肪性肝疾患の状態評価を行う際、多変量判別式における変数として、アミノ酸の濃度以外に、他の生体情報（例えば糖類・脂質・タンパク質・ペプチド・ミネラル・ホルモン等の生体代謝物や、例えば血糖値・血圧値・性別・年齢・肝疾患指標・食習慣・飲酒習慣・運動習慣・肥満度・疾患歴等の生体指標、など）をさらに用いてもかまわない。
【０１２８】
ここで、多変量判別式作成処理（工程１〜工程４）の概要について詳細に説明する。なお、ここで説明する処理はあくまでも一例であり、多変量判別式の作成方法はこれに限定されない。
【０１２９】
まず、本発明は、制御部で、アミノ酸濃度データと脂肪性肝疾患の状態を表す指標に関する脂肪性肝疾患状態指標データとを含む記憶部で記憶した脂肪性肝疾患状態情報から所定の式作成手法に基づいて、多変量判別式の候補である候補多変量判別式（例えば、ｙ＝ａ１ｘ１＋ａ２ｘ２＋・・・＋ａｎｘｎ、ｙ：脂肪性肝疾患状態指標データ、ｘｉ：アミノ酸濃度データ、ａｉ：定数、ｉ＝１，２，・・・，ｎ）を作成する（工程１）。なお、事前に、脂肪性肝疾患状態情報から欠損値や外れ値などを持つデータを除去してもよい。
【０１３０】
なお、工程１において、脂肪性肝疾患状態情報から、複数の異なる式作成手法（主成分分析や判別分析、サポートベクターマシン、重回帰分析、ロジスティック回帰分析、ｋ−ｍｅａｎｓ法、クラスター解析、決定木などの多変量解析に関するものを含む。）を併用して複数の候補多変量判別式を作成してもよい。具体的には、多数の正常群および脂肪性肝疾患群から得た血液を分析して得たアミノ酸濃度データおよび脂肪性肝疾患状態指標データから構成される多変量データである脂肪性肝疾患状態情報に対して、複数の異なるアルゴリズムを利用して複数群の候補多変量判別式を同時並行的に作成してもよい。例えば、異なるアルゴリズムを利用して判別分析およびロジスティック回帰分析を同時に行い、２つの異なる候補多変量判別式を作成してもよい。また、主成分分析を行って作成した候補多変量判別式を利用して脂肪性肝疾患状態情報を変換し、変換した脂肪性肝疾患状態情報に対して判別分析を行うことで候補多変量判別式を作成してもよい。これにより、最終的に、診断条件に合った適切な多変量判別式を作成することができる。
【０１３１】
ここで、主成分分析を用いて作成した候補多変量判別式は、全てのアミノ酸濃度データの分散を最大にするような各アミノ酸変数からなる一次式である。また、判別分析を用いて作成した候補多変量判別式は、各群内の分散の和の全てのアミノ酸濃度データの分散に対する比を最小にするような各アミノ酸変数からなる高次式（指数や対数を含む）である。また、サポートベクターマシンを用いて作成した候補多変量判別式は、群間の境界を最大にするような各アミノ酸変数からなる高次式（カーネル関数を含む）である。また、重回帰分析を用いて作成した候補多変量判別式は、全てのアミノ酸濃度データからの距離の和を最小にするような各アミノ酸変数からなる高次式である。ロジスティック回帰分析を用いて作成した候補多変量判別式は、尤度を最大にするような各アミノ酸変数からなる一次式を指数とする自然対数を項に持つ分数式である。また、ｋ−ｍｅａｎｓ法とは、各アミノ酸濃度データのｋ個近傍を探索し、近傍点の属する群の中で一番多いものをそのデータの所属群と定義し、入力されたアミノ酸濃度データの属する群と定義された群とが最も合致するようなアミノ酸変数を選択する手法である。また、クラスター解析とは、全てのアミノ酸濃度データの中で最も近い距離にある点同士をクラスタリング（群化）する手法である。また、決定木とは、アミノ酸変数に序列をつけて、序列が上位であるアミノ酸変数の取りうるパターンからアミノ酸濃度データの群を予測する手法である。
【０１３２】
多変量判別式作成処理の説明に戻り、本発明は、制御部で、工程１で作成した候補多変量判別式を、所定の検証手法に基づいて検証（相互検証）する（工程２）。候補多変量判別式の検証は、工程１で作成した各候補多変量判別式に対して行う。
【０１３３】
なお、工程２において、ブートストラップ法やホールドアウト法、Ｎ−フォールド法、リーブワンアウト法などのうち少なくとも１つに基づいて候補多変量判別式の判別率や感度、特異度、情報量基準、ＲＯＣ＿ＡＵＣ（受信者特性曲線の曲線下面積）などのうち少なくとも１つに関して検証してもよい。これにより、脂肪性肝疾患状態情報や診断条件を考慮した予測性または頑健性の高い候補多変量判別式を作成することができる。
【０１３４】
ここで、判別率とは、全入力データの中で、本発明で評価した脂肪性肝疾患の状態が正しい割合である。また、感度とは、入力データに記載された脂肪性肝疾患の状態になっているものの中で、本発明で評価した脂肪性肝疾患の状態が正しい割合である。また、特異度とは、入力データに記載された脂肪性肝疾患が正常になっているものの中で、本発明で評価した脂肪性肝疾患の状態が正しい割合である。また、情報量基準とは、工程１で作成した候補多変量判別式のアミノ酸変数の数と、本発明で評価した脂肪性肝疾患の状態および入力データに記載された脂肪性肝疾患の状態の差異と、を足し合わせたものである。また、ＲＯＣ＿ＡＵＣ（受信者特性曲線の曲線下面積）は、２次元座標上に（ｘ，ｙ）＝（１−特異度，感度）をプロットして作成される曲線である受信者特性曲線（ＲＯＣ）の曲線下面積として定義され、ＲＯＣ＿ＡＵＣの値は完全な判別では１となり、この値が１に近いほど判別性が高いことを示す。また、予測性とは、候補多変量判別式の検証を繰り返すことで得られた判別率や感度、特異性を平均したものである。また、頑健性とは、候補多変量判別式の検証を繰り返すことで得られた判別率や感度、特異性の分散である。
【０１３５】
多変量判別式作成処理の説明に戻り、本発明は、制御部で、工程２での検証結果から所定の変数選択手法に基づいて候補多変量判別式の変数を選択することで（ただし、工程２での検証結果を考慮せず、所定の変数選択手法に基づいて候補多変量判別式の変数を選択してもよい。）、候補多変量判別式を作成する際に用いる脂肪性肝疾患状態情報に含まれるアミノ酸濃度データの組み合わせを選択する（工程３）。アミノ酸変数の選択は、工程１で作成した各候補多変量判別式に対して行う。これにより、候補多変量判別式のアミノ酸変数を適切に選択することができる。そして、工程３で選択したアミノ酸濃度データを含む脂肪性肝疾患状態情報を用いて再び工程１を実行する。
【０１３６】
なお、工程３において、工程２での検証結果からステップワイズ法、ベストパス法、近傍探索法、遺伝的アルゴリズムのうち少なくとも１つに基づいて候補多変量判別式のアミノ酸変数を選択してもよい。
【０１３７】
ここで、ベストパス法とは、候補多変量判別式に含まれるアミノ酸変数を１つずつ順次減らしていき、候補多変量判別式が与える評価指標を最適化することでアミノ酸変数を選択する方法である。
【０１３８】
多変量判別式作成処理の説明に戻り、本発明は、制御部で、上述した工程１、工程２および工程３を繰り返し実行し、これにより蓄積した検証結果に基づいて、複数の候補多変量判別式の中から多変量判別式として採用する候補多変量判別式を選出することで、多変量判別式を作成する（工程４）。なお、候補多変量判別式の選出には、例えば、同じ式作成手法で作成した候補多変量判別式の中から最適なものを選出する場合と、すべての候補多変量判別式の中から最適なものを選出する場合とがある。
【０１３９】
以上、説明したように、多変量判別式作成処理では、脂肪性肝疾患状態情報に基づいて、候補多変量判別式の作成、候補多変量判別式の検証および候補多変量判別式の変数の選択に関する処理を一連の流れで体系化（システム化）して実行することにより、脂肪性肝疾患の状態評価に最適な多変量判別式を作成することができる。換言すると、多変量判別式作成処理では、アミノ酸濃度を多変量の統計解析に用い、最適でロバストな変数の組を選択するために変数選択法とクロスバリデーションとを組み合わせて、診断性能の高い多変量判別式を抽出する。多変量判別式としては、ロジスティック回帰、線形判別、サポートベクターマシン、マハラノビス距離法、重回帰分析、クラスター解析などを用いることができる。
【０１４０】
［２−２．システム構成］
ここでは、第２実施形態にかかる脂肪性肝疾患評価システム（以下では本システムと記す場合がある。）の構成について、図４から図２０を参照して説明する。なお、本システムはあくまでも一例であり、本発明はこれに限定されない。
【０１４１】
まず、本システムの全体構成について図４および図５を参照して説明する。図４は本システムの全体構成の一例を示す図である。また、図５は本システムの全体構成の他の一例を示す図である。本システムは、図４に示すように、評価対象につき、脂肪性肝疾患の状態評価を行う脂肪性肝疾患評価装置１００と、アミノ酸の濃度値に関する評価対象のアミノ酸濃度データを提供するクライアント装置２００（本発明の情報通信端末装置に相当）とを、ネットワーク３００を介して通信可能に接続して構成されている。
【０１４２】
なお、本システムは、図５に示すように、脂肪性肝疾患評価装置１００やクライアント装置２００の他に、脂肪性肝疾患評価装置１００で多変量判別式を作成する際に用いる脂肪性肝疾患状態情報や、脂肪性肝疾患の状態評価を行うために用いる多変量判別式などを格納したデータベース装置４００を、ネットワーク３００を介して通信可能に接続して構成されてもよい。これにより、ネットワーク３００を介して、脂肪性肝疾患評価装置１００からクライアント装置２００やデータベース装置４００へ、あるいはクライアント装置２００やデータベース装置４００から脂肪性肝疾患評価装置１００へ、脂肪性肝疾患の状態に関する情報などが提供される。ここで、脂肪性肝疾患の状態に関する情報とは、ヒトを含む生物の脂肪性肝疾患の状態に関する特定の項目について測定した値に関する情報である。また、脂肪性肝疾患の状態に関する情報は、脂肪性肝疾患評価装置１００やクライアント装置２００や他の装置（例えば各種の計測装置等）で生成され、主にデータベース装置４００に蓄積される。
【０１４３】
つぎに、本システムの脂肪性肝疾患評価装置１００の構成について図６から図１８を参照して説明する。図６は、本システムの脂肪性肝疾患評価装置１００の構成の一例を示すブロック図であり、該構成のうち本発明に関係する部分のみを概念的に示している。
【０１４４】
脂肪性肝疾患評価装置１００は、当該脂肪性肝疾患評価装置を統括的に制御するＣＰＵ等の制御部１０２と、ルータ等の通信装置および専用線等の有線または無線の通信回線を介して当該脂肪性肝疾患評価装置をネットワーク３００に通信可能に接続する通信インターフェース部１０４と、各種のデータベースやテーブルやファイルなどを格納する記憶部１０６と、入力装置１１２や出力装置１１４に接続する入出力インターフェース部１０８と、で構成されており、これら各部は任意の通信路を介して通信可能に接続されている。ここで、脂肪性肝疾患評価装置１００は、各種の分析装置（例えばアミノ酸アナライザー等）と同一筐体で構成されてもよい。また、脂肪性肝疾患評価装置１００の分散・統合の具体的形態は図示のものに限られず、その全部または一部を、各種の付加等に応じてまたは機能負荷に応じて、任意の単位で機能的または物理的に分散・統合して構成することができる。すなわち、本明細書の実施形態を任意に組み合わせて実施してもよく、実施形態を選択的に実施してもよい。例えば、処理の一部をＣＧＩ（Ｃｏｍｍｏｎ  Ｇａｔｅｗａｙ  Ｉｎｔｅｒｆａｃｅ）を用いて実現してもよい。
【０１４５】
記憶部１０６は、ストレージ手段であり、例えば、ＲＡＭ・ＲＯＭ等のメモリ装置や、ハードディスクのような固定ディスク装置、フレキシブルディスク、光ディスク等を用いることができる。記憶部１０６には、ＯＳ（Ｏｐｅｒａｔｉｎｇ  Ｓｙｓｔｅｍ）と協働してＣＰＵに命令を与え各種処理を行うためのコンピュータプログラムが記録されている。記憶部１０６は、図示の如く、利用者情報ファイル１０６ａと、アミノ酸濃度データファイル１０６ｂと、脂肪性肝疾患状態情報ファイル１０６ｃと、指定脂肪性肝疾患状態情報ファイル１０６ｄと、多変量判別式関連情報データベース１０６ｅと、判別値ファイル１０６ｆと、評価結果ファイル１０６ｇと、を格納する。
【０１４６】
利用者情報ファイル１０６ａは、利用者に関する利用者情報を格納する。図７は、利用者情報ファイル１０６ａに格納される情報の一例を示す図である。利用者情報ファイル１０６ａに格納される情報は、図７に示すように、利用者を一意に識別するための利用者ＩＤと、利用者が正当な者であるか否かの認証を行うための利用者パスワードと、利用者の氏名と、利用者の所属する所属先を一意に識別するための所属先ＩＤと、利用者の所属する所属先の部門を一意に識別するための部門ＩＤと、部門名と、利用者の電子メールアドレスと、を相互に関連付けて構成されている。
【０１４７】
図６に戻り、アミノ酸濃度データファイル１０６ｂは、アミノ酸の濃度値に関するアミノ酸濃度データを格納する。図８は、アミノ酸濃度データファイル１０６ｂに格納される情報の一例を示す図である。アミノ酸濃度データファイル１０６ｂに格納される情報は、図８に示すように、評価対象である個体（サンプル）を一意に識別するための個体番号と、アミノ酸濃度データとを相互に関連付けて構成されている。ここで、図８では、アミノ酸濃度データを数値、すなわち連続尺度として扱っているが、アミノ酸濃度データは名義尺度や順序尺度でもよい。なお、名義尺度や順序尺度の場合は、それぞれの状態に対して任意の数値を与えることで解析してもよい。また、アミノ酸濃度データに、他の生体情報（例えば糖類・脂質・タンパク質・ペプチド・ミネラル・ホルモン等の生体代謝物や、例えば血糖値・血圧値・性別・年齢・肝疾患指標・食習慣・飲酒習慣・運動習慣・肥満度・疾患歴等の生体指標、など）を組み合わせてもよい。
【０１４８】
図６に戻り、脂肪性肝疾患状態情報ファイル１０６ｃは、多変量判別式を作成する際に用いる脂肪性肝疾患状態情報を格納する。図９は、脂肪性肝疾患状態情報ファイル１０６ｃに格納される情報の一例を示す図である。脂肪性肝疾患状態情報ファイル１０６ｃに格納される情報は、図９に示すように、個体番号と、脂肪性肝疾患の状態を表す指標（指標Ｔ１、指標Ｔ２、指標Ｔ３・・・）に関する脂肪性肝疾患状態指標データ（Ｔ）と、アミノ酸濃度データと、を相互に関連付けて構成されている。ここで、図９では、脂肪性肝疾患状態指標データおよびアミノ酸濃度データを数値（すなわち連続尺度）として扱っているが、脂肪性肝疾患状態指標データおよびアミノ酸濃度データは名義尺度や順序尺度でもよい。なお、名義尺度や順序尺度の場合は、それぞれの状態に対して任意の数値を与えることで解析してもよい。また、脂肪性肝疾患状態指標データは、脂肪性肝疾患の状態のマーカーとなる既知の単一の状態指標であり、数値データを用いてもよい。
【０１４９】
図６に戻り、指定脂肪性肝疾患状態情報ファイル１０６ｄは、後述する脂肪性肝疾患状態情報指定部１０２ｇで指定した脂肪性肝疾患状態情報を格納する。図１０は、指定脂肪性肝疾患状態情報ファイル１０６ｄに格納される情報の一例を示す図である。指定脂肪性肝疾患状態情報ファイル１０６ｄに格納される情報は、図１０に示すように、個体番号と、指定した脂肪性肝疾患状態指標データと、指定したアミノ酸濃度データと、を相互に関連付けて構成されている。
【０１５０】
図６に戻り、多変量判別式関連情報データベース１０６ｅは、後述する候補多変量判別式作成部１０２ｈ１で作成した候補多変量判別式を格納する候補多変量判別式ファイル１０６ｅ１と、後述する候補多変量判別式検証部１０２ｈ２での検証結果を格納する検証結果ファイル１０６ｅ２と、後述する変数選択部１０２ｈ３で選択したアミノ酸濃度データの組み合わせを含む脂肪性肝疾患状態情報を格納する選択脂肪性肝疾患状態情報ファイル１０６ｅ３と、後述する多変量判別式作成部１０２ｈで作成した多変量判別式を格納する多変量判別式ファイル１０６ｅ４と、で構成される。
【０１５１】
候補多変量判別式ファイル１０６ｅ１は、後述する候補多変量判別式作成部１０２ｈ１で作成した候補多変量判別式を格納する。図１１は、候補多変量判別式ファイル１０６ｅ１に格納される情報の一例を示す図である。候補多変量判別式ファイル１０６ｅ１に格納される情報は、図１１に示すように、ランクと、候補多変量判別式（図１１では、Ｆ１（Ｇｌｙ，Ｌｅｕ，Ｐｈｅ，・・・）やＦ２（Ｇｌｙ，Ｌｅｕ，Ｐｈｅ，・・・）、Ｆ３（Ｇｌｙ，Ｌｅｕ，Ｐｈｅ，・・・）など）とを相互に関連付けて構成されている。
【０１５２】
図６に戻り、検証結果ファイル１０６ｅ２は、後述する候補多変量判別式検証部１０２ｈ２での検証結果を格納する。図１２は、検証結果ファイル１０６ｅ２に格納される情報の一例を示す図である。検証結果ファイル１０６ｅ２に格納される情報は、図１２に示すように、ランクと、候補多変量判別式（図１２では、Ｆｋ（Ｇｌｙ，Ｌｅｕ，Ｐｈｅ，・・・）やＦｍ（Ｇｌｙ，Ｌｅｕ，Ｐｈｅ，・・・）、Ｆｌ（Ｇｌｙ，Ｌｅｕ，Ｐｈｅ，・・・）など）と、各候補多変量判別式の検証結果（例えば各候補多変量判別式の評価値）と、を相互に関連付けて構成されている。
【０１５３】
図６に戻り、選択脂肪性肝疾患状態情報ファイル１０６ｅ３は、後述する変数選択部１０２ｈ３で選択した変数に対応するアミノ酸濃度データの組み合わせを含む脂肪性肝疾患状態情報を格納する。図１３は、選択脂肪性肝疾患状態情報ファイル１０６ｅ３に格納される情報の一例を示す図である。選択脂肪性肝疾患状態情報ファイル１０６ｅ３に格納される情報は、図１３に示すように、個体番号と、後述する脂肪性肝疾患状態情報指定部１０２ｇで指定した脂肪性肝疾患状態指標データと、後述する変数選択部１０２ｈ３で選択したアミノ酸濃度データと、を相互に関連付けて構成されている。
【０１５４】
図６に戻り、多変量判別式ファイル１０６ｅ４は、後述する多変量判別式作成部１０２ｈで作成した多変量判別式を格納する。図１４は、多変量判別式ファイル１０６ｅ４に格納される情報の一例を示す図である。多変量判別式ファイル１０６ｅ４に格納される情報は、図１４に示すように、ランクと、多変量判別式（図１４では、Ｆｐ（Ｐｈｅ，・・・）やＦｐ（Ｇｌｙ，Ｌｅｕ，Ｐｈｅ）、Ｆｋ（Ｇｌｙ，Ｌｅｕ，Ｐｈｅ，・・・）など）と、各式作成手法に対応する閾値と、各多変量判別式の検証結果（例えば各多変量判別式の評価値）と、を相互に関連付けて構成されている。
【０１５５】
図６に戻り、判別値ファイル１０６ｆは、後述する判別値算出部１０２ｉで算出した判別値を格納する。図１５は、判別値ファイル１０６ｆに格納される情報の一例を示す図である。判別値ファイル１０６ｆに格納される情報は、図１５に示すように、評価対象である個体（サンプル）を一意に識別するための個体番号と、ランク（多変量判別式を一意に識別するための番号）と、判別値と、を相互に関連付けて構成されている。
【０１５６】
図６に戻り、評価結果ファイル１０６ｇは、後述する判別値基準評価部１０２ｊでの評価結果（具体的には、後述する判別値基準判別部１０２ｊ１での判別結果）を格納する。図１６は、評価結果ファイル１０６ｇに格納される情報の一例を示す図である。評価結果ファイル１０６ｇに格納される情報は、評価対象である個体（サンプル）を一意に識別するための個体番号と、予め取得した評価対象のアミノ酸濃度データと、多変量判別式で算出した判別値と、脂肪性肝疾患の状態評価に関する評価結果と、を相互に関連付けて構成されている。
【０１５７】
図６に戻り、記憶部１０６には、上述した情報以外にその他情報として、Ｗｅｂサイトをクライアント装置２００に提供するための各種のＷｅｂデータや、ＣＧＩプログラム等が記録されている。Ｗｅｂデータとしては後述する各種のＷｅｂページを表示するためのデータ等があり、これらデータは例えばＨＴＭＬやＸＭＬで記述されたテキストファイルとして形成されている。また、Ｗｅｂデータを作成するための部品用のファイルや作業用のファイルやその他一時的なファイル等も記憶部１０６に記憶される。記憶部１０６には、必要に応じて、クライアント装置２００に送信するための音声をＷＡＶＥ形式やＡＩＦＦ形式の如き音声ファイルで格納したり、静止画や動画をＪＰＥＧ形式やＭＰＥＧ２形式の如き画像ファイルで格納したりすることができる。
【０１５８】
通信インターフェース部１０４は、脂肪性肝疾患評価装置１００とネットワーク３００（またはルータ等の通信装置）との間における通信を媒介する。すなわち、通信インターフェース部１０４は、他の端末と通信回線を介してデータを通信する機能を有する。
【０１５９】
入出力インターフェース部１０８は、入力装置１１２や出力装置１１４に接続する。ここで、出力装置１１４には、モニタ（家庭用テレビを含む）の他、スピーカやプリンタを用いることができる（なお、以下では、出力装置１１４をモニタ１１４として記載する場合がある。）。入力装置１１２には、キーボードやマウスやマイクの他、マウスと協働してポインティングデバイス機能を実現するモニタを用いることができる。
【０１６０】
制御部１０２は、ＯＳ（Ｏｐｅｒａｔｉｎｇ  Ｓｙｓｔｅｍ）等の制御プログラム・各種の処理手順等を規定したプログラム・所要データなどを格納するための内部メモリを有し、これらのプログラムに基づいて種々の情報処理を実行する。制御部１０２は、図示の如く、大別して、要求解釈部１０２ａと閲覧処理部１０２ｂと認証処理部１０２ｃと電子メール生成部１０２ｄとＷｅｂページ生成部１０２ｅと受信部１０２ｆと脂肪性肝疾患状態情報指定部１０２ｇと多変量判別式作成部１０２ｈと判別値算出部１０２ｉと判別値基準評価部１０２ｊと結果出力部１０２ｋと送信部１０２ｍとを備えている。制御部１０２は、データベース装置４００から送信された脂肪性肝疾患状態情報やクライアント装置２００から送信されたアミノ酸濃度データに対して、欠損値のあるデータの除去・外れ値の多いデータの除去・欠損値のあるデータの多い変数の除去などのデータ処理も行う。
【０１６１】
要求解釈部１０２ａは、クライアント装置２００やデータベース装置４００からの要求内容を解釈し、その解釈結果に応じて制御部１０２の各部に処理を受け渡す。閲覧処理部１０２ｂは、クライアント装置２００からの各種画面の閲覧要求を受けて、これら画面のＷｅｂデータの生成や送信を行なう。認証処理部１０２ｃは、クライアント装置２００やデータベース装置４００からの認証要求を受けて、認証判断を行う。電子メール生成部１０２ｄは、各種の情報を含んだ電子メールを生成する。Ｗｅｂページ生成部１０２ｅは、利用者がクライアント装置２００で閲覧するＷｅｂページを生成する。
【０１６２】
受信部１０２ｆは、クライアント装置２００やデータベース装置４００から送信された情報（具体的には、アミノ酸濃度データや脂肪性肝疾患状態情報、多変量判別式など）を、ネットワーク３００を介して受信する。脂肪性肝疾患状態情報指定部１０２ｇは、多変量判別式を作成するにあたり、対象とする脂肪性肝疾患状態指標データおよびアミノ酸濃度データを指定する。
【０１６３】
多変量判別式作成部１０２ｈは、受信部１０２ｆで受信した脂肪性肝疾患状態情報や脂肪性肝疾患状態情報指定部１０２ｇで指定した脂肪性肝疾患状態情報に基づいて多変量判別式を作成する。具体的には、多変量判別式作成部１０２ｈは、脂肪性肝疾患状態情報から、候補多変量判別式作成部１０２ｈ１、候補多変量判別式検証部１０２ｈ２および変数選択部１０２ｈ３を繰り返し実行させることにより蓄積された検証結果に基づいて、複数の候補多変量判別式の中から多変量判別式として採用する候補多変量判別式を選出することで、多変量判別式を作成する。
【０１６４】
なお、多変量判別式が予め記憶部１０６の所定の記憶領域に格納されている場合には、多変量判別式作成部１０２ｈは、記憶部１０６から所望の多変量判別式を選択することで、多変量判別式を作成してもよい。また、多変量判別式作成部１０２ｈは、多変量判別式を予め格納した他のコンピュータ装置（例えばデータベース装置４００）から所望の多変量判別式を選択しダウンロードすることで、多変量判別式を作成してもよい。
【０１６５】
ここで、多変量判別式作成部１０２ｈの構成について図１７を参照して説明する。図１７は、多変量判別式作成部１０２ｈの構成を示すブロック図であり、該構成のうち本発明に関係する部分のみを概念的に示している。多変量判別式作成部１０２ｈは、候補多変量判別式作成部１０２ｈ１と、候補多変量判別式検証部１０２ｈ２と、変数選択部１０２ｈ３と、をさらに備えている。候補多変量判別式作成部１０２ｈ１は、脂肪性肝疾患状態情報から所定の式作成手法に基づいて多変量判別式の候補である候補多変量判別式を作成する。なお、候補多変量判別式作成部１０２ｈ１は、脂肪性肝疾患状態情報から、複数の異なる式作成手法を併用して複数の候補多変量判別式を作成してもよい。候補多変量判別式検証部１０２ｈ２は、候補多変量判別式作成部１０２ｈ１で作成した候補多変量判別式を所定の検証手法に基づいて検証する。なお、候補多変量判別式検証部１０２ｈ２は、ブートストラップ法、ホールドアウト法、Ｎ−フォールド法、リーブワンアウト法のうち少なくとも１つに基づいて候補多変量判別式の判別率、感度、特異度、情報量基準、ＲＯＣ＿ＡＵＣ（受信者特性曲線の曲線下面積）のうち少なくとも１つに関して検証してもよい。変数選択部１０２ｈ３は、候補多変量判別式検証部１０２ｈ２での検証結果から所定の変数選択手法に基づいて候補多変量判別式の変数を選択することで、候補多変量判別式を作成する際に用いる脂肪性肝疾患状態情報に含まれるアミノ酸濃度データの組み合わせを選択する。なお、変数選択部１０２ｈ３は、検証結果からステップワイズ法、ベストパス法、近傍探索法、遺伝的アルゴリズムのうち少なくとも１つに基づいて候補多変量判別式の変数を選択してもよい。
【０１６６】
図６に戻り、判別値算出部１０２ｉは、多変量判別式作成部１０２ｈで作成した多変量判別式、および受信部１０２ｆで受信した評価対象のアミノ酸濃度データに基づいて、当該多変量判別式の値である判別値を算出する。なお、多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つでもよい。
【０１６７】
具体的には、判別値基準評価部１０２ｊでＮＡＳＨの状態を評価する場合（具体的には、後述する判別値基準判別部１０２ｊ１でＮＡＳＨまたは非ＮＡＳＨであるか否かを判別する場合）、判別値算出部１０２ｉは、アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを変数として含む多変量判別式に基づいて、判別値を算出してもよい。なお、判別値基準判別部１０２ｊ１でＮＡＳＨまたは非ＮＡＳＨであるか否かを判別する場合、多変量判別式は、Ｇｌｕ，Ｇｌｎ，Ｇｌｙ，Ａｌａ，Ｖａｌ，Ｔｙｒを変数として含むロジスティック回帰式でもよい。
【０１６８】
また、判別値基準評価部１０２ｊでＮＡＦＬＤの状態を評価する場合（具体的には、後述する判別値基準判別部１０２ｊ１でＮＡＦＬＤまたは非ＮＡＦＬＤであるか否かを判別する場合）、判別値算出部１０２ｉは、アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを変数として含む多変量判別式に基づいて、判別値を算出してもよい。なお、判別値基準判別部１０２ｊ１でＮＡＦＬＤまたは非ＮＡＦＬＤであるか否かを判別する場合、多変量判別式は、Ｓｅｒ，Ｇｌｕ，Ｇｌｙ，Ｖａｌ，Ｔｙｒ，Ｈｉｓを変数として含むロジスティック回帰式でもよい。
【０１６９】
また、判別値基準評価部１０２ｊで脂肪肝の状態を評価する場合（具体的には、後述する判別値基準判別部１０２ｊ１で脂肪肝または非脂肪肝であるか否かを判別する場合）、判別値算出部１０２ｉは、アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを変数として含む多変量判別式に基づいて、判別値を算出してもよい。なお、判別値基準判別部１０２ｊ１で脂肪肝または非脂肪肝であるか否かを判別する場合、多変量判別式は、Ｓｅｒ，Ｇｌｕ，Ｇｌｙ，Ａｌａ，Ｖａｌ，Ｔｙｒを変数として含むロジスティック回帰式でもよい。
【０１７０】
また、判別値基準評価部１０２ｊでＮＡＳＨおよびＮＡＦＬＤの状態を評価する場合（具体的には、後述する判別値基準判別部１０２ｊ１で、ＮＡＳＨまたは「非ＮＡＳＨ且つＮＡＦＬＤ」（単純性脂肪肝）であるか否かを判別する場合、または非ＮＡＦＬＤ、ＮＡＳＨ、または「非ＮＡＳＨ且つＮＡＦＬＤ」であるか否かを判別する場合）、判別値算出部１０２ｉは、アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出してもよい。なお、判別値基準判別部１０２ｊ１でＮＡＳＨまたは「非ＮＡＳＨ且つＮＡＦＬＤ」（単純性脂肪肝）であるか否かを判別する場合、多変量判別式は、Ａｓｎ，Ｇｌｎ，Ｇｌｙ，Ａｌａ，Ｃｉｔ，Ｍｅｔを変数として含むロジスティック回帰式でもよい。また、判別値基準判別部１０２ｊ１で非ＮＡＦＬＤ、ＮＡＳＨ、または「非ＮＡＳＨ且つＮＡＦＬＤ」であるか否かを判別する場合、多変量判別式は、Ｓｅｒ，Ｇｌｕ，Ｇｌｙ，Ｖａｌ，Ｔｙｒ，Ｈｉｓを変数として含むロジスティック回帰式、およびＡｓｎ，Ｇｌｎ，Ｇｌｙ，Ａｌａ，Ｃｉｔ，Ｍｅｔを変数として含むロジスティック回帰式でもよい。
【０１７１】
判別値基準評価部１０２ｊは、判別値算出部１０２ｉで算出した判別値に基づいて、評価対象につき、脂肪性肝疾患（具体的には、ＮＡＳＨ、ＮＡＦＬＤ、および脂肪肝のうち少なくとも１つ）の状態を評価する。判別値基準評価部１０２ｊは、判別値基準判別部１０２ｊ１をさらに備えている。ここで、判別値基準評価部１０２ｊの構成について図１８を参照して説明する。図１８は、判別値基準評価部１０２ｊの構成を示すブロック図であり、該構成のうち本発明に関係する部分のみを概念的に示している。判別値基準判別部１０２ｊ１は、判別値に基づいて、評価対象につき、ＮＡＳＨまたは非ＮＡＳＨであるか否かの判別、ＮＡＦＬＤまたは非ＮＡＦＬＤであるか否かの判別、脂肪肝または非脂肪肝であるか否かの判別、ＮＡＳＨまたは「非ＮＡＳＨ且つＮＡＦＬＤ」（単純性脂肪肝）であるか否かの判別、または非ＮＡＦＬＤ、ＮＡＳＨ、または「非ＮＡＳＨ且つＮＡＦＬＤ」であるか否かの判別を実行する。具体的には、判別値基準判別部１０２ｊ１は、判別値と予め設定された閾値（カットオフ値）とを比較することで、評価対象につき、これらの判別のうちのいずれか１つを実行する。
【０１７２】
図６に戻り、結果出力部１０２ｋは、制御部１０２の各処理部での処理結果（判別値基準評価部１０２ｊでの評価結果（具体的には判別値基準判別部１０２ｊ１での判別結果）を含む）等を出力装置１１４に出力する。
【０１７３】
送信部１０２ｍは、評価対象のアミノ酸濃度データの送信元のクライアント装置２００に対して評価結果を送信したり、データベース装置４００に対して、脂肪性肝疾患評価装置１００で作成した多変量判別式や評価結果を送信したりする。
【０１７４】
つぎに、本システムのクライアント装置２００の構成について図１９を参照して説明する。図１９は、本システムのクライアント装置２００の構成の一例を示すブロック図であり、該構成のうち本発明に関係する部分のみを概念的に示している。
【０１７５】
クライアント装置２００は、制御部２１０とＲＯＭ２２０とＨＤ２３０とＲＡＭ２４０と入力装置２５０と出力装置２６０と入出力ＩＦ２７０と通信ＩＦ２８０とで構成されており、これら各部は任意の通信路を介して通信可能に接続されている。
【０１７６】
制御部２１０は、Ｗｅｂブラウザ２１１、電子メーラ２１２、受信部２１３、送信部２１４を備えている。Ｗｅｂブラウザ２１１は、Ｗｅｂデータを解釈し、解釈したＷｅｂデータを後述するモニタ２６１に表示するブラウズ処理を行う。なお、Ｗｅｂブラウザ２１１には、ストリーム映像の受信・表示・フィードバック等を行う機能を備えたストリームプレイヤ等の各種のソフトウェアをプラグインしてもよい。電子メーラ２１２は、所定の通信規約（例えば、ＳＭＴＰ（Ｓｉｍｐｌｅ  Ｍａｉｌ  Ｔｒａｎｓｆｅｒ  Ｐｒｏｔｏｃｏｌ）やＰＯＰ３（Ｐｏｓｔ  Ｏｆｆｉｃｅ  Ｐｒｏｔｏｃｏｌ  ｖｅｒｓｉｏｎ  ３）等）に従って電子メールの送受信を行う。受信部２１３は、通信ＩＦ２８０を介して、脂肪性肝疾患評価装置１００から送信された評価結果などの各種情報を受信する。送信部２１４は、通信ＩＦ２８０を介して、評価対象のアミノ酸濃度データなどの各種情報を脂肪性肝疾患評価装置１００へ送信する。
【０１７７】
入力装置２５０はキーボードやマウスやマイク等である。なお、後述するモニタ２６１もマウスと協働してポインティングデバイス機能を実現する。出力装置２６０は、通信ＩＦ２８０を介して受信した情報を出力する出力手段であり、モニタ（家庭用テレビを含む）２６１およびプリンタ２６２を含む。この他、出力装置２６０にスピーカ等を設けてもよい。入出力ＩＦ２７０は入力装置２５０や出力装置２６０に接続する。
【０１７８】
通信ＩＦ２８０は、クライアント装置２００とネットワーク３００（またはルータ等の通信装置）とを通信可能に接続する。換言すると、クライアント装置２００は、モデムやＴＡやルータなどの通信装置および電話回線を介して、または専用線を介してネットワーク３００に接続される。これにより、クライアント装置２００は、所定の通信規約に従って脂肪性肝疾患評価装置１００にアクセスすることができる。
【０１７９】
ここで、プリンタ・モニタ・イメージスキャナ等の周辺装置を必要に応じて接続した情報処理装置（例えば、既知のパーソナルコンピュータ・ワークステーション・家庭用ゲーム装置・インターネットＴＶ・ＰＨＳ端末・携帯端末・移動体通信端末・ＰＤＡ等の情報処理端末など）に、Ｗｅｂデータのブラウジング機能や電子メール機能を実現させるソフトウェア（プログラム、データ等を含む）を実装することにより、クライアント装置２００を実現してもよい。
【０１８０】
また、クライアント装置２００の制御部２１０は、制御部２１０で行う処理の全部または任意の一部を、ＣＰＵおよび当該ＣＰＵにて解釈して実行するプログラムで実現してもよい。ＲＯＭ２２０またはＨＤ２３０には、ＯＳ（Ｏｐｅｒａｔｉｎｇ  Ｓｙｓｔｅｍ）と協働してＣＰＵに命令を与え、各種処理を行うためのコンピュータプログラムが記録されている。当該コンピュータプログラムは、ＲＡＭ２４０にロードされることで実行され、ＣＰＵと協働して制御部２１０を構成する。また、当該コンピュータプログラムは、クライアント装置２００と任意のネットワークを介して接続されるアプリケーションプログラムサーバに記録されてもよく、クライアント装置２００は、必要に応じてその全部または一部をダウンロードしてもよい。また、制御部２１０で行う処理の全部または任意の一部を、ワイヤードロジック等によるハードウェアで実現してもよい。
【０１８１】
つぎに、本システムのネットワーク３００について図４、図５を参照して説明する。ネットワーク３００は、脂肪性肝疾患評価装置１００とクライアント装置２００とデータベース装置４００とを相互に通信可能に接続する機能を有し、例えばインターネットやイントラネットやＬＡＮ（有線／無線の双方を含む）等である。なお、ネットワーク３００は、ＶＡＮや、パソコン通信網や、公衆電話網（アナログ／デジタルの双方を含む）や、専用回線網（アナログ／デジタルの双方を含む）や、ＣＡＴＶ網や、携帯回線交換網または携帯パケット交換網（ＩＭＴ２０００方式、ＧＳＭ（登録商標）方式またはＰＤＣ／ＰＤＣ−Ｐ方式等を含む）や、無線呼出網や、Ｂｌｕｅｔｏｏｔｈ（登録商標）等の局所無線網や、ＰＨＳ網や、衛星通信網（ＣＳ、ＢＳまたはＩＳＤＢ等を含む）等でもよい。
【０１８２】
つぎに、本システムのデータベース装置４００の構成について図２０を参照して説明する。図２０は、本システムのデータベース装置４００の構成の一例を示すブロック図であり、該構成のうち本発明に関係する部分のみを概念的に示している。
【０１８３】
データベース装置４００は、脂肪性肝疾患評価装置１００または当該データベース装置で多変量判別式を作成する際に用いる脂肪性肝疾患状態情報や、脂肪性肝疾患評価装置１００で作成した多変量判別式、脂肪性肝疾患評価装置１００での評価結果などを格納する機能を有する。図２０に示すように、データベース装置４００は、当該データベース装置を統括的に制御するＣＰＵ等の制御部４０２と、ルータ等の通信装置および専用線等の有線または無線の通信回路を介して当該データベース装置をネットワーク３００に通信可能に接続する通信インターフェース部４０４と、各種のデータベースやテーブルやファイル（例えばＷｅｂページ用ファイル）などを格納する記憶部４０６と、入力装置４１２や出力装置４１４に接続する入出力インターフェース部４０８と、で構成されており、これら各部は任意の通信路を介して通信可能に接続されている。
【０１８４】
記憶部４０６は、ストレージ手段であり、例えば、ＲＡＭ・ＲＯＭ等のメモリ装置や、ハードディスクのような固定ディスク装置や、フレキシブルディスクや、光ディスク等を用いることができる。記憶部４０６には、各種処理に用いる各種プログラム等を格納する。通信インターフェース部４０４は、データベース装置４００とネットワーク３００（またはルータ等の通信装置）との間における通信を媒介する。すなわち、通信インターフェース部４０４は、他の端末と通信回線を介してデータを通信する機能を有する。入出力インターフェース部４０８は、入力装置４１２や出力装置４１４に接続する。ここで、出力装置４１４には、モニタ（家庭用テレビを含む）の他、スピーカやプリンタを用いることができる（なお、以下で、出力装置４１４をモニタ４１４として記載する場合がある。）。また、入力装置４１２には、キーボードやマウスやマイクの他、マウスと協働してポインティングデバイス機能を実現するモニタを用いることができる。
【０１８５】
制御部４０２は、ＯＳ（Ｏｐｅｒａｔｉｎｇ  Ｓｙｓｔｅｍ）等の制御プログラム・各種の処理手順等を規定したプログラム・所要データなどを格納するための内部メモリを有し、これらのプログラムに基づいて種々の情報処理を実行する。制御部４０２は、図示の如く、大別して、要求解釈部４０２ａと閲覧処理部４０２ｂと認証処理部４０２ｃと電子メール生成部４０２ｄとＷｅｂページ生成部４０２ｅと送信部４０２ｆとを備えている。
【０１８６】
要求解釈部４０２ａは、脂肪性肝疾患評価装置１００からの要求内容を解釈し、その解釈結果に応じて制御部４０２の各部に処理を受け渡す。閲覧処理部４０２ｂは、脂肪性肝疾患評価装置１００からの各種画面の閲覧要求を受けて、これら画面のＷｅｂデータの生成や送信を行う。認証処理部４０２ｃは、脂肪性肝疾患評価装置１００からの認証要求を受けて、認証判断を行う。電子メール生成部４０２ｄは、各種の情報を含んだ電子メールを生成する。Ｗｅｂページ生成部４０２ｅは、利用者がクライアント装置２００で閲覧するＷｅｂページを生成する。送信部４０２ｆは、脂肪性肝疾患状態情報や多変量判別式などの各種情報を、脂肪性肝疾患評価装置１００へ送信する。
【０１８７】
［２−３．本システムの処理］
ここでは、以上のように構成された本システムで行われる脂肪性肝疾患評価サービス処理の一例を、図２１を参照して説明する。図２１は、脂肪性肝疾患評価サービス処理の一例を示すフローチャートである。
【０１８８】
なお、本処理で用いるアミノ酸濃度データは、個体から予め採取した血液（例えば血漿、血清などを含む）を、以下の（Ａ）または（Ｂ）などの測定方法で専門業者が分析又は独自に分析して得たアミノ酸の濃度値に関するものである。ここで、アミノ酸濃度の単位は、例えばモル濃度や重量濃度、これらの濃度に任意の定数を加減乗除することで得られるものでもよい。
（Ａ）採取した血液サンプルを遠心することにより血液から血漿を分離した。全ての血漿サンプルは、アミノ酸濃度の測定時まで−８０℃で凍結保存した。アミノ酸濃度測定時には、アセトニトリルを添加し除蛋白処理を行った後、標識試薬（３−アミノピリジル−Ｎ−ヒドロキシスクシンイミジルカルバメート）を用いてプレカラム誘導体化を行い、そして、液体クロマトグラフ質量分析計（ＬＣ−ＭＳ）によりアミノ酸濃度を分析した（国際公開第２００３／０６９３２８号、国際公開第２００５／１１６６２９号を参照）。
（Ｂ）採取した血液サンプルを遠心することにより血液から血漿を分離した。全ての血漿サンプルは、アミノ酸濃度の測定時まで−８０℃で凍結保存した。アミノ酸濃度測定時には、スルホサリチル酸を添加し除蛋白処理を行った後、ニンヒドリン試薬を用いたポストカラム誘導体化法を原理としたアミノ酸分析計によりアミノ酸濃度を分析した。
【０１８９】
まず、Ｗｅｂブラウザ２１１を表示した画面上で利用者が入力装置２５０を介して脂肪性肝疾患評価装置１００が提供するＷｅｂサイトのアドレス（ＵＲＬなど）を指定すると、クライアント装置２００は脂肪性肝疾患評価装置１００へアクセスする。具体的には、利用者がクライアント装置２００のＷｅｂブラウザ２１１の画面更新を指示すると、Ｗｅｂブラウザ２１１は、脂肪性肝疾患評価装置１００が提供するＷｅｂサイトのアドレスを所定の通信規約で脂肪性肝疾患評価装置１００へ送信することで、アミノ酸濃度データ送信画面に対応するＷｅｂページの送信要求を、当該アドレスに基づくルーティングで脂肪性肝疾患評価装置１００へ行う。
【０１９０】
つぎに、脂肪性肝疾患評価装置１００は、要求解釈部１０２ａで、クライアント装置２００からの送信を受け、当該送信の内容を解析し、解析結果に応じて制御部１０２の各部に処理を移す。具体的には、送信の内容がアミノ酸濃度データ送信画面に対応するＷｅｂページの送信要求であった場合、脂肪性肝疾患評価装置１００は、主として閲覧処理部１０２ｂで、記憶部１０６の所定の記憶領域に格納されている当該Ｗｅｂページを表示するためのＷｅｂデータを取得し、取得したＷｅｂデータをクライアント装置２００へ送信する。より具体的には、利用者からアミノ酸濃度データ送信画面に対応するＷｅｂページの送信要求があった場合、脂肪性肝疾患評価装置１００は、まず、制御部１０２で、利用者ＩＤや利用者パスワードの入力を利用者に対して求める。そして、利用者ＩＤやパスワードが入力されると、脂肪性肝疾患評価装置１００は、認証処理部１０２ｃで、入力された利用者ＩＤやパスワードと利用者情報ファイル１０６ａに格納されている利用者ＩＤや利用者パスワードとの認証判断を行う。そして、脂肪性肝疾患評価装置１００は、認証可の場合にのみ、閲覧処理部１０２ｂで、アミノ酸濃度データ送信画面に対応するＷｅｂページを表示するためのＷｅｂデータをクライアント装置２００へ送信する。なお、クライアント装置２００の特定は、クライアント装置２００から送信要求と共に送信されたＩＰアドレスで行う。
【０１９１】
つぎに、クライアント装置２００は、脂肪性肝疾患評価装置１００から送信されたＷｅｂデータ（アミノ酸濃度データ送信画面に対応するＷｅｂページを表示するためのもの）を受信部２１３で受信し、受信したＷｅｂデータをＷｅｂブラウザ２１１で解釈し、モニタ２６１にアミノ酸濃度データ送信画面を表示する。
【０１９２】
つぎに、モニタ２６１に表示されたアミノ酸濃度データ送信画面に対し利用者が入力装置２５０を介して個体のアミノ酸濃度データなどを入力・選択すると、クライアント装置２００は、送信部２１４で、入力情報や選択事項を特定するための識別子を脂肪性肝疾患評価装置１００へ送信することで、評価対象の個体のアミノ酸濃度データを脂肪性肝疾患評価装置１００へ送信する（ステップＳＡ２１）。なお、ステップＳＡ２１におけるアミノ酸濃度データの送信は、ＦＴＰ等の既存のファイル転送技術等により実現してもよい。
【０１９３】
つぎに、脂肪性肝疾患評価装置１００は、要求解釈部１０２ａで、クライアント装置２００から送信された識別子を解釈することによりクライアント装置２００の要求内容を解釈し、脂肪性肝疾患の状態評価用の多変量判別式（具体的には、ＮＡＳＨと非ＮＡＳＨの２群判別、ＮＡＦＬＤと非ＮＡＦＬＤの２群判別、脂肪肝と非脂肪肝の２群判別、ＮＡＳＨと単純性脂肪肝の２群判別、またはＮＡＳＨと単純性脂肪肝と非ＮＡＦＬＤの３群判別用の多変量判別式）の送信要求をデータベース装置４００へ行う。
【０１９４】
つぎに、データベース装置４００は、要求解釈部４０２ａで、脂肪性肝疾患評価装置１００からの送信要求を解釈し、記憶部４０６の所定の記憶領域に格納した多変量判別式（例えばアップデートされた最新のもの）を脂肪性肝疾患評価装置１００へ送信する（ステップＳＡ２２）。
【０１９５】
例えば、ステップＳＡ２６にてＮＡＳＨまたは非ＮＡＳＨであるか否かを判別する場合、ステップＳＡ２２では、Ｇｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを変数として含む多変量判別式を脂肪性肝疾患評価装置１００へ送信する。また、ステップＳＡ２６にてＮＡＦＬＤまたは非ＮＡＦＬＤであるか否かを判別する場合、ステップＳＡ２２では、Ｇｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを変数として含む多変量判別式を脂肪性肝疾患評価装置１００へ送信する。また、ステップＳＡ２６にて脂肪肝または非脂肪肝であるか否かを判別する場合、ステップＳＡ２２では、Ｔｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを変数として含む多変量判別式を脂肪性肝疾患評価装置１００へ送信する。また、ステップＳＡ２６にてＮＡＳＨまたは単純性脂肪肝であるか否かを判別する場合または非ＮＡＦＬＤ、ＮＡＳＨ、または単純性脂肪肝であるか否かを判別する場合、ステップＳＡ２２では、Ｇｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式を脂肪性肝疾患評価装置１００へ送信する。
【０１９６】
つぎに、脂肪性肝疾患評価装置１００は、受信部１０２ｆで、クライアント装置２００から送信された個体のアミノ酸濃度データおよびデータベース装置４００から送信された多変量判別式を受信し、受信したアミノ酸濃度データをアミノ酸濃度データファイル１０６ｂの所定の記憶領域に格納すると共に、受信した多変量判別式を多変量判別式ファイル１０６ｅ４の所定の記憶領域に格納する（ステップＳＡ２３）。
【０１９７】
つぎに、脂肪性肝疾患評価装置１００は、制御部１０２で、ステップＳＡ２３で受信した個体のアミノ酸濃度データから欠損値や外れ値などのデータを除去する（ステップＳＡ２４）。
【０１９８】
つぎに、脂肪性肝疾患評価装置１００は、判別値算出部１０２ｉで、ステップＳＡ２４で欠損値や外れ値などのデータが除去された個体のアミノ酸濃度データ、およびステップＳＡ２３で受信した多変量判別式に基づいて、判別値を算出する（ステップＳＡ２５）。
【０１９９】
具体的には、ステップＳＡ２６にてＮＡＳＨまたは非ＮＡＳＨであるか否かを判別する場合、脂肪性肝疾患評価装置１００は、判別値算出部１０２ｉで、アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを変数として含む多変量判別式に基づいて、判別値を算出する。
【０２００】
また、ステップＳＡ２６にてＮＡＦＬＤまたは非ＮＡＦＬＤであるか否かを判別する場合、脂肪性肝疾患評価装置１００は、判別値算出部１０２ｉで、アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを変数として含む多変量判別式に基づいて、判別値を算出する。
【０２０１】
また、ステップＳＡ２６にて脂肪肝または非脂肪肝であるか否かを判別する場合、脂肪性肝疾患評価装置１００は、判別値算出部１０２ｉで、アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを変数として含む多変量判別式に基づいて、判別値を算出する。
【０２０２】
また、ステップＳＡ２６にてＮＡＳＨまたは単純性脂肪肝であるか否かを判別する場合、または、ステップＳＡ２６にて非ＮＡＦＬＤ、ＮＡＳＨ、または単純性脂肪肝であるか否かを判別する場合、脂肪性肝疾患評価装置１００は、判別値算出部１０２ｉで、アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出する。
【０２０３】
つぎに、脂肪性肝疾患評価装置１００は、判別値基準判別部１０２ｊ１で、ステップＳＡ２５で算出した判別値と予め設定された閾値（カットオフ値）とを比較することで、個体につき、ＮＡＳＨまたは非ＮＡＳＨであるか否かの判別、ＮＡＦＬＤまたは非ＮＡＦＬＤであるか否かの判別、脂肪肝または非脂肪肝であるか否かの判別、ＮＡＳＨまたは単純性脂肪肝（非ＮＡＳＨ且つＮＡＦＬＤ）であるか否かの判別、または非ＮＡＦＬＤ、ＮＡＳＨ、または単純性脂肪肝（非ＮＡＳＨ且つＮＡＦＬＤ）であるか否かの判別を実行し、その判別結果を評価結果ファイル１０６ｇの所定の記憶領域に格納する（ステップＳＡ２６）。
【０２０４】
つぎに、脂肪性肝疾患評価装置１００は、送信部１０２ｍで、ステップＳＡ２６で得た判別結果を、アミノ酸濃度データの送信元のクライアント装置２００とデータベース装置４００とへ送信する（ステップＳＡ２７）。具体的には、まず、脂肪性肝疾患評価装置１００は、Ｗｅｂページ生成部１０２ｅで、判別結果を表示するためのＷｅｂページを作成し、作成したＷｅｂページに対応するＷｅｂデータを記憶部１０６の所定の記憶領域に格納する。ついで、利用者がクライアント装置２００のＷｅｂブラウザ２１１に入力装置２５０を介して所定のＵＲＬを入力し上述した認証を経た後、クライアント装置２００は、当該Ｗｅｂページの閲覧要求を脂肪性肝疾患評価装置１００へ送信する。ついで、脂肪性肝疾患評価装置１００は、閲覧処理部１０２ｂで、クライアント装置２００から送信された閲覧要求を解釈し、判別結果を表示するためのＷｅｂページに対応するＷｅｂデータを記憶部１０６の所定の記憶領域から読み出す。そして、脂肪性肝疾患評価装置１００は、送信部１０２ｍで、読み出したＷｅｂデータをクライアント装置２００へ送信すると共に、当該Ｗｅｂデータ又は判別結果をデータベース装置４００へ送信する。
【０２０５】
ここで、ステップＳＡ２７において、脂肪性肝疾患評価装置１００は、制御部１０２で、判別結果を電子メールで利用者のクライアント装置２００へ通知してもよい。具体的には、まず、脂肪性肝疾患評価装置１００は、電子メール生成部１０２ｄで、利用者ＩＤなどを基にして利用者情報ファイル１０６ａに格納されている利用者情報を送信タイミングに従って参照し、利用者の電子メールアドレスを取得する。ついで、脂肪性肝疾患評価装置１００は、電子メール生成部１０２ｄで、取得した電子メールアドレスを宛て先とし利用者の氏名および判別結果を含む電子メールに関するデータを生成する。ついで、脂肪性肝疾患評価装置１００は、送信部１０２ｍで、生成した当該データを利用者のクライアント装置２００へ送信する。
【０２０６】
また、ステップＳＡ２７において、脂肪性肝疾患評価装置１００は、ＦＴＰ等の既存のファイル転送技術等で、判別結果を利用者のクライアント装置２００へ送信してもよい。
【０２０７】
図２１の説明に戻り、データベース装置４００は、制御部４０２で、脂肪性肝疾患評価装置１００から送信された判別結果またはＷｅｂデータを受信し、受信した判別結果またはＷｅｂデータを記憶部４０６の所定の記憶領域に保存（蓄積）する（ステップＳＡ２８）。
【０２０８】
また、クライアント装置２００は、受信部２１３で、脂肪性肝疾患評価装置１００から送信されたＷｅｂデータを受信し、受信したＷｅｂデータをＷｅｂブラウザ２１１で解釈し、個体の判別結果が記されたＷｅｂページの画面をモニタ２６１に表示する（ステップＳＡ２９）。なお、判別結果が脂肪性肝疾患評価装置１００から電子メールで送信された場合には、クライアント装置２００は、電子メーラ２１２の公知の機能で、脂肪性肝疾患評価装置１００から送信された電子メールを任意のタイミングで受信し、受信した電子メールをモニタ２６１に表示する。
【０２０９】
以上により、利用者は、モニタ２６１に表示されたＷｅｂページを閲覧することで、「ＮＡＳＨまたは非ＮＡＳＨであるか否かの判別」、「ＮＡＦＬＤまたは非ＮＡＦＬＤであるか否かの判別」、「脂肪肝または非脂肪肝であるか否かの判別」、「ＮＡＳＨまたは単純性脂肪肝であるか否かの判別」、または「非ＮＡＦＬＤ、ＮＡＳＨ、または単純性脂肪肝であるか否かの判別」に関する個体の判別結果を確認することができる。なお、利用者は、モニタ２６１に表示されたＷｅｂページの表示内容をプリンタ２６２で印刷してもよい。
【０２１０】
また、判別結果が脂肪性肝疾患評価装置１００から電子メールで送信された場合には、利用者は、モニタ２６１に表示された電子メールを閲覧することで、「ＮＡＳＨまたは非ＮＡＳＨであるか否かの判別」、「ＮＡＦＬＤまたは非ＮＡＦＬＤであるか否かの判別」、「脂肪肝または非脂肪肝であるか否かの判別」、「ＮＡＳＨまたは単純性脂肪肝であるか否かの判別」、または「非ＮＡＦＬＤ、ＮＡＳＨ、または単純性脂肪肝であるか否かの判別」に関する個体の判別結果を確認することができる。利用者は、モニタ２６１に表示された電子メールの表示内容をプリンタ２６２で印刷してもよい。
【０２１１】
これにて、脂肪性肝疾患評価サービス処理の説明を終了する。
【０２１２】
［２−４．第２実施形態のまとめ、およびその他の実施形態］
以上、詳細に説明したように、脂肪性肝疾患評価システムによれば、クライアント装置２００は個体のアミノ酸濃度データを脂肪性肝疾患評価装置１００へ送信し、データベース装置４００は脂肪性肝疾患評価装置１００からの要求を受けて、ＮＡＳＨと非ＮＡＳＨの判別用の多変量判別式、ＮＡＦＬＤと非ＮＡＦＬＤの判別用の多変量判別式、脂肪肝と非脂肪肝の判別用の多変量判別式、ＮＡＳＨと単純性脂肪肝の判別用の多変量判別式、または非ＮＡＦＬＤとＮＡＳＨと単純性脂肪肝の判別用の多変量判別式を脂肪性肝疾患評価装置１００へ送信する。そして、脂肪性肝疾患評価装置１００は、（１）クライアント装置２００からアミノ酸濃度データを受信すると共にデータベース装置４００から多変量判別式を受信し、（２）受信したアミノ酸濃度データおよび多変量判別式に基づいて判別値を算出し、（３）算出した判別値と予め設定した閾値とを比較することで個体につき、「ＮＡＳＨまたは非ＮＡＳＨであるか否かの判別」、「ＮＡＦＬＤまたは非ＮＡＦＬＤであるか否かの判別」、「脂肪肝または非脂肪肝であるか否かの判別」、「ＮＡＳＨまたは単純性脂肪肝であるか否かの判別」、または「非ＮＡＦＬＤ、ＮＡＳＨ、または単純性脂肪肝であるか否かの判別」を実行し、（４）この判別結果をクライアント装置２００やデータベース装置４００へ送信する。そして、クライアント装置２００は脂肪性肝疾患評価装置１００から送信された判別結果を受信して表示し、データベース装置４００は脂肪性肝疾患評価装置１００から送信された判別結果を受信して格納する。これにより、ＮＡＳＨと非ＮＡＳＨの２群判別、ＮＡＦＬＤと非ＮＡＦＬＤの２群判別、脂肪肝と非脂肪肝の２群判別、ＮＡＳＨと単純性脂肪肝の２群判別、または非ＮＡＦＬＤとＮＡＳＨと単純性脂肪肝の３群判別に有用な多変量判別式で得られる判別値を利用して、これらの２群判別または３群判別を精度よく行うことができる。
【０２１３】
ここで、脂肪性肝疾患評価システムによれば、ステップＳＡ２５で用いられる多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つでもよい。これにより、ＮＡＳＨと非ＮＡＳＨの２群判別、ＮＡＦＬＤと非ＮＡＦＬＤの２群判別、脂肪肝と非脂肪肝の２群判別、ＮＡＳＨと単純性脂肪肝の２群判別、または非ＮＡＦＬＤとＮＡＳＨと単純性脂肪肝の３群判別に有用な多変量判別式で得られる判別値を利用して、これらの２群判別または３群判別をさらに精度よく行うことができる。
【０２１４】
具体的には、ステップＳＡ２６にてＮＡＳＨまたは非ＮＡＳＨであるか否かを判別する場合、ステップＳＡ２５で用いられる多変量判別式は、Ｇｌｕ，Ｇｌｎ，Ｇｌｙ，Ａｌａ，Ｖａｌ，Ｔｙｒを変数として含むロジスティック回帰式でもよい。これにより、ＮＡＳＨと非ＮＡＳＨの２群判別に特に有用な多変量判別式で得られる判別値を利用して、この２群判別をさらに精度よく行うことができる。また、ステップＳＡ２６にてＮＡＦＬＤまたは非ＮＡＦＬＤであるか否かを判別する場合、ステップＳＡ２５で用いられる多変量判別式は、Ｓｅｒ，Ｇｌｕ，Ｇｌｙ，Ｖａｌ，Ｔｙｒ，Ｈｉｓを変数として含むロジスティック回帰式でもよい。これにより、ＮＡＦＬＤと非ＮＡＦＬＤの２群判別に特に有用な多変量判別式で得られる判別値を利用して、この２群判別をさらに精度よく行うことができる。また、ステップＳＡ２６にて脂肪肝または非脂肪肝であるか否かを判別する場合、ステップＳＡ２５で用いられる多変量判別式は、Ｓｅｒ，Ｇｌｕ，Ｇｌｙ，Ａｌａ，Ｖａｌ，Ｔｙｒを変数として含むロジスティック回帰式でもよい。これにより、脂肪肝と非脂肪肝の２群判別に特に有用な多変量判別式で得られる判別値を利用して、この２群判別をさらに精度よく行うことができる。また、ステップＳＡ２６にてＮＡＳＨまたは単純性脂肪肝であるか否かを判別する場合、ステップＳＡ２５で用いられる多変量判別式は、Ａｓｎ，Ｇｌｎ，Ｇｌｙ，Ａｌａ，Ｃｉｔ，Ｍｅｔを変数として含むロジスティック回帰式でもよい。これにより、ＮＡＳＨと単純性脂肪肝の２群判別に特に有用な多変量判別式で得られる判別値を利用して、この２群判別をさらに精度よく行うことができる。また、ステップＳＡ２６にて非ＮＡＦＬＤ、ＮＡＳＨ、または単純性脂肪肝であるか否かを判別する場合、ステップＳＡ２５で用いられる多変量判別式は、Ｓｅｒ，Ｇｌｕ，Ｇｌｙ，Ｖａｌ，Ｔｙｒ，Ｈｉｓを変数として含むロジスティック回帰式、およびＡｓｎ，Ｇｌｎ，Ｇｌｙ，Ａｌａ，Ｃｉｔ，Ｍｅｔを変数として含むロジスティック回帰式でもよい。これにより、非ＮＡＦＬＤとＮＡＳＨと単純性脂肪肝の３群判別に特に有用な多変量判別式で得られる判別値を利用して、この３群判別をさらに精度よく行うことができる。
【０２１５】
なお、上記した各多変量判別式は、本出願人による国際出願である国際公開第２００４／０５２１９１号に記載の方法または本出願人による国際出願である国際公開第２００６／０９８１９２号に記載の方法（後述する多変量判別式作成処理）で作成してもよい。なお、これら方法で得られた多変量判別式であれば、入力データとしてのアミノ酸濃度データにおけるアミノ酸濃度の単位に因らず、当該多変量判別式を脂肪性肝疾患の状態評価に好適に用いることができる。
【０２１６】
また、本発明にかかる脂肪性肝疾患評価装置、脂肪性肝疾患評価方法、脂肪性肝疾患評価プログラム、記録媒体、脂肪性肝疾患評価システム、および情報通信端末装置は、上述した第２実施形態以外にも、特許請求の範囲に記載した技術的思想の範囲内において種々の異なる実施形態にて実施されてよいものである。例えば、上述した第２実施形態で説明した各処理のうち、自動的に行なわれるものとして説明した処理の全部または一部を手動的に行うこともでき、手動的に行なわれるものとして説明した処理の全部または一部を公知の方法で自動的に行うこともできる。この他、上記文書中や図面中で示した処理手順、制御手順、具体的名称、各種の登録データおよび検索条件等のパラメータを含む情報、画面例、データベース構成については、特記する場合を除いて任意に変更することができる。例えば、脂肪性肝疾患評価装置１００に関して、図示の各構成要素は機能概念的なものであり、必ずしも物理的に図示の如く構成されていることを要しない。また、脂肪性肝疾患評価装置１００の各部または各装置が備える処理機能（特に制御部１０２にて行なわれる各処理機能）については、ＣＰＵ（Ｃｅｎｔｒａｌ  Ｐｒｏｃｅｓｓｉｎｇ  Ｕｎｉｔ）および当該ＣＰＵにて解釈実行されるプログラムにて、その全部または任意の一部を実現してもよく、また、ワイヤードロジックによるハードウェアとして実現してもよい。また、脂肪性肝疾患評価装置１００は、既知のパーソナルコンピュータ、ワークステーション等の情報処理装置として構成してもよく、また、該情報処理装置に任意の周辺装置を接続して構成してもよい。また、脂肪性肝疾患評価装置１００は、該情報処理装置に本発明の方法を実現させるソフトウェア（プログラム、データ等を含む）を実装することにより実現してもよい。
【０２１７】
ここで、「プログラム」とは任意の言語や記述方法にて記述されたデータ処理方法であり、ソースコードやバイナリコード等の形式を問わない。なお、「プログラム」は、必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものを含む。なお、プログラムは、記録媒体に記録されており、必要に応じて脂肪性肝疾患評価装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。また、このコンピュータプログラムは、脂肪性肝疾患評価装置１００に対して任煮のネットワーク３００を介して接続されたアプリケーションプログラムサーバに記憶されていてもよく、必要に応じてその全部又は一部をダウンロードすることも可能である。記録媒体に記録されたプログラムを各装置で読み取るための具体的な構成や読み取り手順や読み取り後のインストール手順等については、周知の構成や手順を用いることができる。
【０２１８】
また、「記録媒体」とは任意の「可搬用の物理媒体」を含むものとする。なお、「可搬用の物理媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、およびＢｌｕ−ｒａｙ  Ｄｉｓｃ等である。本発明に係るプログラムを、コンピュータ読み取り可能な記録媒体に格納してもよく、また、プログラム製品として構成することもできる。
【０２１９】
最後に、脂肪性肝疾患評価装置１００で行う多変量判別式作成処理の一例について図２２を参照して詳細に説明する。なお、ここで説明する処理はあくまでも一例であり、多変量判別式の作成方法はこれに限定されない。図２２は多変量判別式作成処理の一例を示すフローチャートである。なお、当該多変量判別式作成処理は、脂肪性肝疾患状態情報を管理するデータベース装置４００で行ってもよい。
【０２２０】
なお、本説明では、脂肪性肝疾患評価装置１００は、データベース装置４００から事前に取得した脂肪性肝疾患状態情報を、脂肪性肝疾患状態情報ファイル１０６ｃの所定の記憶領域に格納しているものとする。また、脂肪性肝疾患評価装置１００は、脂肪性肝疾患状態情報指定部１０２ｇで事前に指定した脂肪性肝疾患状態指標データおよびアミノ酸濃度データを含む脂肪性肝疾患状態情報を、指定脂肪性肝疾患状態情報ファイル１０６ｄの所定の記憶領域に格納しているものとする。
【０２２１】
まず、多変量判別式作成部１０２ｈは、候補多変量判別式作成部１０２ｈ１で、指定脂肪性肝疾患状態情報ファイル１０６ｄの所定の記憶領域に格納されている脂肪性肝疾患状態情報から所定の式作成手法に基づいて候補多変量判別式を作成し、作成した候補多変量判別式を候補多変量判別式ファイル１０６ｅ１の所定の記憶領域に格納する（ステップＳＢ２１）。具体的には、まず、多変量判別式作成部１０２ｈは、候補多変量判別式作成部１０２ｈ１で、複数の異なる式作成手法（主成分分析や判別分析、サポートベクターマシン、重回帰分析、ロジスティック回帰分析、ｋ−ｍｅａｎｓ法、クラスター解析、決定木などの多変量解析に関するものを含む。）の中から所望のものを１つ選択し、選択した式作成手法に基づいて、作成する候補多変量判別式の形（式の形）を決定する。つぎに、多変量判別式作成部１０２ｈは、候補多変量判別式作成部１０２ｈ１で、脂肪性肝疾患状態情報に基づいて、選択した式選択手法に対応する種々（例えば平均や分散など）の計算を実行する。つぎに、多変量判別式作成部１０２ｈは、候補多変量判別式作成部１０２ｈ１で、計算結果および決定した候補多変量判別式のパラメータを決定する。これにより、選択した式作成手法に基づいて候補多変量判別式が作成される。なお、複数の異なる式作成手法を併用して候補多変量判別式を同時並行（並列）的に作成する場合は、選択した式作成手法ごとに上記の処理を並行して実行すればよい。また、複数の異なる式作成手法を併用して候補多変量判別式を直列的に作成する場合は、例えば、主成分分析を行って作成した候補多変量判別式を利用して脂肪性肝疾患状態情報を変換し、変換した脂肪性肝疾患状態情報に対して判別分析を行うことで候補多変量判別式を作成してもよい。
【０２２２】
つぎに、多変量判別式作成部１０２ｈは、候補多変量判別式検証部１０２ｈ２で、ステップＳＢ２１で作成した候補多変量判別式を所定の検証手法に基づいて検証（相互検証）し、検証結果を検証結果ファイル１０６ｅ２の所定の記憶領域に格納する（ステップＳＢ２２）。具体的には、多変量判別式作成部１０２ｈは、候補多変量判別式検証部１０２ｈ２で、指定脂肪性肝疾患状態情報ファイル１０６ｄの所定の記憶領域に格納されている脂肪性肝疾患状態情報に基づいて候補多変量判別式を検証する際に用いる検証用データを作成し、作成した検証用データに基づいて候補多変量判別式を検証する。なお、ステップＳＢ２１で複数の異なる式作成手法を併用して候補多変量判別式を複数作成した場合には、多変量判別式作成部１０２ｈは、候補多変量判別式検証部１０２ｈ２で、各式作成手法に対応する候補多変量判別式ごとに所定の検証手法に基づいて検証する。ここで、ステップＳＢ２２において、ブートストラップ法やホールドアウト法、Ｎ−フォールド法、リーブワンアウト法などのうち少なくとも１つに基づいて候補多変量判別式の判別率や感度、特異度、情報量基準、ＲＯＣ＿ＡＵＣ（受信者特性曲線の曲線下面積）などのうち少なくとも１つに関して検証してもよい。これにより、脂肪性肝疾患状態情報や診断条件を考慮した予測性または頑健性の高い候補指標式を選択することができる。
【０２２３】
つぎに、多変量判別式作成部１０２ｈは、変数選択部１０２ｈ３で、ステップＳＢ２２での検証結果から所定の変数選択手法に基づいて、候補多変量判別式の変数を選択することで（ただし、ステップＳＢ２２での検証結果を考慮せず、所定の変数選択手法に基づいて、候補多変量判別式の変数を選択してもよい。）、候補多変量判別式を作成する際に用いる脂肪性肝疾患状態情報に含まれるアミノ酸濃度データの組み合わせを選択し、選択したアミノ酸濃度データの組み合わせを含む脂肪性肝疾患状態情報を選択脂肪性肝疾患状態情報ファイル１０６ｅ３の所定の記憶領域に格納する（ステップＳＢ２３）。なお、ステップＳＢ２１で複数の異なる式作成手法を併用して候補多変量判別式を複数作成し、ステップＳＢ２２で各式作成手法に対応する候補多変量判別式ごとに所定の検証手法に基づいて検証した場合には、ステップＳＢ２３において、多変量判別式作成部１０２ｈは、変数選択部１０２ｈ３で、候補多変量判別式（例えば、ステップＳＢ２２での検証結果に対応する候補多変量判別式）ごとに所定の変数選択手法に基づいて候補多変量判別式の変数を選択してもよい。ここで、ステップＳＢ２３において、検証結果からステップワイズ法、ベストパス法、近傍探索法、遺伝的アルゴリズムのうち少なくとも１つに基づいて候補多変量判別式の変数を選択してもよい。なお、ベストパス法とは、候補多変量判別式に含まれる変数を１つずつ順次減らしていき、候補多変量判別式が与える評価指標を最適化することで変数を選択する方法である。また、ステップＳＢ２３において、多変量判別式作成部１０２ｈは、変数選択部１０２ｈ３で、指定脂肪性肝疾患状態情報ファイル１０６ｄの所定の記憶領域に格納されている脂肪性肝疾患状態情報に基づいてアミノ酸濃度データの組み合わせを選択してもよい。
【０２２４】
つぎに、多変量判別式作成部１０２ｈは、指定脂肪性肝疾患状態情報ファイル１０６ｄの所定の記憶領域に格納されている脂肪性肝疾患状態情報に含まれるアミノ酸濃度データの全ての組み合わせが終了したか否かを判定し、判定結果が「終了」であった場合（ステップＳＢ２４：Ｙｅｓ）には次のステップ（ステップＳＢ２５）へ進み、判定結果が「終了」でなかった場合（ステップＳＢ２４：Ｎｏ）にはステップＳＢ２１へ戻る。なお、多変量判別式作成部１０２ｈは、予め設定した回数が終了したか否かを判定し、判定結果が「終了」であった場合には（ステップＳＢ２４：Ｙｅｓ）次のステップ（ステップＳＢ２５）へ進み、判定結果が「終了」でなかった場合（ステップＳＢ２４：Ｎｏ）にはステップＳＢ２１へ戻ってもよい。また、多変量判別式作成部１０２ｈは、ステップＳＢ２３で選択したアミノ酸濃度データの組み合わせが、指定脂肪性肝疾患状態情報ファイル１０６ｄの所定の記憶領域に格納されている脂肪性肝疾患状態情報に含まれるアミノ酸濃度データの組み合わせまたは前回のステップＳＢ２３で選択したアミノ酸濃度データの組み合わせと同じであるか否かを判定し、判定結果が「同じ」であった場合（ステップＳＢ２４：Ｙｅｓ）には次のステップ（ステップＳＢ２５）へ進み、判定結果が「同じ」でなかった場合（ステップＳＢ２４：Ｎｏ）にはステップＳＢ２１へ戻ってもよい。また、多変量判別式作成部１０２ｈは、検証結果が具体的には各候補多変量判別式に関する評価値である場合には、当該評価値と各式作成手法に対応する所定の閾値との比較結果に基づいて、ステップＳＢ２５へ進むかステップＳＢ２１へ戻るかを判定してもよい。
【０２２５】
つぎに、多変量判別式作成部１０２ｈは、検証結果に基づいて、複数の候補多変量判別式の中から多変量判別式として採用する候補多変量判別式を選出することで多変量判別式を決定し、決定した多変量判別式（選出した候補多変量判別式）を多変量判別式ファイル１０６ｅ４の所定の記憶領域に格納する（ステップＳＢ２５）。ここで、ステップＳＢ２５において、例えば、同じ式作成手法で作成した候補多変量判別式の中から最適なものを選出する場合と、すべての候補多変量判別式の中から最適なものを選出する場合とがある。
【０２２６】
これにて、多変量判別式作成処理の説明を終了する。
【０２２７】
［第３実施形態］
［３−１．本発明の概要］
ここでは、本発明にかかる脂肪性肝疾患の予防・改善物質の探索方法の概要について図２３を参照して説明する。図２３は本発明の基本原理を示す原理構成図である。
【０２２８】
まず、１つまたは複数の物質から成る所望の物質群を、評価対象（例えば動物やヒトなどの個体）に投与する（ステップＳ３１）。例えば、ヒトに投与可能な既存の薬物・アミノ酸・食品・サプリメントを適宜組み合わせたもの（例えば、脂肪性肝疾患（具体的には脂肪肝、ＮＡＦＬＤ、およびＮＡＳＨのうち少なくとも１つ）の諸症状の改善に効果があること知られている薬物（例えば、インスリン抵抗性改善薬、ビグアナイト薬、ウルソデオキシコール酸、抗高脂血症薬、または抗酸化薬など）・サプリメントなどを適宜組み合わせたもの）を、所定の期間（例えば１日から１２ヶ月の範囲）にわたり、所定量ずつ所定の頻度・タイミング（例えば１日３回・食後）で、所定の投与方法（例えば経口投与）により投与してもよい。ここで、投与方法や用量、剤形は、病状に応じて適宜組み合わせてもよい。なお、剤形は、公知の技術に基づいて決めてもよい。また、用量は、特に定めは無いが、例えば有効成分として１ｕｇから１００ｇを含有した形態で与えてもよい。
【０２２９】
つぎに、ステップＳ３１で物質群が投与された評価対象から血液を採取する（ステップＳ３２）。
【０２３０】
つぎに、ステップＳ３２で採取した血液中のアミノ酸の濃度値に関するアミノ酸濃度データを取得する（ステップＳ３３）。なお、ステップＳ１１では、例えば、アミノ酸濃度測定を行う企業等が測定したアミノ酸濃度データを取得してもよく、また、評価対象から採取した血液（例えば血漿、血清などを含む）から、例えば以下の（Ａ）または（Ｂ）などの測定方法でアミノ酸濃度データを測定することでアミノ酸濃度データを取得してもよい。ここで、アミノ酸濃度の単位は、例えばモル濃度や重量濃度、これらの濃度に任意の定数を加減乗除することで得られるものでもよい。
（Ａ）採取した血液サンプルを遠心することにより血液から血漿を分離した。全ての血漿サンプルは、アミノ酸濃度の測定時まで−８０℃で凍結保存した。アミノ酸濃度測定時には、アセトニトリルを添加し除蛋白処理を行った後、標識試薬（３−アミノピリジル−Ｎ−ヒドロキシスクシンイミジルカルバメート）を用いてプレカラム誘導体化を行い、そして、液体クロマトグラフ質量分析計（ＬＣ−ＭＳ）によりアミノ酸濃度を分析した（国際公開第２００３／０６９３２８号、国際公開第２００５／１１６６２９号を参照）。
（Ｂ）採取した血液サンプルを遠心することにより血液から血漿を分離した。全ての血漿サンプルは、アミノ酸濃度の測定時まで−８０℃で凍結保存した。アミノ酸濃度測定時には、スルホサリチル酸を添加し除蛋白処理を行った後、ニンヒドリン試薬を用いたポストカラム誘導体化法を原理としたアミノ酸分析計によりアミノ酸濃度を分析した。
【０２３１】
つぎに、ステップＳ３３で取得した評価対象のアミノ酸濃度データに基づいて、評価対象につき、脂肪肝、ＮＡＦＬＤ（ｎｏｎ−ａｌｃｏｈｏｌｉｃ  ｆａｔｔｙ  ｌｉｖｅｒ  ｄｉｓｅａｓｅ）、およびＮＡＳＨ（ｎｏｎ−ａｌｃｏｈｏｌｉｃ  ｓｔｅａｔｏｈｅｐａｔｉｔｉｓ）のうち少なくとも１つを含む脂肪性肝疾患の状態を評価する（ステップＳ３４）。
【０２３２】
つぎに、ステップＳ３４での評価結果に基づいて、ステップＳ３１で投与した物質群が、脂肪性肝疾患を予防させるまたは脂肪性肝疾患の状態を改善させるものであるか否かを判定する（ステップＳ３５）。
【０２３３】
そして、ステップＳ３５での判定結果が「予防させるまたは改善させる」というものであった場合、ステップＳ３１で投与した物質群が、脂肪性肝疾患を予防させるまたは脂肪性肝疾患の状態を改善させるものとして探索される。
【０２３４】
以上、本発明によれば、所望の物質群を評価対象に投与し、当該物質群が投与された評価対象から血液を採取し、採取した血液中のアミノ酸の濃度値に関するアミノ酸濃度データを取得し、取得したアミノ酸濃度データに基づいて、評価対象につき、脂肪性肝疾患の状態を評価し、その評価結果に基づいて、所望の物質群が、脂肪性肝疾患を予防させる又は脂肪性肝疾患の状態を改善させるものであるか否かを判定する。これにより、血液中のアミノ酸の濃度を利用して脂肪性肝疾患の状態を精度よく評価することができる脂肪性肝疾患の評価方法を用いて、脂肪性肝疾患を予防させる又は脂肪性肝疾患の状態を改善させる物質を精度よく探索することができる。
【０２３５】
ここで、ステップＳ３４を実行する前に、アミノ酸濃度データから欠損値や外れ値などのデータを除去してもよい。これにより、脂肪性肝疾患の状態をさらに精度よく評価することができる。
【０２３６】
また、ステップＳ３４では、ステップＳ３３で取得したアミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値に基づいて、評価対象につき、ＮＡＳＨの状態を評価してもよい。これにより、血液中のアミノ酸の濃度のうちＮＡＳＨの状態と関連するアミノ酸の濃度を利用して、ＮＡＳＨの状態を精度よく評価することができる。具体的には、アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値に基づいて、ＮＡＳＨまたは非ＮＡＳＨであるか否かを判別してもよい。これにより、血液中のアミノ酸の濃度のうちＮＡＳＨと非ＮＡＳＨの２群判別に有用なアミノ酸の濃度を利用して、この２群判別を精度よく行うことができる。
【０２３７】
また、ステップＳ３４では、ステップＳ３３で取得したアミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値に基づいて、評価対象につき、ＮＡＦＬＤの状態を評価してもよい。これにより、血液中のアミノ酸の濃度のうちＮＡＦＬＤの状態と関連するアミノ酸の濃度を利用して、ＮＡＦＬＤの状態を精度よく評価することができる。具体的には、アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値に基づいて、評価対象につき、ＮＡＦＬＤまたは非ＮＡＦＬＤであるか否かを判別してもよい。これにより、血液中のアミノ酸の濃度のうちＮＡＦＬＤと非ＮＡＦＬＤの２群判別に有用なアミノ酸の濃度を利用して、この２群判別を精度よく行うことができる。
【０２３８】
また、ステップＳ３４では、ステップＳ３３で取得したアミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値に基づいて、評価対象につき、脂肪肝の状態を評価してもよい。これにより、血液中のアミノ酸の濃度のうち脂肪肝の状態と関連するアミノ酸の濃度を利用して、脂肪肝の状態を精度よく評価することができる。具体的には、アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値に基づいて、評価対象につき、脂肪肝または非脂肪肝であるか否かを判別してもよい。これにより、血液中のアミノ酸の濃度のうち脂肪肝と非脂肪肝の２群判別に有用なアミノ酸の濃度を利用して、この２群判別を精度よく行うことができる。
【０２３９】
また、ステップＳ３４では、ステップＳ３３で取得したアミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値に基づいて、評価対象につき、ＮＡＳＨおよびＮＡＦＬＤの状態を評価してもよい。これにより、血液中のアミノ酸の濃度のうちＮＡＳＨおよびＮＡＦＬＤの状態と関連するアミノ酸の濃度を利用して、ＮＡＳＨおよびＮＡＦＬＤの状態を精度よく評価することができる。具体的には、アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値に基づいて、評価対象につき、ＮＡＳＨ、または非ＮＡＳＨ且つＮＡＦＬＤであるか否かを判別してもよい。これにより、血液中のアミノ酸の濃度のうちＮＡＳＨと単純性脂肪肝の２群判別に有用なアミノ酸の濃度を利用して、この２群判別を精度よく行うことができる。
【０２４０】
また、ステップＳ３４では、ステップＳ３３で取得したアミノ酸濃度データ、およびアミノ酸の濃度を変数として含む予め設定した多変量判別式に基づいて、当該多変量判別式の値である判別値を算出し、算出した判別値に基づいて、評価対象につき、脂肪性肝疾患の状態を評価してもよい。これにより、アミノ酸の濃度を変数として含む多変量判別式で得られる判別値を利用して、脂肪性肝疾患の状態を精度よく評価することができる。
【０２４１】
なお、多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つでもよい。これにより、アミノ酸の濃度を変数として含む多変量判別式で得られる判別値を利用して、脂肪性肝疾患の状態をさらに精度よく評価することができる。
【０２４２】
また、ステップＳ３４では、ステップＳ３３で取得したアミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを変数として含む多変量判別式に基づいて、判別値を算出し、算出した判別値に基づいて、評価対象につき、ＮＡＳＨの状態を評価してもよい。これにより、ＮＡＳＨの状態と有意な相関がある多変量判別式で得られる判別値を利用して、ＮＡＳＨの状態を精度よく評価することができる。具体的には、判別値に基づいて、評価対象につき、ＮＡＳＨまたは非ＮＡＳＨであるか否かを判別してもよい。これにより、ＮＡＳＨと非ＮＡＳＨの２群判別に有用な多変量判別式で得られる判別値を利用して、この２群判別を精度よく行うことができる。なお、多変量判別式は、Ｇｌｕ，Ｇｌｎ，Ｇｌｙ，Ａｌａ，Ｖａｌ，Ｔｙｒを変数として含むロジスティック回帰式でもよい。これにより、ＮＡＳＨと非ＮＡＳＨの２群判別に特に有用な多変量判別式で得られる判別値を利用して、この２群判別をさらに精度よく行うことができる。
【０２４３】
また、ステップＳ３４では、ステップＳ３３で取得したアミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを変数として含む多変量判別式に基づいて、判別値を算出し、算出した判別値に基づいて、評価対象につき、ＮＡＦＬＤの状態を評価してもよい。これにより、ＮＡＦＬＤの状態と有意な相関がある多変量判別式で得られる判別値を利用して、ＮＡＦＬＤの状態を精度よく評価することができる。具体的には、判別値に基づいて、評価対象につき、ＮＡＦＬＤまたは非ＮＡＦＬＤであるか否かを判別してもよい。これにより、ＮＡＦＬＤと非ＮＡＦＬＤの２群判別に有用な多変量判別式で得られる判別値を利用して、この２群判別を精度よく行うことができる。なお、多変量判別式は、Ｓｅｒ，Ｇｌｕ，Ｇｌｙ，Ｖａｌ，Ｔｙｒ，Ｈｉｓを変数として含むロジスティック回帰式でもよい。これにより、ＮＡＦＬＤと非ＮＡＦＬＤの２群判別に特に有用な多変量判別式で得られる判別値を利用して、この２群判別をさらに精度よく行うことができる。
【０２４４】
また、ステップＳ３４では、ステップＳ３３で取得したアミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを変数として含む多変量判別式に基づいて、判別値を算出し、算出した判別値に基づいて、評価対象につき、脂肪肝の状態を評価してもよい。これにより、脂肪肝の状態と有意な相関がある多変量判別式で得られる判別値を利用して、脂肪肝の状態を精度よく評価することができる。具体的には、判別値に基づいて、評価対象につき、脂肪肝または非脂肪肝であるか否かを判別してもよい。これにより、脂肪肝と非脂肪肝の２群判別に有用な多変量判別式で得られる判別値を利用して、この２群判別を精度よく行うことができる。なお、多変量判別式は、Ｓｅｒ，Ｇｌｕ，Ｇｌｙ，Ａｌａ，Ｖａｌ，Ｔｙｒを変数として含むロジスティック回帰式でもよい。これにより、脂肪肝と非脂肪肝の２群判別に特に有用な多変量判別式で得られる判別値を利用して、この２群判別をさらに精度よく行うことができる。
【０２４５】
また、ステップＳ３４では、ステップＳ３３で取得したアミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出し、算出した判別値に基づいて、評価対象につき、ＮＡＳＨおよびＮＡＦＬＤの状態を評価してもよい。これにより、ＮＡＳＨおよびＮＡＦＬＤの状態と有意な相関がある多変量判別式で得られる判別値を利用して、ＮＡＳＨおよびＮＡＦＬＤの状態を精度よく評価することができる。具体的には、判別値に基づいて、評価対象につき、ＮＡＳＨ、または「非ＮＡＳＨ且つＮＡＦＬＤ」（単純性脂肪肝）であるか否かを判別してもよい。これにより、ＮＡＳＨと単純性脂肪肝の２群判別に有用な多変量判別式で得られる判別値を利用して、この２群判別を精度よく行うことができる。なお、多変量判別式は、Ａｓｎ，Ｇｌｎ，Ｇｌｙ，Ａｌａ，Ｃｉｔ，Ｍｅｔを変数として含むロジスティック回帰式でもよい。これにより、ＮＡＳＨと単純性脂肪肝の２群判別に特に有用な多変量判別式で得られる判別値を利用して、この２群判別をさらに精度よく行うことができる。また、具体的には、判別値に基づいて、評価対象につき、非ＮＡＦＬＤ、ＮＡＳＨ、または「非ＮＡＳＨ且つＮＡＦＬＤ」であるか否かを判別してもよい。これにより、非ＮＡＦＬＤとＮＡＳＨと単純性脂肪肝の３群判別に有用な多変量判別式で得られる判別値を利用して、この３群判別を精度よく行うことができる。なお、多変量判別式は、Ｓｅｒ，Ｇｌｕ，Ｇｌｙ，Ｖａｌ，Ｔｙｒ，Ｈｉｓを変数として含むロジスティック回帰式、およびＡｓｎ，Ｇｌｎ，Ｇｌｙ，Ａｌａ，Ｃｉｔ，Ｍｅｔを変数として含むロジスティック回帰式でもよい。これにより、非ＮＡＦＬＤとＮＡＳＨと単純性脂肪肝の３群判別に特に有用な多変量判別式で得られる判別値を利用して、この３群判別をさらに精度よく行うことができる。
【０２４６】
ここで、上記した各多変量判別式は、本出願人による国際出願である国際公開第２００４／０５２１９１号に記載の方法または本出願人による国際出願である国際公開第２００６／０９８１９２号に記載の方法（上述した第２実施形態に記載の多変量判別式作成処理）で作成してもよい。なお、これら方法で得られた多変量判別式であれば、入力データとしてのアミノ酸濃度データにおけるアミノ酸濃度の単位に因らず、当該多変量判別式を脂肪性肝疾患の状態の評価に好適に用いることができる。
【０２４７】
また、多変量判別式とは、一般に多変量解析で用いられる式の形式を意味し、例えば分数式、重回帰式、多重ロジスティック回帰式、線形判別関数、マハラノビス距離、正準判別関数、サポートベクターマシン、決定木などを包含する。また、異なる形式の多変量判別式の和で示されるような式も含まれる。また、重回帰式、多重ロジスティック回帰式、正準判別関数においては各変数に係数および定数項が付加されるが、この場合の係数および定数項は、好ましくは実数であること、より好ましくはデータから判別を行うために得られた係数および定数項の９９％信頼区間の範囲に属する値、さらに好ましくはデータから判別を行うために得られた係数および定数項の９５％信頼区間の範囲に属する値であればかまわない。また、各係数の値、及びその信頼区間は、それを実数倍したものでもよく、定数項の値、及びその信頼区間は、それに任意の実定数を加減乗除したものでもよい。ロジスティック回帰、線形判別、重回帰分析などの表示式を指標に用いる場合、表示式の線形変換（定数の加算、定数倍）や単調増加（減少）の変換（例えばｌｏｇｉｔ変換など）は判別性能を変えるものではなく同等であるので、表示式はそれらを含むものである。
【０２４８】
なお、分数式とは、当該分数式の分子がアミノ酸Ａ，Ｂ，Ｃ，・・・の和で表わされ及び／又は当該分数式の分母がアミノ酸ａ，ｂ，ｃ，・・・の和で表わされるものである。また、分数式には、このような構成の分数式α，β，γ，・・・の和（例えばα＋βのようなもの）も含まれる。また、分数式には、分割された分数式も含まれる。なお、分子や分母に用いられるアミノ酸にはそれぞれ適当な係数がついてもかまわない。また、分子や分母に用いられるアミノ酸は重複してもかまわない。また、各分数式に適当な係数がついてもかまわない。また、各変数の係数の値や定数項の値は、実数であればかまわない。分数式で、分子の変数と分母の変数を入れ替えた組み合わせは、目的変数との相関の正負の符号は概して逆転するが、それらの相関性は保たれるので、判別性では同等と見なせるので、分子の変数と分母の変数を入れ替えた組み合わせも、包含するものである。
【０２４９】
そして、本発明は、脂肪性肝疾患の状態評価を行う際、アミノ酸の濃度以外に、他の生体情報（例えば糖類・脂質・タンパク質・ペプチド・ミネラル・ホルモン等の生体代謝物や、例えば血糖値・血圧値・性別・年齢・肝疾患指標・食習慣・飲酒習慣・運動習慣・肥満度・疾患歴等の生体指標、など）をさらに用いてもかまわない。また、本発明は、脂肪性肝疾患の状態評価を行う際、多変量判別式における変数として、アミノ酸の濃度以外に、他の生体情報（例えば糖類・脂質・タンパク質・ペプチド・ミネラル・ホルモン等の生体代謝物や、例えば血糖値・血圧値・性別・年齢・肝疾患指標・食習慣・飲酒習慣・運動習慣・肥満度・疾患歴等の生体指標、など）をさらに用いてもかまわない。
【０２５０】
［３−２．第３実施形態にかかる脂肪性肝疾患の予防・改善物質の探索方法の一例］
ここでは、第３実施形態にかかる脂肪性肝疾患の予防・改善物質の探索方法の一例について図２４を参照して説明する。図２４は第３実施形態にかかる脂肪性肝疾患の予防・改善物質の探索方法の一例を示すフローチャートである。
【０２５１】
まず、１つまたは複数の物質から成る所望の物質群を、例えば脂肪性肝疾患の動物やヒトなどの個体に投与する（ステップＳＡ３１）。
【０２５２】
つぎに、ステップＳ３１で物質群が投与された個体から血液を採取する（ステップＳＡ３２）。
【０２５３】
つぎに、ステップＳ３２で採取した血液中のアミノ酸の濃度値に関するアミノ酸濃度データを取得する（ステップＳＡ３３）。なお、ステップＳＡ３３では、例えば、アミノ酸濃度測定を行う企業等が測定したアミノ酸濃度データを取得してもよく、また、評価対象から採取した血液から例えば上述した（Ａ）または（Ｂ）などの測定方法でアミノ酸濃度データを測定することでアミノ酸濃度データを取得してもよい。
【０２５４】
つぎに、ステップＳ３３で取得した個体のアミノ酸濃度データから欠損値や外れ値などのデータを除去する（ステップＳＡ３４）。
【０２５５】
つぎに、ステップＳ３４で欠損値や外れ値などのデータが除去された個体のアミノ酸濃度データに基づいて、個体につき、以下に示す３１．〜３５．の判別のいずれか１つを実行する（ステップＳＡ３５）。
【０２５６】
３１．ＮＡＳＨと非ＮＡＳＨの判別
（ｉ）アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値と予め設定された閾値（カットオフ値）とを比較することで、個体につき、ＮＡＳＨまたは非ＮＡＳＨであるか否かを判別する、または、（ｉｉ）アミノ酸濃度データに含まれるＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つの濃度値、およびＧｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを変数として含む多変量判別式に基づいて、判別値を算出し、算出した判別値と予め設定された閾値（カットオフ値）とを比較することで、個体につき、ＮＡＳＨまたは非ＮＡＳＨであるか否かを判別する。
【０２５７】
３２．ＮＡＦＬＤと非ＮＡＦＬＤの判別
（ｉ）アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値と予め設定された閾値（カットオフ値）とを比較することで、個体につき、ＮＡＦＬＤまたは非ＮＡＦＬＤであるか否かを判別する、または、（ｉｉ）アミノ酸濃度データに含まれるＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つの濃度値、およびＧｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを変数として含む多変量判別式に基づいて、判別値を算出し、算出した判別値と予め設定された閾値（カットオフ値）とを比較することで、個体につき、ＮＡＦＬＤまたは非ＮＡＦＬＤであるか否かを判別する。
【０２５８】
３３．脂肪肝と非脂肪肝の判別
（ｉ）アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値と予め設定された閾値（カットオフ値）とを比較することで、個体につき、脂肪肝または非脂肪肝であるか否かを判別する、または、（ｉｉ）アミノ酸濃度データに含まれるＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つの濃度値、およびＴｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを変数として含む多変量判別式に基づいて、判別値を算出し、算出した判別値と予め設定された閾値（カットオフ値）とを比較することで、個体につき、脂肪肝または非脂肪肝であるか否かを判別する。
【０２５９】
３４．ＮＡＳＨと単純性脂肪肝の判別
（ｉ）アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値と予め設定された閾値（カットオフ値）とを比較することで、個体につき、ＮＡＳＨまたは単純性脂肪肝（非ＮＡＳＨ且つＮＡＦＬＤ）であるか否かを判別する、または、（ｉｉ）アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出し、算出した判別値と予め設定された閾値（カットオフ値）とを比較することで、個体につき、ＮＡＳＨまたは単純性脂肪肝（非ＮＡＳＨ且つＮＡＦＬＤ）であるか否かを判別する。
【０２６０】
３５．ＮＡＳＨと単純性脂肪肝と非ＮＡＦＬＤの判別
アミノ酸濃度データに含まれるＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つの濃度値、およびＧｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを変数として含む多変量判別式に基づいて、判別値を算出し、算出した判別値と予め設定された閾値（カットオフ値）とを比較することで、個体につき、非ＮＡＦＬＤ、ＮＡＳＨ、または単純性脂肪肝（非ＮＡＳＨ且つＮＡＦＬＤ）であるか否かを判別する。
【０２６１】
つぎに、ステップＳＡ３５での判別結果に基づいて、ステップＳＡ３１で投与した物質群が、脂肪性肝疾患を予防させるまたは脂肪性肝疾患の状態を改善させるものであるか否かを判定する（ステップＳＡ３６）。
【０２６２】
そして、ステップＳＡ３６での判定結果が「予防させるまたは改善させる」であった場合、ステップＳＡ３１で投与した物質群が、脂肪性肝疾患を予防させるまたは脂肪性肝疾患の状態を改善させるものとして探索される。なお、本探索方法によって探索された物質として、例えば、「Ｇｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを含むアミノ酸群」、「Ｇｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを含むアミノ酸群」、「Ｔｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを含むアミノ酸群」、および「Ｇｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを含むアミノ酸群」が挙げられる。
【０２６３】
［３−３．第３実施形態のまとめ、およびその他の実施形態］
以上、詳細に説明したように、第３実施形態にかかる脂肪性肝疾患の予防・改善物質の探索方法によれば、（ｉ）所望の物質群を個体に投与し、（ｉｉ）物質群が投与された個体から血液を採取し、（ｉｉｉ）採取した血液中のアミノ酸濃度データを取得し、（ｉｖ）取得した個体のアミノ酸濃度データから欠損値や外れ値などのデータを除去し、（ｖ）欠損値や外れ値などのデータが除去された個体のアミノ酸濃度データに基づいて、個体につき、上述した３１．〜３５．の判別のいずれか１つを実行し、（ｖｉ）この判別結果に基づいて、投与した物質群が、脂肪性肝疾患を予防させるまたは脂肪性肝疾患の状態を改善させるものであるか否かを判別する。これにより、上述した第１実施形態の脂肪性肝疾患の評価方法を用いて、脂肪性肝疾患を予防させる又は脂肪性肝疾患の状態を改善させる物質を精度よく探索することができる。
【０２６４】
ここで、ステップＳＡ３５で用いられる多変量判別式は、ロジスティック回帰式、分数式、線形判別式、重回帰式、サポートベクターマシンで作成された式、マハラノビス距離法で作成された式、正準判別分析で作成された式、決定木で作成された式のいずれか１つでもよい。これにより、ＮＡＳＨと非ＮＡＳＨの２群判別、ＮＡＦＬＤと非ＮＡＦＬＤの２群判別、脂肪肝と非脂肪肝の２群判別、ＮＡＳＨと単純性脂肪肝の２群判別、または非ＮＡＦＬＤとＮＡＳＨと単純性脂肪肝の３群判別に有用な多変量判別式で得られる判別値を利用して、これらの２群判別または３群判別をさらに精度よく行うことができる。
【０２６５】
具体的には、上述した３１．の判別で用いられる多変量判別式は、Ｇｌｕ，Ｇｌｎ，Ｇｌｙ，Ａｌａ，Ｖａｌ，Ｔｙｒを変数として含むロジスティック回帰式でもよい。これにより、ＮＡＳＨと非ＮＡＳＨの２群判別に特に有用な多変量判別式で得られる判別値を利用して、この２群判別をさらに精度よく行うことができる。また、上述した３２．の判別で用いられる多変量判別式は、Ｓｅｒ，Ｇｌｕ，Ｇｌｙ，Ｖａｌ，Ｔｙｒ，Ｈｉｓを変数として含むロジスティック回帰式でもよい。これにより、ＮＡＦＬＤと非ＮＡＦＬＤの２群判別に特に有用な多変量判別式で得られる判別値を利用して、この２群判別をさらに精度よく行うことができる。また、上述した３３．の判別で用いられる多変量判別式は、Ｓｅｒ，Ｇｌｕ，Ｇｌｙ，Ａｌａ，Ｖａｌ，Ｔｙｒを変数として含むロジスティック回帰式でもよい。これにより、脂肪肝と非脂肪肝の２群判別に特に有用な多変量判別式で得られる判別値を利用して、この２群判別をさらに精度よく行うことができる。また、上述した３４．の判別で用いられる多変量判別式は、Ａｓｎ，Ｇｌｎ，Ｇｌｙ，Ａｌａ，Ｃｉｔ，Ｍｅｔを変数として含むロジスティック回帰式でもよい。これにより、ＮＡＳＨと単純性脂肪肝の２群判別に特に有用な多変量判別式で得られる判別値を利用して、この２群判別をさらに精度よく行うことができる。また、上述した３５．の判別で用いられる多変量判別式は、Ｓｅｒ，Ｇｌｕ，Ｇｌｙ，Ｖａｌ，Ｔｙｒ，Ｈｉｓを変数として含むロジスティック回帰式、およびＡｓｎ，Ｇｌｎ，Ｇｌｙ，Ａｌａ，Ｃｉｔ，Ｍｅｔを変数として含むロジスティック回帰式でもよい。これにより、非ＮＡＦＬＤとＮＡＳＨと単純性脂肪肝の３群判別に特に有用な多変量判別式で得られる判別値を利用して、この３群判別をさらに精度よく行うことができる。
【０２６６】
なお、上記した各多変量判別式は、本出願人による国際出願である国際公開第２００４／０５２１９１号に記載の方法または本出願人による国際出願である国際公開第２００６／０９８１９２号に記載の方法（上述した第２実施形態に記載の多変量判別式作成処理）で作成してもよい。なお、これら方法で得られた多変量判別式であれば、入力データとしてのアミノ酸濃度データにおけるアミノ酸濃度の単位に因らず、当該多変量判別式を脂肪性肝疾患の状態の評価に好適に用いることができる。
【０２６７】
また、第３実施形態にかかる脂肪性肝疾患の予防・改善物質の探索方法は、「Ｇｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐ，Ｔｈｒ，Ａｓｎ，Ｓｅｒのうち少なくとも１つを含むアミノ酸群」、「Ｇｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓ，Ｏｒｎ，Ｓｅｒ，Ｔｈｒ，Ａｓｎのうち少なくとも１つを含むアミノ酸群」、「Ｔｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ａｓｎ，Ｏｒｎのうち少なくとも１つを含むアミノ酸群」、または「Ｇｌｎ，Ｇｌｕ，Ｇｌｙ，Ａｌａ，Ｃｉｔ，Ａｓｎ，Ｔｒｐ，Ｌｅｕ，Ｏｒｎ，Ｐｈｅ，Ｍｅｔ，Ｉｌｅ，Ｐｒｏ，ＡＢＡのうち少なくとも１つを含むアミノ酸群」の濃度値や上記した各多変量判別式の判別値を正常化させる物質を、上述した第１実施形態の脂肪性肝疾患の評価方法や第２実施形態の脂肪性肝疾患評価装置を用いて選択することができる。
【０２６８】
また、第３実施形態にかかる脂肪性肝疾患の予防・改善物質の探索方法において、「予防・改善物質を探索する」とは、脂肪性肝疾患の予防・改善に有効な新規物質を見出すことのみならず、公知物質の脂肪性肝疾患の予防・改善用途を新規に見出すことや、脂肪性肝疾患の予防・改善に有効性を期待できる既存の薬剤・サプリメント等を組み合わせた新規組成物を見出すことや、上記した適切な用法・用量・組み合わせを見出し、それをキットとすることや、食事・運動等も含めた予防・治療メニューを提示することや、当該予防・治療メニューの効果をモニタリングし、必要に応じて個人ごとにメニューの変更を提示すること等が含まれる。
【実施例１】
【０２６９】
脂肪肝の有無に関する超音波診断が行われた受診者を診断結果に基づいて脂肪肝陰性と脂肪肝陽性の２群に分類したところ、脂肪肝陰性群および脂肪肝陽性群はそれぞれ、１０２１名および５６１名であった。受診者から採取された血漿中のアミノ酸濃度を測定し、各アミノ酸濃度についての脂肪肝陽性の判別能をＲＯＣ＿ＡＵＣ（受信者特性曲線の曲線下面積）で評価した。なお、アミノ酸濃度の測定は、上述した実施形態で説明した（Ａ）の測定方法で行った。【０２７０】
ＲＯＣ＿ＡＵＣがノンパラメトリックの仮定のもとで帰無仮説をＲＯＣ＿ＡＵＣ＝０．５とした場合の検定で有意（ｐ＜０．０５）であったアミノ酸は、Ｔｈｒ，Ｓｅｒ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐであった。これらのアミノ酸の内、Ｇｌｕ，Ｐｒｏ，Ａｌａ，Ｌｅｕ，Ｉｌｅ，Ｖａｌ，Ｔｙｒ，Ｐｈｅ，Ｍｅｔ，Ｈｉｓ，Ｔｒｐについては脂肪肝陽性群で有意な増加を示し、一方、Ｔｈｒ，Ｓｅｒ，Ｇｌｙ，Ｃｉｔについては脂肪肝陽性群で有意な減少を示した。
【実施例２】
【０２７１】
ＮＡＦＬＤ（非アルコール性脂肪性肝疾患）の診断において以下の４つの診断条件を満たす受診者はＮＡＦＬＤハイリスク群と考えられることから、当該受診者をＮＡＦＬＤ陽性群に分類した。
診断条件１）超音波診断で脂肪肝が有るとの診断結果が得られた。
診断条件２）ＡＬＴ値が高値（３８（ＩＵ／Ｌ）以上）を示す。
診断条件３）アルコールの多量摂取（毎日摂取）がない。（除外規定）
診断条件４）肝炎ウイルスＨＢＶおよびＨＣＶについて陽性でない。（除外規定）【０２７２】
この４つの診断条件に基づいて受診者をＮＡＦＬＤ陰性とＮＡＦＬＤ陽性の２群に分類したところ、ＮＡＦＬＤ陰性群およびＮＡＦＬＤ陽性群はそれぞれ、１４１５名および１６７名であった。受診者から採取された血漿中のアミノ酸濃度を測定し、各アミノ酸濃度についてのＮＡＦＬＤ陽性の判別能をＲＯＣ＿ＡＵＣで評価した。なお、アミノ酸濃度の測定は、上述した実施形態で説明した（Ａ）の測定方法で行った。【０２７３】
ＲＯＣ＿ＡＵＣがノンパラメトリックの仮定のもとで帰無仮説をＲＯＣ＿ＡＵＣ＝０．５とした場合の検定で有意（ｐ＜０．０５）であったアミノ酸は、Ｇｌｎ，Ｇｌｕ，Ｐｒｏ，Ｇｌｙ，Ａｌａ，Ｃｉｔ，Ｌｅｕ，Ｉｌｅ，Ｖａｌ，Ｔｙｒ，Ｐｈｅ，Ｍｅｔ，Ｈｉｓ，Ｔｒｐ，Ｌｙｓであった。これらのアミノ酸の内、Ｇｌｕ，Ｐｒｏ，Ａｌａ，Ｌｅｕ，Ｉｌｅ，Ｖａｌ，Ｔｙｒ，Ｐｈｅ，Ｍｅｔ，Ｈｉｓ，Ｔｒｐ，ＬｙｓについてはＮＡＦＬＤ陽性群で有意な増加を示し、一方、Ｇｌｎ，Ｇｌｙ，ＣｉｔについてはＮＡＦＬＤ陽性群で有意な減少を示した。
【実施例３】
【０２７４】
ＮＡＳＨ（非アルコール性脂肪肝炎）の診断において、実施例２で示したＮＡＦＬＤの診断条件１）〜４）に下記の診断条件５）を加えた５つの診断条件を満たす受診者はＮＡＳＨハイリスク群と考えられることから、当該受診者をＮＡＳＨ陽性群に分類した。
診断条件５）メタボリック・シンドロームの診断条件（文献「メタボリック・シンドローム診断基準検討委員会，日本内科学会雑誌，９４，７９４，２００５．」参照）を満たす。【０２７５】
この５つの診断条件に基づいて受診者をＮＡＳＨ陰性とＮＡＳＨ陽性の２群に分類したところ、ＮＡＳＨ陰性群およびＮＡＳＨ陽性群はそれぞれ、１５１８名および６４名であった。受診者から採取された血漿中のアミノ酸濃度を測定し、各アミノ酸濃度についてのＮＡＳＨ陽性の判別能をＲＯＣ＿ＡＵＣで評価した。なお、アミノ酸濃度の測定は、上述した実施形態で説明した（Ａ）の測定方法で行った。【０２７６】
ＲＯＣ＿ＡＵＣがノンパラメトリックの仮定のもとで帰無仮説をＲＯＣ＿ＡＵＣ＝０．５とした場合の検定で有意（ｐ＜０．０５）であったアミノ酸は、Ｇｌｎ，Ｇｌｕ，Ｐｒｏ，Ｇｌｙ，Ａｌａ，Ｌｅｕ，Ｉｌｅ，Ｖａｌ，Ｔｙｒ，Ｐｈｅ，Ｍｅｔ，Ｈｉｓ，Ｔｒｐであった。これらのアミノ酸の内、Ｇｌｕ，Ｐｒｏ，Ａｌａ，Ｌｅｕ，Ｉｌｅ，Ｖａｌ，Ｔｙｒ，Ｐｈｅ，Ｍｅｔ，Ｈｉｓ，Ｔｒｐについては、ＮＡＳＨ陽性群で有意な増加を示し、一方、Ｇｌｎ，ＧｌｙについてはＮＡＳＨ陽性群で有意な減少を示した。
【実施例４】
【０２７７】
実施例１で測定したものと同じアミノ酸濃度データを用いて、実施例１で記述した脂肪肝の診断に有効な、血漿中のアミノ酸濃度を変数に持つ脂肪肝陽性を判別するための多変量判別式（多変量関数）を求めた。【０２７８】
まず、多変量判別式としてロジスティック回帰式を用い、ロジスティック回帰式に含める変数の組み合わせを探索し、そしてクロスバリデーションとしてＬｅａｖｅ−Ｏｎｅ−Ｏｕｔ法を採用して、脂肪肝陽性の良好な判別能を持つロジスティック回帰式の探索を鋭意実施した。【０２７９】
ＲＯＣ＿ＡＵＣで評価した判別能が同等に良好なロジスティック回帰式の一覧を、図２５および図２６に示す。ここで、図２５および図２６には、ロジスティック回帰式に含まれる変数の組み合わせ、クロスバリデーション有りでのＲＯＣ＿ＡＵＣ値、およびクロスバリデーション無しでのＲＯＣ＿ＡＵＣ値が示されている。図２５および図２６に含まれる式における変数の出現頻度を多い順に１０位まで列挙すると、Ｇｌｕ，Ａｌａ，Ｔｙｒ，Ｓｅｒ，Ｇｌｙ，Ｖａｌ，Ｌｅｕ，Ｉｌｅ，Ｃｉｔ，Ｈｉｓである。【０２８０】
なお、判別能が同等に良好なロジスティック回帰式のうち、例えば、変数の組「Ｓｅｒ，Ｇｌｕ，Ｇｌｙ，Ａｌａ，Ｖａｌ，Ｔｙｒ」を持つ指標式「（−４．８３３）＋（−０．０１７）Ｓｅｒ＋（０．０３４４）Ｇｌｕ＋（−０．００５７）Ｇｌｙ＋（０．００４９）Ａｌａ＋（０．００６７５）Ｖａｌ＋（０．０２５）Ｔｙｒ」の判別能は、ＲＯＣ＿ＡＵＣ＝０．７９６，感度＝０．７１５，特異度＝０．７３１と良好なものであった。【０２８１】
また、多変量判別式として分数式を用い、分数式に含める変数の組み合わせを探索し、そしてクロスバリデーションとしてブートストラップ法を採用して、脂肪肝陽性の良好な判別能を持つ分数式の探索を鋭意実施した。【０２８２】
ＲＯＣ＿ＡＵＣで評価した判別能が同等に良好な分数式の一覧を、図２７および図２８に示す。ここで、図２７および図２８には、分数式、クロスバリデーション有りでのＲＯＣ＿ＡＵＣ値の平均値、およびクロスバリデーション無しでのＲＯＣ＿ＡＵＣ値が示されている。図２７および図２８に含まれる式における変数の出現頻度を多い順に１０位まで列挙すると、Ｇｌｕ，Ｇｌｙ，Ｓｅｒ，Ｔｙｒ，Ｃｉｔ，Ａｌａ，Ａｓｎ，Ｏｒｎ，Ｉｌｅ，Ｍｅｔである。
【実施例５】
【０２８３】
実施例２で測定したものと同じアミノ酸濃度データを用いて、実施例２で記述したＮＡＦＬＤの診断に有効な、血漿中のアミノ酸濃度を変数に持つＮＡＦＬＤ陽性を判別するための多変量判別式（多変量関数）を求めた。【０２８４】
まず、多変量判別式としてロジスティック回帰式を用い、ロジスティック回帰式に含める変数の組み合わせを探索し、そしてクロスバリデーションとしてＬｅａｖｅ−Ｏｎｅ−Ｏｕｔ法を採用して、ＮＡＦＬＤ陽性の良好な判別能を持つロジスティック回帰式の探索を鋭意実施した。【０２８５】
ＲＯＣ＿ＡＵＣで評価した判別能が同等に良好なロジスティック回帰式の一覧を、図２９および図３０に示す。ここで、図２９および図３０には、ロジスティック回帰式に含まれる変数の組み合わせ、クロスバリデーション有りでのＲＯＣ＿ＡＵＣ値、およびクロスバリデーション無しでのＲＯＣ＿ＡＵＣ値が示されている。図２９および図３０に含まれる式における変数の出現頻度を多い順に１０位まで列挙すると、Ｇｌｕ，Ｔｙｒ，Ｈｉｓ，Ｖａｌ，Ｏｒｎ，Ｉｌｅ，Ｓｅｒ，Ｔｈｒ，Ｔｒｐ，Ｐｈｅである。【０２８６】
なお、判別能が同等に良好なロジスティック回帰式のうち、例えば、変数の組「Ｓｅｒ，Ｇｌｕ，Ｇｌｙ，Ｖａｌ，Ｔｙｒ，Ｈｉｓ」を持つ指標式「（−９．０３５）＋（−０．０１２１）Ｓｅｒ＋（０．０３２５）Ｇｌｕ＋（−０．００５６５）Ｇｌｙ＋（０．０１１３）Ｖａｌ＋（０．０２９９）Ｔｙｒ＋（０．０２７１）Ｈｉｓ」の判別能は、ＲＯＣ＿ＡＵＣ＝０．８２５，感度＝０．７３７，特異度＝０．７７６と良好なものであった。【０２８７】
また、多変量判別式として分数式を用い、分数式に含める変数の組み合わせを探索し、そしてクロスバリデーションとしてブートストラップ法を採用して、ＮＡＦＬＤ陽性の良好な判別能を持つ分数式の探索を鋭意実施した。【０２８８】
ＲＯＣ＿ＡＵＣで評価した判別能が同等に良好な分数式の一覧を、図３１および図３２に示す。ここで、図３１および図３２には、分数式、クロスバリデーション有りでのＲＯＣ＿ＡＵＣ値の平均値、およびクロスバリデーション無しでのＲＯＣ＿ＡＵＣ値が示されている。図３１および図３２に含まれる式における変数の出現頻度を多い順に１０位まで列挙すると、Ｇｌｕ，Ｔｙｒ，Ｇｌｙ，Ｃｉｔ，Ｏｒｎ，Ｓｅｒ，Ａｓｎ，Ｈｉｓ，Ｍｅｔ，Ｉｌｅである。
【実施例６】
【０２８９】
実施例３で測定したものと同じアミノ酸濃度データを用いて、実施例３で記述したＮＡＳＨの診断に有効な、血漿中のアミノ酸濃度を変数に持つＮＡＳＨ陽性を判別するための多変量判別式（多変量関数）を求めた。【０２９０】
まず、多変量判別式としてロジスティック回帰式を用い、ロジスティック回帰式に含める変数の組み合わせを探索し、そしてクロスバリデーションとしてＬｅａｖｅ−Ｏｎｅ−Ｏｕｔ法を採用して、ＮＡＳＨ陽性の良好な判別能を持つロジスティック回帰式の探索を鋭意実施した。【０２９１】
ＲＯＣ＿ＡＵＣで評価した判別能が同等に良好な多変量ロジスティック回帰式の一覧を、図３３および図３４に示す。ここで、図３３および図３４には、ロジスティック回帰式に含まれる変数の組み合わせ、クロスバリデーション有りでのＲＯＣ＿ＡＵＣ値、およびクロスバリデーション無しでのＲＯＣ＿ＡＵＣ値が示されている。図３３および図３４に含まれる式における変数の出現頻度を多い順に１０位まで列挙すると、Ｇｌｕ，Ｔｙｒ，Ａｌａ，Ｖａｌ，Ｇｌｎ，Ｈｉｓ，Ｐｈｅ，Ｔｈｒ，Ａｓｎ，Ｓｅｒである。【０２９２】
なお、判別能が同等に良好なロジスティック回帰式のうち、例えば、変数の組「Ｇｌｕ，Ｇｌｎ，Ｇｌｙ，Ａｌａ，Ｖａｌ，Ｔｙｒ」を持つ指標式「（−７．４４３）＋（０．０２８３）Ｇｌｕ＋（−０．００６４８）Ｇｌｎ＋（−０．００７５７）Ｇｌｙ＋（０．００４６８）Ａｌａ＋（０．０１３１）Ｖａｌ＋（０．０２９８）Ｔｙｒ」の判別能は、ＲＯＣ＿ＡＵＣ＝０．８５７，感度＝０．７６６，特異度＝０．７８９と良好なものであった。【０２９３】
また、多変量判別式として分数式を用い、分数式に含める変数の組み合わせを探索し、そしてクロスバリデーションとしてブートストラップ法を採用して、ＮＡＳＨ陽性の良好な判別能を持つ分数式の探索を鋭意実施した。【０２９４】
ＲＯＣ＿ＡＵＣで評価した判別能が同等に良好な分数式の一覧を、図３５および図３６に示す。ここで、図３５および図３６には、分数式、クロスバリデーション有りでのＲＯＣ＿ＡＵＣ値の平均値、およびクロスバリデーション無しでのＲＯＣ＿ＡＵＣ値が示されている。図３５および図３６に含まれる式における変数の出現頻度を多い順に１０位まで列挙すると、Ｇｌｕ，Ｇｌｙ，Ｇｌｎ，Ａｌａ，Ｔｙｒ，Ｖａｌ，Ｈｉｓ，Ｓｅｒ，Ｍｅｔ，Ｔｈｒである。
【実施例７】
【０２９５】
実施例２で記述したＮＡＦＬＤの診断と実施例３で記述したＮＡＳＨの診断に基づいて、ＮＡＦＬＤ陽性の受診者を単純性脂肪肝（ｓｉｍｐｌｅ  ｓｔｅａｔｏｓｉｓ）とＮＡＳＨ陽性の２群に分類したところ、単純性脂肪肝群およびＮＡＳＨ陽性群はそれぞれ、１０３名および６４名であった。ＮＡＦＬＤ陽性の受診者から採取された血漿中のアミノ酸濃度を測定し、各アミノ酸濃度についてのＮＡＳＨ陽性の判別能をＲＯＣ＿ＡＵＣで評価した。なお、アミノ酸濃度の測定は、上述した実施形態で説明した（Ａ）の測定方法で行った。【０２９６】
ＲＯＣ＿ＡＵＣがノンパラメトリックの仮定のもとで帰無仮説をＲＯＣ＿ＡＵＣ＝０．５とした場合の検定で有意（ｐ＜０．０５）であったアミノ酸は、Ｇｌｎ，Ｇｌｕ，Ｇｌｙ，Ａｌａであった。これらのアミノ酸の内、Ｇｌｕ，Ａｌａについては、ＮＡＳＨ陽性群で有意な増加を示し、一方、Ｇｌｎ，ＧｌｙはＮＡＳＨ陽性群で有意な減少を示した。【０２９７】
また、本実施例で測定したものと同じアミノ酸濃度データを用いて、血漿中のアミノ酸濃度を変数に持つＮＡＳＨ陽性を判別するための多変量判別式（多変量関数）を求めた。【０２９８】
まず、多変量関数としてロジスティック回帰式を用い、ロジスティック回帰式に含める変数の組み合わせを探索し、そしてクロスバリデーションとしてＬｅａｖｅ−Ｏｎｅ−Ｏｕｔ法を採用して、ＮＡＳＨ陽性の良好な判別能を持つロジスティック回帰式の探索を鋭意実施した。【０２９９】
ＲＯＣ＿ＡＵＣで評価した判別能が同等に良好なロジスティック回帰式の一覧を、図３７および図３８に示す。ここで、図３７および図３８には、ロジスティック回帰式に含まれる変数の組み合わせ、クロスバリデーション有りでのＲＯＣ＿ＡＵＣ値、およびクロスバリデーション無しでのＲＯＣ＿ＡＵＣ値が示されている。図３７および図３８に含まれる式における変数の出現頻度を多い順に１０位まで列挙すると、Ａｌａ，Ｃｉｔ，Ｇｌｎ，Ａｓｎ，Ｔｒｐ，Ｌｅｕ，Ｏｒｎ，Ｐｈｅ，Ｍｅｔ，Ｉｌｅである。【０３００】
なお、判別能が同等に良好なロジスティック回帰式のうち、例えば、変数の組「Ａｓｎ，Ｇｌｎ，Ｇｌｙ，Ａｌａ，Ｃｉｔ，Ｍｅｔ」を持つ指標式「（１．９８９）＋（−０．０７０８）Ａｓｎ＋（−０．０１０４）Ｇｌｎ＋（−０．００４７３）Ｇｌｙ＋（０．００６４９）Ａｌａ＋（０．０７７６）Ｃｉｔ＋（０．０７６８）Ｍｅｔ」の判別能は、ＲＯＣ＿ＡＵＣ＝０．７５３，感度＝０．６８８，特異度＝０．７１８と良好なものであった。【０３０１】
また、多変量判別式として分数式を用い、分数式に含める変数の組み合わせを探索し、そしてクロスバリデーションとしてブートストラップ法を採用して、ＮＡＳＨ陽性の良好な判別能を持つ分数式の探索を鋭意実施した。【０３０２】
ＲＯＣ＿ＡＵＣで評価した判別能が同等に良好な分数式の一覧を、図３９および図４０に示す。ここで、図３９および図４０には、分数式、クロスバリデーション有りでのＲＯＣ＿ＡＵＣ値の平均値、およびクロスバリデーション無しでのＲＯＣ＿ＡＵＣ値が示されている。図３９および図４０に含まれる式における変数の出現頻度を多い順に１０位まで列挙すると、Ｃｉｔ，Ｇｌｎ，Ａｌａ，Ａｓｎ，Ｌｅｕ，Ｐｒｏ，Ｔｒｐ，Ｍｅｔ，Ｇｌｕ，ＡＢＡである。
【実施例８】
【０３０３】
実施例２で記述したＮＡＦＬＤの診断と実施例３で記述したＮＡＳＨの診断に基づいて、全受診者を、ＮＡＦＬＤ陰性（正常）、単純性脂肪肝（ｓｉｍｐｌｅ  ｓｔｅａｔｏｓｉｓ）とＮＡＳＨ陽性の３群に分類したところ、正常、単純性脂肪肝、およびＮＡＳＨ陽性はそれぞれ、１４１５名、１０３名、および６４名であった。当該受診者から採取された血漿中のアミノ酸濃度を測定し、各アミノ酸を変数として含む多変量関数式により、最初に、全受診者について正常またはＮＡＦＬＤ陽性であるかを判別し、次に、ＮＡＦＬＤ陽性と判別された群について単純性脂肪肝とＮＡＳＨ陽性を判別することにより、全体として２段階の正常、単純性脂肪肝、ＮＡＳＨ陽性の３群の判別を実施した。なお、アミノ酸濃度の測定は、上述した実施形態で説明した（Ａ）の測定方法で行った。正常とＮＡＦＬＤ陽性の最初の判別では、実施例５で記述した多変量関数式「（−９．０３５）＋（−０．０１２１）Ｓｅｒ＋（０．０３２５）Ｇｌｕ＋（−０．００５６５）Ｇｌｙ＋（０．０１１３）Ｖａｌ＋（０．０２９９）Ｔｙｒ＋（０．０２７１）Ｈｉｓ」を用い、次にＮＡＦＬＤ陽性と判別された群に対する単純性脂肪肝とＮＡＳＨ陽性の判別では、実施例７で記述した多変量関数式「（１．９８９）＋（−０．０７０８）Ａｓｎ＋（−０．０１０４）Ｇｌｎ＋（−０．００４７３）Ｇｌｙ＋（０．００６４９）Ａｌａ＋（０．０７７６）Ｃｉｔ＋（０．０７６８）Ｍｅｔ」を用いた。【０３０４】
２段階の正常、単純性脂肪肝、ＮＡＳＨ陽性の３群の判別の結果を、図４１（図中では正常をＮｏｒｍａｌと表記し、単純性脂肪肝をＳｔｅａｔｏｓｉｓと表記した。）に示す。図中の４組の数字は、各判別予測結果の合計数（正常、単純性脂肪肝、ＮＡＳＨ陽性の３群の数）を表す。【０３０５】
２段階の正常、単純性脂肪肝、ＮＡＳＨ陽性の３群の判別の結果について、有症率（Ｐｒｅｖ）、感度（Ｓｅｎ）、陽性適中率（ＰＰＶ）、および予測の濃縮率（ＰＰＶ／Ｐｒｅｖ）を、図４２（図中では正常をＮｏｒｍａｌと表記し、単純性脂肪肝をＳｔｅａｔｏｓｉｓと表記した。）に示す。【０３０６】
２段階の正常、単純性脂肪肝、ＮＡＳＨ陽性の３群の判別では、ＮＡＳＨ陽性の予測の濃縮率は５倍程度と良好な判別能であった。
【産業上の利用可能性】
【０３０７】
以上のように、本発明にかかる脂肪性肝疾患の評価方法などは、産業上の多くの分野、特に医薬品や食品、医療などの分野で広く実施することができ、特に、脂肪性肝疾患の状態の進行予測や疾病リスク予測やプロテオームやメタボローム解析などを行うバイオインフォマティクス分野において極めて有用である。
【符号の説明】
【０３０８】
１００  脂肪性肝疾患評価装置
１０２  制御部
１０２ａ  要求解釈部
１０２ｂ  閲覧処理部
１０２ｃ  認証処理部
１０２ｄ  電子メール生成部
１０２ｅ  Ｗｅｂページ生成部
１０２ｆ  受信部
１０２ｇ  脂肪性肝疾患状態情報指定部
１０２ｈ  多変量判別式作成部
１０２ｈ１  候補多変量判別式作成部
１０２ｈ２  候補多変量判別式検証部
１０２ｈ３  変数選択部
１０２ｉ  判別値算出部
１０２ｊ  判別値基準評価部
１０２ｊ１  判別値基準判別部
１０２ｋ  結果出力部
１０２ｍ  送信部
１０４  通信インターフェース部
１０６  記憶部
１０６ａ  利用者情報ファイル
１０６ｂ  アミノ酸濃度データファイル
１０６ｃ  脂肪性肝疾患状態情報ファイル
１０６ｄ  指定脂肪性肝疾患状態情報ファイル
１０６ｅ  多変量判別式関連情報データベース
１０６ｅ１  候補多変量判別式ファイル
１０６ｅ２  検証結果ファイル
１０６ｅ３  選択脂肪性肝疾患状態情報ファイル
１０６ｅ４  多変量判別式ファイル
１０６ｆ  判別値ファイル
１０６ｇ  評価結果ファイル
１０８  入出力インターフェース部
１１２  入力装置
１１４  出力装置
２００  クライアント装置（情報通信端末装置）
３００  ネットワーク
４００  データベース装置
【図１】
2013002381.tif 000003
【図２】
2013002381.tif 000004
【図３】
2013002381.tif 000005
【図４】
2013002381.tif 000006
【図５】
2013002381.tif 000007
【図６】
2013002381.tif 000008
【図７】
2013002381.tif 000009
【図８】
2013002381.tif 000010
【図９】
2013002381.tif 000011
【図１０】
2013002381.tif 000012
【図１１】
2013002381.tif 000013
【図１２】
2013002381.tif 000014
【図１３】
2013002381.tif 000015
【図１４】
2013002381.tif 000016
【図１５】
2013002381.tif 000017
【図１６】
2013002381.tif 000018
【図１７】
2013002381.tif 000019
【図１８】
2013002381.tif 000020
【図１９】
2013002381.tif 000021
【図２０】
2013002381.tif 000022
【図２１】
2013002381.tif 000023
【図２２】
2013002381.tif 000024
【図２３】
2013002381.tif 000025
【図２４】
2013002381.tif 000026
【図２５】
2013002381.tif 000027
【図２６】
2013002381.tif 000028
【図２７】
2013002381.tif 000029
【図２８】
2013002381.tif 000030
【図２９】
2013002381.tif 000031
【図３０】
2013002381.tif 000032
【図３１】
2013002381.tif 000033
【図３２】
2013002381.tif 000034
【図３３】
2013002381.tif 000035
【図３４】
2013002381.tif 000036
【図３５】
2013002381.tif 000037
【図３６】
2013002381.tif 000038
【図３７】
2013002381.tif 000039
【図３８】
2013002381.tif 000040
【図３９】
2013002381.tif 000041
【図４０】
2013002381.tif 000042
【図４１】
2013002381.tif 000043
【図４２】
2013002381.tif 000044
【国際調査報告】
2013002381.tif 000045
2013002381.tif 000046
2013002381.tif 000047
2013002381.tif 000048
2013002381.tif 000049
2013002381.tif 000050
2013002381.tif 000051